(57)【要約】  電気筋肉刺激（ＥＭＳ）を提供するシステム、方法、および装置が本明細書で提供される。いくつかの事例では、ＥＭＳ装置が提供され得る。このＥＭＳ装置は、日常的な活動の際にユーザによる使用が可能となるよう、コンパクト、軽量、かつ、邪魔にならないものであり得る。いくつかの事例では、このＥＭＳ装置は、増加された機能のための追加的なセンサを含み得、追加的な装置またはプラットフォームと相互作用し、それにより本格的なＥＭＳ装置の能力を提供することが可能であり得る。【選択図】図２
2019512333.tif 000002
【特許請求の範囲】
【請求項１】
ユーザを刺激するための電気的刺激装置であって、
ユーザからの１つまたは複数の信号を検知するよう構成されたセンサ、
（ｉ）刺激プログラムを実行することを、および、（ｉｉ）前記センサを使用して、前記ユーザからの前記１つまたは複数の信号を検出することを、行うよう構成された処理ユニット、および、
前記処理ユニットに動作可能に連結されたパルス発生装置であって、前記刺激プログラムに応答して電気的インパルスを発生するよう構成された、パルス発生装置、
を含む中央本体と、
前記中央本体における前記パルス発生装置に対して電気連通する１つまたは複数のパッドであって、前記ユーザに取り付けられるよう、かつ、前記電気パルスを使用し、それにより前記刺激プログラムにしたがって前記ユーザを刺激するよう、構成された、１つまたは複数のパッドと
を含む、電気的刺激装置。
【請求項２】
前記処理ユニットは前記検知された信号を解析するようさらに構成されている、請求項１に記載の装置。
【請求項３】
前記解析は、歩行または握力解析である、請求項２に記載の装置。
【請求項４】
前記処理ユニットは前記ユーザを刺激し、前記検知された信号を同時にまたは逐次的に解析するよう構成されている、請求項２に記載の装置。
【請求項５】
前記検知された信号は筋音図（ＭＭＧ）表示値である、請求項１に記載の装置。
【請求項６】
前記ＭＭＧ表示値は筋肉能力パラメータの検出においてさらに利用される、請求項５に記載の装置。
【請求項７】
前記ＭＭＧ表示値は筋肉疲労のレベルを検出することにおいてさらに利用される、請求項５に記載の装置。
【請求項８】
前記センサ・システムは加速度計またはジャイロスコープを含む、請求項１に記載の装置。
【請求項９】
基部ユニットに対して着脱可能に取り付けられるよう構成されている、請求項１に記載の装置。
【請求項１０】
前記基部ユニットは異なるターゲットに取り付けられるよう構成された異なる種類の基部ユニットを含む、請求項９に記載の装置。
【請求項１１】
前記異なるターゲットは前記ユーザの膝、大腿部、または前腕を含む、請求項１０に記載の装置。
【請求項１２】
前記基部ユニットは１つまたは複数のストラップを含む、請求項９に記載の装置。
【請求項１３】
前記基部ユニットは粘着部を含む、請求項９に記載の装置。
【請求項１４】
前記処理ユニットは複数の異なる刺激プログラムを実行するよう構成されている、請求項１に記載の装置。
【請求項１５】
前記複数の異なる刺激プログラムはユーザによる設定が可能である、請求項１４に記載の装置。
【請求項１６】
前記複数の異なる刺激プログラムは、刺激周波数、パルス幅、デューティサイクル・パラメータ、上昇値および下降値、バーストパルス・パラメータ、波形形状、または位相間間隔のうちの少なくとも１つにおいて異なる、請求項１４に記載の装置。
【請求項１７】
前記複数の異なる刺激プログラムは、下垂足支援プログラム、リハビリテーション・プログラム、回復プログラム、リラクセーション・プログラム、または改善性能プログラムを含む、請求項１４に記載の装置。
【請求項１８】
前記中央本体は１０センチメートルに等しいかまたは１０センチメートルよりも小さい最大寸法を有する、請求項１に記載の装置。
【請求項１９】
前記中央本体は３０グラムに等しいかまたは３０グラムよりも小さい重量を有する、請求項１に記載の装置。
【請求項２０】
モバイル装置に対して通信するよう構成されている、請求項１に記載の装置。
【請求項２１】
前記刺激プログラムは前記モバイル装置からアップロードされる、請求項２０に記載の装置。
【請求項２２】
前記中央本体は有線接続を介して前記１つまたは複数のパッドに対してインターフェース接続する、請求項１に記載の装置。
【請求項２３】
請求項１〜請求項２２のうちのいずれか１項に記載の装置と、
前記装置をユーザ上に適切に配置するための指示書と
を含むキット。
【請求項２４】
前記指示書はユーザの必要性に応じて前記装置の複数の異なる適切な配置を含む、請求項２３に記載のキット。
【請求項２５】
前記複数の異なる適切な配置は前記ユーザの膝、大腿部、または前腕上への前記装置の配置を含む、請求項２４に記載のキット。
【請求項２６】
請求項１〜請求項２２のうちのいずれか１項に記載の装置と、
刺激プログラムを選択し、前記刺激プログラムに応じて前記装置を適切に配置するための指示書と
を含むキット。
【請求項２７】
前記刺激プログラムは下垂足支援プログラムであり、前記装置の前記適切な配置は前記ユーザの腓骨神経またはふくらはぎ筋の上または近傍である、請求項２６に記載のキット。
【請求項２８】
前記刺激プログラムは大腿部リハビリプログラムであり、前記装置の前記適切な配置は前記ユーザのクワッドまたはハムストリング筋上である、請求項２６に記載のキット。
【請求項２９】
前記刺激プログラムは手リハビリプログラムであり、前記装置の前記適切な配置は前記ユーザの前腕上である、請求項２６に記載のキット。
【請求項３０】
ユーザを刺激するためのシステムであって、
前記ユーザが刺激プログラムを選択するモバイル装置と、
前記刺激プログラムが受け取られる中央本体であって、
前記ユーザからの１つまたは複数の信号を検知するよう構成されたセンサ、
（ｉ）前記刺激プログラムを実行することを、ならびに、（ｉｉ）前記センサを使用し、それにより前記ユーザからの前記１つまたは複数の信号を検出することを、実行するよう構成された処理ユニット、および、
前記処理ユニットに動作可能に連結されたパルス発生装置であって、前記刺激プログラムに応答して電気的インパルスを発生するよう構成された、パルス発生装置、
を含む、中央本体と、
前記中央本体における前記パルス発生装置に対して電気連通する１つまたは複数のパッドであって、前記ユーザに取り付けられるよう、かつ、前記電気パルスを使用し、それにより前記刺激プログラムにしたがって前記ユーザを刺激するよう、構成された、１つまたは複数のパッドと
を含む、システム。
【請求項３１】
ユーザを刺激するための方法であって、
信号を検知するよう構成されたセンサ・システムを含む中央本体においてモバイル装置から刺激プログラムを受け取ることと、
前記中央本体の処理ユニットにおいて前記刺激プログラムを実行することと、
前記処理ユニットに動作可能に連結されたパルス発生装置において前記刺激プログラムに応答して電気的インパルスを発生することと、
１）前記ユーザに取り付けられるよう、かつ、２）前記中央本体に連通するよう、構成された１つまたは複数のパッドにおいて、前記電気パルスを伝達し、それにより前記刺激プログラムにしたがって前記ユーザを刺激することと
を含む、方法。
【請求項３２】
ユーザを刺激するための電気的刺激装置であって、
刺激プログラムを実行するよう構成された処理ユニット、および、
前記処理ユニットに動作可能に連結されたパルス発生装置であって、前記刺激プログラムに応答して電気的インパルスを発生するよう構成された、パルス発生装置
を含み、
１）通信チャネル上でコマンドをブロードキャストするよう、かつ２）前記中央本体に実質的に類似した１つまたは複数の他の本体であって、前記通信チャネル上で前記ブロードキャストコマンドを受け取り、それに応答して電気的インパルスを発生するよう構成された１つまたは複数の本体に対して通信するよう、構成された、
中央本体と、
前記中央本体に対して、または前記１つもしくは複数の他の本体に対して、通信する１つまたは複数のパッドであって、前記ユーザに対して取り付けられるよう、かつ、前記電気パルスを伝達し、それにより前記刺激プログラムにしたがって前記ユーザを刺激するよう、構成された、１つまたは複数のパッドと
を含む、電気的刺激装置。
【請求項３３】
前記１つまたは複数の本体のうちの各他の本体は形状またはサイズにおいて前記中央本体に実質的に類似する、請求項３２に記載の装置。
【請求項３４】
前記１つまたは複数の他の本体のうちの各他の本体は前記中央本体に実質的に類似する内部電気構成部品を含む、請求項３２に記載の装置。
【請求項３５】
前記中央本体は、前記刺激プログラムを実行することの結果として前記通信チャネル上で前記コマンドをブロードキャストするよう構成されている、請求項３２に記載の装置。
【請求項３６】
モバイル装置に対して通信するよう構成されている、請求項３２に記載の装置。
【請求項３７】
前記１つまたは複数の他の処理本体は前記モバイル装置と直接的には通信しない、請求項３６に記載の装置。
【請求項３８】
前記刺激プログラムは前記モバイル装置からアップロードされる、請求項３６に記載の装置。
【請求項３９】
前記中央本体は前記ユーザ上の第１場所に配置されるよう構成され、前記１つまたは複数の他の処理本体は前記ユーザ上の異なる場所に配置されるよう構成されている、請求項３２に記載の装置。
【請求項４０】
前記通信チャネルはＡＮＴ＋プロトコルまたはＢｌｕｅｔｏｏｔｈ（登録商標）低エネルギープロトコルを利用する、請求項３２に記載の装置。
【請求項４１】
前記１つまたは複数の他の本体は２つ以上の本体を含む、請求項３２に記載の装置。
【請求項４２】
前記２つ以上の本体の部分集合は単一の刺激プログラムにおいて利用される、請求項４１に記載の装置。
【請求項４３】
前記中央本体は複数のシミュレーション・プログラムを同時に実行するよう構成されている、請求項３２に記載の装置。
【請求項４４】
前記１つまたは複数の他の本体の異なる部分集合は異なる刺激プログラムを同時に実行する、請求項４３に記載の装置。
【請求項４５】
前記中央本体は基部ユニットに対して着脱可能に取り付けられるよう構成されている、請求項３２に記載の装置。
【請求項４６】
前記基部ユニットは異なるターゲットに取り付けられるよう構成された異なる種類の基部ユニットを含む、請求項４５に記載の装置。
【請求項４７】
前記異なるターゲットは前記ユーザの膝、大腿部、または前腕を含む、請求項４６に記載の装置。
【請求項４８】
前記基部ユニットは１つまたは複数のストラップを含む、請求項４５に記載の装置。
【請求項４９】
前記基部ユニットは粘着部を含む、請求項４５に記載の装置。
【請求項５０】
前記処理ユニットは複数の異なる刺激プログラムを実行するよう構成されている、請求項３２に記載の装置。
【請求項５１】
前記複数の異なる刺激プログラムはユーザによる設定が可能である、請求項５０に記載の装置。
【請求項５２】
前記複数の異なる刺激プログラムは、刺激周波数、パルス幅、デューティサイクル・パラメータ、上昇値および下降値、バーストパルス・パラメータ、波形形状、または位相間間隔のうちの少なくとも１つにおいて異なる、請求項５０に記載の装置。
【請求項５３】
前記複数の異なる刺激プログラムは、下垂足支援プログラム、リハビリテーション・プログラム、回復プログラム、リラクセーション・プログラム、または改善性能プログラムを含む、請求項５０に記載の装置。
【請求項５４】
前記中央本体は１０センチメートルよりも小さいかまたは１０センチメートルに等しい最大寸法を有する、請求項３２に記載の装置。
【請求項５５】
前記中央本体は３０グラムよりも小さいかまたは３０グラムに等しい重量を有する、請求項３２に記載の装置。
【請求項５６】
モバイル装置に対して通信するよう構成されている、請求項３２に記載の装置。
【請求項５７】
前記刺激プログラムは前記モバイル装置からアップロードされる、請求項５６に記載の装置。
【請求項５８】
前記中央本体は有線接続を介して前記１つまたは複数のパッドに対してインターフェース接続する、請求項３２に記載の装置。
【請求項５９】
請求項１〜請求項５８のうちのいずれか１項に記載の装置と、
前記装置のうちの２つ以上を前記ユーザ上に適切に配置するための指示書と
を含むキット。
【請求項６０】
ユーザを刺激するためのシステムであって、
刺激プログラムを実行するよう構成された処理ユニット、および、
前記処理ユニットに対して動作可能に連結されたパルス発生装置であって、前記刺激プログラムに応答して第１セットの電気的インパルスを発生するよう構成されたパルス発生装置
を含む第１中央本体であって、
通信チャネル上でコマンドをブロードキャストするよう構成された、
第１中央本体と、
前記第１中央本体に実質的に類似した第２中央本体であって、前記通信チャネル上で前記ブロードキャストコマンドを受け取り、それに応答して電気的インパルスを発生するよう構成された第２中央本体と、
前記第１中央本体に対してまたは前記第２中央本体に対して通信する１つまたは複数のパッドであって、前記ユーザに取り付けられるよう、かつ、前記電気パルスを伝達し、それにより前記刺激プログラムにしたがって前記ユーザを刺激するよう、構成された、１つまたは複数のパッドと
を含む、システム。
【請求項６１】
ユーザを刺激するための方法であって、
前記ユーザ上の第１場所上に第１中央本体を配置することと、
前記第１中央本体に実質的に類似した第２中央本体を前記ユーザ上の第２場所上に配置することと、
前記第１中央本体上に搭載された処理ユニットの支援を用いて刺激プログラムを実行することと、
前記第１中央本体の支援を用いて通信チャネル上でコマンドをブロードキャストすることと、
前記コマンドを前記第２中央本体において受け取ることと、
パルス発生装置の支援を用いて前記刺激プログラムに応答して電気的インパルスを発生することと、
前記１つまたは複数のパッドの支援を用いて前記電気パルスを前記ユーザに伝達し、それにより前記ユーザを刺激することと
を含む、方法。
【請求項６２】
刺激作業を追跡および更新するためのシステムであって、
１つまたは複数の刺激プログラムを提供するよう構成されたサーバと、
前記サーバから前記１つまたは複数の刺激プログラムを受け取るよう構成されたモバイル装置と、
１）前記モバイル装置から刺激プログラムを受け取るよう、２）前記刺激プログラムを実行するよう、かつ、３）電気パルスを発生するよう、構成された中央本体、
を含む電気的刺激装置と、
前記中央本体に対して通信する１つまたは複数のパッドであって、ａ）前記ユーザに取り付けられるよう、かつ、ｂ）前記電気パルスを使用し、それにより前記１つまたは複数の刺激プログラムにしたがって前記ユーザを刺激するよう、構成された１つまたは複数のパッドと
を含み、
前記中央本体は、前記実行された刺激プログラムに関するデータを記録するよう、かつ、前記データを、前記モバイル装置を介して前記サーバにアップロードするよう、構成されている、
システム。
【請求項６３】
前記サーバは、カスタマイズ化された刺激プログラムを前記ユーザが開発するためのプラットフォームを提供するよう構成されている、請求項６２に記載のシステム。
【請求項６４】
前記データは、使用される刺激パラメータ、中央本体の一意的な特定、または全体的刺激作業時間を含む、請求項６２に記載のシステム。
【請求項６５】
前記カスタムユーザ刺激プログラムは前記サーバにアップロードされ得る、請求項６２に記載のシステム。
【請求項６６】
前記サーバは前記ユーザに対する前記アップロードされたデータを記録および追跡するよう構成されている、請求項６２に記載のシステム。
【請求項６７】
前記サーバは前記ユーザに対する前記アップロードされたデータの表示を提供するよう構成されている、請求項６６に記載のシステム。
【請求項６８】
前記中央本体は複数の異なる刺激プログラムを実行するよう構成されている、請求項６２に記載のシステム。
【請求項６９】
前記複数の異なる刺激プログラムは前記サーバにおいてユーザによる設定が可能である、請求項６８に記載のシステム。
【請求項７０】
前記複数の異なる刺激プログラムは、刺激周波数、パルス幅、デューティサイクル・パラメータ、上昇値および下降値、バーストパルス・パラメータ、波形形状、または位相間間隔のうちの少なくとも１つにおいて異なる、請求項６８に記載のシステム。
【請求項７１】
前記複数の異なる刺激プログラムは、下垂足支援プログラム、リハビリテーション・プログラム、回復プログラム、リラクセーション・プログラム、または改善性能プログラムを含む、請求項６８に記載のシステム。
【請求項７２】
前記中央本体は１０センチメートルに等しいかまたは１０センチメートルよりも小さい最大寸法を有する、請求項６２に記載のシステム。
【請求項７３】
前記中央本体は３０グラムに等しいかまたは３０グラムよりも小さい重量を有する、請求項６２に記載のシステム。
【請求項７４】
前記中央本体は有線接続を介して前記１つまたは複数のパッドに対してインターフェース接続する、請求項６２に記載のシステム。
【請求項７５】
ユーザを刺激するための方法であって、
サーバにより提供された１つまたは複数の刺激プログラムをモバイル装置において受け取ることと、
前記モバイル装置から前記１つまたは複数の刺激プログラムを中央本体において受け取ることと、
前記刺激プログラムを前記中央本体において実行することと、
電気パルスを前記中央本体において発生することと、
前記１つまたは複数のパッドの支援を用いて前記電気パルスを前記ユーザに伝達し、それにより前記１つまたは複数の刺激プログラムにしたがって前記ユーザを刺激することと、
前記実行された刺激プログラムに関するデータを記録することと、
前記モバイル装置を介して前記データを前記サーバにアップロードすることと
を含む、方法。
【請求項７６】
前記１つまたは複数の刺激プログラムをモバイル装置において受け取ることの前に、前記１つまたは複数の刺激プログラムは第２ユーザにより前記サーバ上に格納される、請求項７５に記載の方法。
【請求項７７】
前記第２ユーザはサービス提供者である、請求項７６に記載の方法。
【請求項７８】
前記サービス提供者はヘルスケア提供者である、請求項７７に記載の方法。
【請求項７９】
前記データを監視することをさらに含み、前記データは前記第２ユーザにより監視される、請求項７６に記載の方法。
【請求項８０】
請求項１〜請求項２２のうちのいずれか１項に記載の装置のうちのいずれか１つの装置を使用してユーザを刺激することを含む、ユーザを刺激する方法。
【請求項８１】
前記ユーザが前記刺激プログラムを選択するモバイル装置と、
前記刺激プログラムが実行される、請求項１〜請求項２２のうちのいずれか１項に記載の装置のうちのいずれか１つの装置と
を含む、ユーザを刺激するためのシステム。
【請求項８２】
請求項３２〜請求項５８のうちのいずれか１項に記載の装置のうちのいずれか１つの装置を使用して前記ユーザを刺激することを含む、ユーザを刺激するための方法。
【請求項８３】
請求項３２〜請求項５８のうちのいずれか１項に記載の装置のうちのいずれか１つの装置と、
前記中央本体に実質的に類似した前記１つまたは複数の他の本体と
を含む、ユーザを刺激するためのシステム。
【請求項８４】
請求項６２〜請求項７４のうちのいずれか１項に記載のシステムのうちのいずれか１つのシステムを使用して前記ユーザを刺激することを含む、ユーザを刺激するための方法。
【請求項８５】
ユーザに電気的刺激を提供するためのシステムであって、
ａ．（ｉ）１つまたは複数のアプリケーションプログラムインターフェース（ＡＰＩ）を介して１つまたは複数のアプリケーションプログラムに対して通信し、それにより前記ユーザに関する情報を取得するよう、
（ｉｉ）前記ユーザに関する情報を解析するよう、
（ｉｉｉ）前記解析に基づいて前記ユーザに対する調製済み刺激プログラムを生成するよう、かつ、
（ｉｖ）前記調製済み刺激プログラムを実行するよう、
個別的にまたは集合的に構成された、１つまたは複数のプロセッサと、
ｂ．前記刺激プログラムの実行に応答して電気パルスを発生するよう構成されたパルス発生装置と、
ｃ．前記パルス発生装置に対して通信する１つまたは複数のパッドであって、前記ユーザに取り付けられるよう、かつ、前記電気パルスを伝達し、それにより前記ユーザを刺激するよう、構成された、１つまたは複数のパッドと
を含む、システム。
【請求項８６】
前記１つまたは複数のプロセッサはモバイル装置上に配置されている、請求項８５に記載のシステム。
【請求項８７】
前記モバイル装置は、セル電話、タブレット、ＰＤＡ、スマートフォン、スマートウォッチ、または着用可能計算装置を含む、請求項８６に記載のシステム。
【請求項８８】
前記１つまたは複数プロセッサは、前記調製済み刺激プログラムを実行する前に、前記調製済み刺激プログラムを推薦し、前記ユーザからの確認を受け取るよう構成されている、請求項８５に記載のシステム。
【請求項８９】
前記（ａ）の通信はＡＰＩコールを含む、請求項８５に記載のシステム。
【請求項９０】
前記ＡＰＩコールは前記１つまたは複数のアプリケーションプログラムのうちの少なくとも１つのアプリケーションプログラムを使用して実行される、請求項８９に記載のシステム。
【請求項９１】
前記ＡＰＩコールはサーバを使用して実行される、請求項８９に記載のシステム。
【請求項９２】
前記サーバと前記１つまたは複数のプログラムアプリケーションとの間の通信はプッシュ配信を含む、請求項９１に記載のシステム。
【請求項９３】
前記１つまたは複数のアプリケーションプログラムはモバイル装置上で実行可能である、請求項８５に記載のシステム。
【請求項９４】
前記１つまたは複数のアプリケーションプログラムはサードパーティ製プログラムを含む、請求項８５に記載のシステム。
【請求項９５】
前記サードパーティ製プログラムは前記ユーザにリンクされる、請求項９４に記載のシステム。
【請求項９６】
前記１つまたは複数のＡＰＩは健康および／またはフィットネスに関連するＡＰＩを含む、請求項８５に記載のシステム。
【請求項９７】
前記健康および／またはフィットネスに関連するＡＰＩは、Ａｐｐｌｅ  Ｈｅａｌｔｈ、Ｆｉｔｂｉｔ、Ｇｏｏｇｌｅ  Ｆｉｔ、ＪａｗＢｏｎｅ  Ｕｐ、ＭａｐＭｙＦｉｔｎｅｓｓ、Ｍｉｎｄ  Ｂｏｄｙ、Ｍｏｖｅｓ、Ｎｉｋｅ＋、ＲｕｎＫｅｅｐｅｒ、Ｓｔｒａｖａ、Ｕｎｄｅｒ  Ａｒｍｏｕｒ  Ｃｏｎｎｅｃｔｅｄ  Ｆｉｔ、Ｗａｈｏｏ  Ｆｉｔｎｅｓｓ、Ｗｉｔｈｉｎｇｓ、およびＷｏｄｉｆｙからなる群より選択される、請求項９６に記載のシステム。
【請求項９８】
前記ユーザに関する前記情報は、前記ユーザの場所に、または前記ユーザの場所変化に、関する情報を含む、請求項８５に記載のシステム。
【請求項９９】
前記ユーザに関する前記情報は、前記ユーザの活動に関する情報を含む、請求項８５に記載のシステム。
【請求項１００】
前記ユーザの前記活動は前記ユーザにより取られた歩数に関する、請求項９９に記載のシステム。
【請求項１０１】
前記ユーザの前記活動は前記ユーザにより経験される加速度に関する、請求項９９に記載のシステム。
【請求項１０２】
前記ユーザの前記活動は前記ユーザによる電話使用期間に関する、請求項９９に記載のシステム。
【請求項１０３】
前記ユーザの前記活動は前記ユーザにより実行された活動の種類に関する、請求項９９に記載のシステム。
【請求項１０４】
前記ユーザにより実行された前記活動の種類は、ウォーキング、ランニング、サイクリング、ウエイトリフティング、ハイキング、クライミング、およびスイミングからなる群より選択される少なくとも１つを含む、請求項１０３に記載のシステム。
【請求項１０５】
前記ユーザの前記活動は消費されたカロリー数に関する、請求項９９に記載のシステム。
【請求項１０６】
前記ユーザの前記活動はバイタルサインに関する、請求項９９に記載のシステム。
【請求項１０７】
前記バイタルサインは、体温、血圧、心拍数、および呼吸速度からなる群より選択された少なくとも１つであり得る、請求項１０６に記載のシステム。
【請求項１０８】
前記ユーザの前記活動は前記ユーザにより取られた経路に関する、請求項９９に記載のシステム。
【請求項１０９】
前記ユーザの前記活動は前記ユーザにより実行されるワークアウトルーチンに関する、請求項９９に記載のシステム。
【請求項１１０】
前記ワークアウトルーチンは、反復の回数および反復のセット数からなる群より選択された少なくとも１つを含む、請求項１０９に記載のシステム。
【請求項１１１】
前記ユーザに関する前記情報は前記ユーザの健康に関する情報を含む、請求項８５に記載のシステム。
【請求項１１２】
前記ユーザの前記健康に関する前記情報は前記ユーザの健康記録を含む、請求項１１１に記載のシステム。
【請求項１１３】
前記ユーザの前記健康に関する前記情報は前記ユーザの体重または前記ユーザのボディマス指数（ＢＭＩ）を含む、請求項１１１に記載のシステム。
【請求項１１４】
前記ユーザに関する前記情報は前記ユーザにより利用されるサードパーティ製装置により取得された情報を含む、請求項８５に記載のシステム。
【請求項１１５】
前記調製済み刺激プログラムは１つまたは複数の他の刺激プログラムとともに生成される、請求項８５に記載のシステム。
【請求項１１６】
前記調製済み刺激プログラムを実行する前、および前記調製済み刺激プログラムを生産した後に、前記ユーザからの前記調製済み刺激プログラムの選択を前記ユーザから受け取るよう、さらに構成されている、請求項８５に記載のシステム。
【請求項１１７】
前記調製済み刺激プログラムは複数の異なる刺激プログラムから選択される、請求項８５に記載のシステム。
【請求項１１８】
前記複数の異なる刺激プログラムのうちの２つ以上の刺激プログラムは、刺激周波数、パルス幅、デューティサイクル・パラメータ、上昇値および下降値、またはバーストパルス・パラメータのうちの少なくとも１つにおいて異なる、請求項１１７に記載のシステム。
【請求項１１９】
前記複数の異なる刺激プログラムは、下垂足支援プログラム、リハビリテーション・プログラム、回復プログラム、リラクセーション・プログラム、または改善性能プログラムのうちの１つまたは複数を含む、請求項１１７に記載のシステム。
【請求項１２０】
前記パルス発生装置は有線接続を介して前記１つまたは複数のパッドに対してインターフェース接続する、請求項８５に記載のシステム。
【請求項１２１】
前記ユーザを刺激するための前記電気パルスの前記伝達は前記ユーザの状態を改善する、請求項８５に記載のシステム。
【請求項１２２】
ユーザに電気的刺激を提供するための方法であって、
ａ．１つまたは複数のプロセッサの支援を用いて、個別的にまたは集合的に、
（ｉ）１つまたは複数のアプリケーションプログラムインターフェース（ＡＰＩ）を介して１つまたは複数のアプリケーションプログラムに対して通信し、それにより前記ユーザに関する情報を取得し、
（ｉｉ）前記ユーザに関する前記情報を解析し、
（ｉｉｉ）前記解析に基づいて前記ユーザに対する調製済み刺激プログラムを生成し、
（ｉｖ）前記調製済み刺激プログラムを実行することと、
ｂ．前記刺激プログラムの実行に応答してパルス発生装置の支援を用いて電気パルスを発生することと、
ｃ．前記ユーザに取り付けられ、かつ、前記パルス発生装置に対して通信する、１つまたは複数のパッドを用いて前記電気パルスを伝達し、それにより前記ユーザを刺激することと
を含む、方法。
【請求項１２３】
前記１つまたは複数のプロセッサはモバイル装置上に配置されている、請求項１２２に記載の方法。
【請求項１２４】
前記モバイル装置はセル電話、タブレット、またはＰＤＡを含む、請求項１２３に記載の方法。
【請求項１２５】
前記１つまたは複数のプロセッサは、前記調製済み刺激プログラムを実行する前に、前記調製済み刺激プログラムを推薦し、前記ユーザから確認を受け取るよう構成されている、請求項１２２に記載の方法。
【請求項１２６】
前記（ａ）の通信はＡＰＩコールを含む、請求項１２２に記載の方法。
【請求項１２７】
前記ＡＰＩコールは前記１つまたは複数のアプリケーションプログラムのうちの少なくとも１つのアプリケーションプログラムを使用して実行される、請求項１２６に記載の方法。
【請求項１２８】
前記ＡＰＩコールはサーバを使用して実行される、請求項１２６に記載の方法。
【請求項１２９】
前記サーバと前記１つまたは複数のアプリケーションプログラムとの間の通信はプッシュ配信を含む、請求項１２８に記載の方法。
【請求項１３０】
前記１つまたは複数のアプリケーションプログラムはモバイル装置上で実行可能である、請求項１２２に記載の方法。
【請求項１３１】
前記１つまたは複数のアプリケーションプログラムはサードパーティ製プログラムを含む、請求項１２２に記載の方法。
【請求項１３２】
前記サードパーティ製プログラムは前記ユーザにリンクされる、請求項１３１に記載の方法。
【請求項１３３】
前記１つまたは複数のＡＰＩは健康および／またはフィットネスに関連するＡＰＩを含む、請求項１２２に記載の方法。
【請求項１３４】
前記健康および／またはフィットネスに関連するＡＰＩは、Ａｐｐｌｅ  Ｈｅａｌｔｈ、Ｆｉｔｂｉｔ、Ｇｏｏｇｌｅ  Ｆｉｔ、ＪａｗＢｏｎｅ  Ｕｐ、ＭａｐＭｙＦｉｔｎｅｓｓ、Ｍｉｎｄ  Ｂｏｄｙ、Ｍｏｖｅｓ、Ｎｉｋｅ＋、ＲｕｎＫｅｅｐｅｒ、Ｓｔｒａｖａ、Ｕｎｄｅｒ  Ａｒｍｏｕｒ  Ｃｏｎｎｅｃｔｅｄ  Ｆｉｔ、Ｗａｈｏｏ  Ｆｉｔｎｅｓｓ、Ｗｉｔｈｉｎｇｓ、およびＷｏｄｉｆｙからなる群より選択される、請求項１３３に記載の方法。
【請求項１３５】
前記ユーザに関する前記情報は、前記ユーザの場所に、または前記ユーザの場所における変化に、関する情報を含む、請求項１２２に記載の方法。
【請求項１３６】
前記ユーザに関する前記情報は、前記ユーザの活動に関する情報を含む、請求項１２２に記載の方法。
【請求項１３７】
前記ユーザの前記活動は前記ユーザにより取られた歩数に関する、請求項１３６に記載の方法。
【請求項１３８】
前記ユーザの前記活動は前記ユーザにより経験される加速度に関する、請求項１３６に記載の方法。
【請求項１３９】
前記ユーザの前記活動は前記ユーザによる電話使用期間に関する、請求項１３６に記載の方法。
【請求項１４０】
前記ユーザの前記活動は前記ユーザにより実行された活動の種類に関する、請求項１３６に記載の方法。
【請求項１４１】
前記ユーザにより実行された前記活動の種類は、ウォーキング、ランニング、サイクリング、ウエイトリフティング、ハイキング、クライミング、およびスイミングからなる群より選択される少なくとも１つを含む、請求項１４０に記載の方法。
【請求項１４２】
前記ユーザの前記活動は消費されたカロリー数に関する、請求項１３６に記載の方法。
【請求項１４３】
前記ユーザの前記活動はバイタルサインに関する、請求項１３６に記載の方法。
【請求項１４４】
前記バイタルサインは、体温、血圧、心拍数、および呼吸速度からなる群より選択された少なくとも１つであり得る、請求項１４３に記載の方法。
【請求項１４５】
前記ユーザの前記活動は前記ユーザにより取られた経路に関する、請求項１３６に記載の方法。
【請求項１４６】
前記ユーザの前記活動は前記ユーザにより実行されるワークアウトルーチンに関する、請求項１３６に記載の方法。
【請求項１４７】
前記ワークアウトルーチンは、反復の回数および反復のセット数からなる群より選択された少なくとも１つを含む、請求項１４６に記載の方法。
【請求項１４８】
前記ユーザに関する前記情報は、前記ユーザの健康に関する情報を含む、請求項１２２に記載の方法。
【請求項１４９】
前記ユーザの前記健康に関する前記情報は前記ユーザの健康記録を含む、請求項１４８に記載の方法。
【請求項１５０】
前記ユーザの前記健康に関する前記情報は前記ユーザの体重を含む、請求項１４８に記載の方法。
【請求項１５１】
前記ユーザに関する前記情報は前記ユーザにより利用されるサードパーティ製装置により取得された情報を含む、請求項１２２に記載の方法。
【請求項１５２】
前記調製済み刺激プログラムは１つまたは複数の他の刺激プログラムとともに生成される、請求項１２２に記載の方法。
【請求項１５３】
前記ユーザに対する前記調製済み刺激プログラムが生産された後、前記調製済み刺激プログラムを実行する前に、前記ユーザからの前記調製済み刺激プログラムの選択を前記ユーザから受け取ることをさらに含む、請求項１２２に記載の方法。
【請求項１５４】
前記調製済み刺激プログラムは複数の異なる刺激プログラムから選択される、請求項１２２に記載の方法。
【請求項１５５】
前記複数の異なる刺激プログラムのうちの２つ以上の刺激プログラムは、刺激周波数、パルス幅、デューティサイクル・パラメータ、上昇値および下降値、またはバーストパルス・パラメータのうちの少なくとも１つにおいて異なる、請求項１５４に記載の方法。
【請求項１５６】
前記複数の異なる刺激プログラムは、下垂足支援プログラム、リハビリテーション・プログラム、回復プログラム、リラクセーション・プログラム、または改善性能プログラムのうちの１つまたは複数を含む、請求項１５４に記載の方法。
【請求項１５７】
前記パルス発生装置は有線接続を介して前記１つまたは複数のパッドに対してインターフェース接続する、請求項１２２に記載の方法。
【請求項１５８】
前記ユーザを刺激するための前記電気パルスの前記伝達は前記ユーザの状態を改善する、請求項１２２に記載の方法。
【請求項１５９】
ユーザを刺激するための電気的刺激装置であって、
ａ．（ｉ）刺激プログラムを実行するよう構成された処理ユニット、
（ｉｉ）前記刺激プログラムに応答して電気パルスを発生するよう構成されたパルス発生装置、および、
（ｉｉｉ）前記中央本体の外部表面上でアクセス可能なユーザインターフェースであって、入力の度合いに応じて２つ以上の異なる方法で前記刺激プログラムの状態に影響を及ぼすよう構成された作動可能機構を含む、ユーザインターフェース、
を含む中央本体と、
ｂ．前記中央本体に対して通信する１つまたは複数のパッドであって、前記ユーザに取り付けられるよう、かつ、前記刺激プログラムの前記状態に応じて前記電気パルスを伝達するよう、構成された、１つまたは複数のパッドと
を含む、電気的刺激装置。
【請求項１６０】
前記中央本体は１０センチメートルに等しいかまたは１０センチメートルよりも小さい最大寸法を有する、請求項１５９に記載の装置。
【請求項１６１】
前記中央本体は３０グラムに等しいかまたは３０グラムよりも小さい重量を有する、請求項１５９に記載の装置。
【請求項１６２】
前記中央本体は有線接続を介して前記１つまたは複数のパッドに対してインターフェース接続する、請求項１５９に記載の装置。
【請求項１６３】
前記処理ユニットは複数の異なる刺激プログラムを実行するよう構成されている、請求項１５９に記載の装置。
【請求項１６４】
モバイル装置をさらに含む、請求項１５９に記載の方法。
【請求項１６５】
前記モバイル装置に対して通信するよう構成されている、請求項１６４に記載の装置。
【請求項１６６】
前記ユーザは前記モバイル装置上で前記刺激プログラムを選択する、請求項１６４に記載の装置。
【請求項１６７】
前記刺激プログラムは前記モバイル装置からアップロードされる、請求項１６４に記載の装置。
【請求項１６８】
前記ユーザインターフェースは単一の作動可能機構を含む、請求項１５９に記載の装置。
【請求項１６９】
前記単一の作動可能機構の作動は複数の異なる刺激プログラム間でサイクルする、請求項１６８に記載の装置。
【請求項１７０】
前記複数の異なる刺激プログラムはユーザによる設定が可能である、請求項１６９に記載の装置。
【請求項１７１】
前記複数の異なる刺激プログラムのうちの２つ以上の刺激プログラムは、刺激周波数、パルス幅、デューティサイクル・パラメータ、上昇値および下降値、またはバーストパルス・パラメータのうちの少なくとも１つにおいて異なる、請求項１６９に記載の装置。
【請求項１７２】
前記複数の異なる刺激プログラムは、下垂足支援プログラム、リハビリテーション・プログラム、回復プログラム、リラクセーション・プログラム、または改善性能プログラムのうちの１つまたは複数を含む、請求項１６９に記載の装置。
【請求項１７３】
前記作動可能機構は押下可能機構を含む、請求項１５９に記載の装置。
【請求項１７４】
前記押下可能機構はボタンを含む、請求項１７３に記載の装置。
【請求項１７５】
前記作動可能機構は摺動可能機構を含む、請求項１５９に記載の装置。
【請求項１７６】
前記作動可能機構は回転可能機構を含む、請求項１５９に記載の装置。
【請求項１７７】
前記作動可能機構は実質的に前記外部表面の中心に配置されている、請求項１５９に記載の装置。
【請求項１７８】
前記作動可能機構の作動は前記刺激プログラムを停止および／または再開させる、請求項１５９に記載の装置。
【請求項１７９】
前記作動可能機構の作動は前記刺激プログラムの強度を増加および／または減少させる、請求項１５９に記載の装置。
【請求項１８０】
前記作動可能機構の作動は前記電気的刺激装置を有効化および／または無効化させる、請求項１５９に記載の装置。
【請求項１８１】
前記作動可能機構の作動は、前記入力の度合いに応じて４つ以上の異なる方法で前記刺激プログラムの前記状態に影響を及ぼすよう構成されている、請求項１５９に記載の装置。
【請求項１８２】
前記４つ以上の異なる方法は、前記刺激プログラムの停止、前記刺激プログラムの再開、前記刺激プログラムの強度の増加、および前記刺激プログラムの前記強度の減少を含む、請求項１８１に記載の装置。
【請求項１８３】
前記入力の度合いは前記入力の期間である、請求項１５９の装置。
【請求項１８４】
前記入力の度合いは前記入力に対して作用された力である、請求項１５９の装置。
【請求項１８５】
前記入力の度合いは前記入力の方向である、請求項１５９の装置。
【請求項１８６】
入力は前記作動可能機構の作動を含む、請求項１８３〜請求項１８５のうちのいずれか１項に記載の装置。
【請求項１８７】
ユーザを刺激するための方法であって、
ａ．モバイルデバイスからの刺激プログラムを中央本体において受け取ることと、
ｂ．前記中央本体の処理ユニットにおいて前記刺激プログラムを実行することと、
ｃ．前記刺激プログラムに応答して前記中央本体のパルス発生装置において電気パルスを発生することと、
ｄ．前記ユーザに取り付けられ、かつ、前記中央本体に対して通信する、１つまたは複数のパッドにおいて、前記電気パルスを伝達し、それにより前記伝達された電気パルスを用いて前記ユーザを刺激することと、
ｅ．作動可能機構を含むユーザインターフェースにおける入力の度合いに応じて２つ以上の異なる方法で刺激プログラムの状態に影響を及ぼすことと
を含む、方法。
【請求項１８８】
前記中央本体は１０センチメートルに等しいかまたは１０センチメートルよりも小さい最大寸法を有する、請求項１８７に記載の方法。
【請求項１８９】
前記中央本体は３０グラムに等しいかまたは３０グラムよりも小さい重量を有する、請求項１８７に記載の方法。
【請求項１９０】
前記中央本体は有線接続を介して前記１つまたは複数のパッドに対してインターフェース接続する、請求項１８７に記載の方法。
【請求項１９１】
前記処理ユニットは複数の異なる刺激プログラムを実行するよう構成されている、請求項１８７に記載の方法。
【請求項１９２】
前記モバイル装置から前記刺激プログラムを受け取る前に前記ユーザにより前記モバイル装置上で前記刺激プログラムを選択することをさらに含む、請求項１８７に記載の方法。
【請求項１９３】
前記刺激プログラムは前記モバイル装置からアップロードされる、請求項１８７に記載の方法。
【請求項１９４】
前記入力の度合いは前記入力の期間を含む、請求項１８７の方法。
【請求項１９５】
前記入力の度合いは前記入力に対して作用された力を含む、請求項１８７の方法。
【請求項１９６】
前記入力の度合いは前記入力の方向を含む、請求項１８７の方法。
【請求項１９７】
入力は前記作動可能機構の作動を含む、請求項１９４〜請求項１９６のうちのいずれか１項に記載の方法。
【請求項１９８】
前記ユーザインターフェースは単一の作動可能機構を含む、請求項１８７に記載の方法。
【請求項１９９】
前記単一の作動可能機構の作動は複数の異なる刺激プログラム間でサイクルする、請求項１９８に記載の装置。
【請求項２００】
前記複数の異なる刺激プログラムはユーザによる設定が可能である、請求項１９９に記載の方法。
【請求項２０１】
前記複数の異なる刺激プログラムのうちの２つ以上の刺激プログラムは、刺激周波数、パルス幅、デューティサイクル・パラメータ、上昇値および下降値、またはバーストパルス・パラメータのうちの少なくとも１つにおいて異なる、請求項１９９に記載の方法。
【請求項２０２】
前記複数の異なる刺激プログラムは、下垂足支援プログラム、リハビリテーション・プログラム、回復プログラム、リラクセーション・プログラム、または改善性能プログラムのうちの１つまたは複数を含む、請求項１９９に記載の方法。
【請求項２０３】
前記作動可能機構は押下可能機構を含む、請求項１８７に記載の方法。
【請求項２０４】
前記押下可能機構はボタンを含む、請求項２０３に記載の方法。
【請求項２０５】
前記作動可能機構は摺動可能機構を含む、請求項１８７に記載の方法。
【請求項２０６】
前記作動可能機構は回転可能機構を含む、請求項１８７に記載の方法。
【請求項２０７】
前記作動可能機構は実質的に前記外部表面の中心に配置されている、請求項１８７に記載の方法。
【請求項２０８】
前記作動可能機構の作動は前記刺激プログラムを停止および／または再開させる、請求項１８７に記載の方法。
【請求項２０９】
前記作動可能機構の作動は前記刺激プログラムの強度を増加および／または減少させる、請求項１８７に記載の方法。
【請求項２１０】
前記作動可能機構の作動は前記刺激プログラムを有効化および／または無効化させる、請求項１８７に記載の方法。
【請求項２１１】
前記作動可能機構の作動は、前記入力の度合いに応じて４つ以上の異なる方法で前記刺激プログラムの前記状態に影響を及ぼすよう構成されている、請求項１８７に記載の方法。
【請求項２１２】
前記４つ以上の異なる方法は、前記刺激プログラムの停止、前記刺激プログラムの再開、前記刺激プログラムの強度の増加、および前記刺激プログラムの前記強度の減少を含む、請求項２１１に記載の方法。
【請求項２１３】
ユーザに電気的刺激を提供するためのシステムであって、
ａ．（ｉ）刺激プログラムに関する入力を受け取るよう、
（ｉｉ）前記刺激プログラムの１つまたは複数の刺激パラメータの値であって、前記刺激プログラムに対する事前定義された範囲から実質的にランダムに選択された値を処理するよう、
（ｉｉｉ）前記刺激プログラムを実行するよう、
個別的にまたは集合的に構成された、１つまたは複数のプロセッサと、
ｂ．前記刺激プログラムの実行に応答して電気パルスを発生するよう構成されたパルス発生装置と、
ｃ．中央本体に対して通信する１つまたは複数のパッドであって、前記ユーザに取り付けられるよう、かつ、前記電気パルスを伝達し、それにより前記ユーザを刺激するよう、構成された、１つまたは複数のパッドと
を含む、システム。
【請求項２１４】
モバイル装置をさらに含む、請求項２１３に記載のシステム。
【請求項２１５】
前記ユーザは前記モバイル装置上で前記刺激プログラムを選択する、請求項２１４に記載のシステム。
【請求項２１６】
前記１つまたは複数刺激プログラムは、刺激収縮周波数、休止周波数、刺激デューティサイクル、刺激パルス幅、刺激長さ、バーストパルス・パラメータ、上昇時間、および下降時間からなる群より選択される、請求項２１３に記載のシステム。
【請求項２１７】
前記事前定義された範囲はユーザによる設定が可能である、請求項２１３に記載のシステム。
【請求項２１８】
前記事前定義された範囲は前記刺激プログラムに対して事前設定される、請求項２１３に記載のシステム。
【請求項２１９】
前記刺激プログラムは５つ以上の刺激パラメータを含み、前記刺激パラメータの値は、前記刺激プログラムに対する前記事前定義された範囲からランダムに選択される、請求項２１３に記載のシステム。
【請求項２２０】
前記５つ以上の刺激パラメータの部分集合の値は前記刺激プログラムに対する前記事前定義された範囲からランダムに選択される、請求項２１９に記載のシステム。
【請求項２２１】
前記部分集合はランダムに選択される、請求項２２０に記載のシステム。
【請求項２２２】
前記１つまたは複数のプロセッサは複数の異なる刺激プログラムを実行するよう構成される、請求項２１３に記載のシステム。
【請求項２２３】
前記複数の異なる刺激プログラムは異なるレベルにカテゴリー化される、請求項２２２に記載のシステム。
【請求項２２４】
前記異なるレベルは３つ以上のレベルを含む、請求項２２３に記載のシステム。
【請求項２２５】
前記異なるレベルは事前定義された範囲を決定する、請求項２２３に記載のシステム。
【請求項２２６】
前記複数の異なる刺激プログラムはユーザによる設定が可能である、請求項２２２に記載のシステム。
【請求項２２７】
前記複数の異なる刺激プログラムのうちの２つ以上の刺激プログラムは、刺激周波数、パルス幅、デューティサイクル・パラメータ、上昇値および下降値、またはバーストパルス・パラメータのうちの少なくとも１つにおいて異なる、請求項２２２に記載のシステム。
【請求項２２８】
前記複数の異なる刺激プログラムは、下垂足支援プログラム、リハビリテーション・プログラム、回復プログラム、リラクセーション・プログラム、または改善性能プログラムを含む、請求項２２２に記載のシステム。
【請求項２２９】
前記中央本体は１０センチメートルに等しいかまたは１０センチメートルよりも小さい最大寸法を有する、請求項２１３に記載のシステム。
【請求項２３０】
前記中央本体は３０グラムに等しいかまたは３０グラムよりも小さい重量を有する、請求項２１３に記載のシステム。
【請求項２３１】
前記中央本体は有線接続を介して前記１つまたは複数のパッドに対してインターフェース接続する、請求項２１３に記載のシステム。
【請求項２３２】
ユーザを刺激するための方法であって、
ａ．１つまたは複数のプロセッサの支援を用いて、個別的にまたは集合的に、
（ｉ）刺激プログラムに関する入力を受け取ること、
（ｉｉ）前記刺激プログラムの１つまたは複数の刺激パラメータの値であって、前記刺激プログラムに対する事前定義された範囲から実質的にランダムに決定された値を処理すること、
（ｉｉｉ）前記刺激プログラムを実行すること、
を行うことと、
ｂ．前記刺激プログラムの実行に応答してパルス発生装置において電気パルスを発生することと、
ｃ．前記ユーザに取り付けられるよう構成され、かつ、中央本体に対して通信する、１つまたは複数のパッドにおいて、前記電気パルスを伝達し、それにより前記ユーザを刺激することと
を含む、方法。
【請求項２３３】
（ａ）の前に、前記ユーザにより前記モバイル装置上で前記刺激プログラムを選択することをさらに含む、請求項２３２に記載の方法。
【請求項２３４】
前記刺激プログラムを前記モバイル装置からアップロードすることをさらに含む、請求項２３２または請求項２３３に記載の方法。
【請求項２３５】
前記１つまたは複数刺激プログラムは、刺激収縮周波数、休止周波数、刺激デューティサイクル、刺激パルス幅、刺激長さ、バーストパルス・パラメータ、上昇時間、および下降時間からなる群より選択される、請求項２３２に記載の方法。
【請求項２３６】
前記事前定義された範囲はユーザによる設定が可能である、請求項２３２に記載の方法。
【請求項２３７】
前記事前定義された範囲は前記刺激プログラムに対して事前設定される、請求項２３２に記載の方法。
【請求項２３８】
前記刺激プログラムは５つ以上の刺激パラメータを含み、前記刺激パラメータの値は、前記刺激プログラムに対する前記事前定義された範囲からランダムに選択される、請求項２３２に記載の方法。
【請求項２３９】
前記５つ以上の刺激パラメータの部分集合の値は前記刺激プログラムに対する前記事前定義された範囲からランダムに選択される、請求項２３８に記載の方法。
【請求項２４０】
前記部分集合はランダムに選択される、請求項２３９に記載の方法。
【請求項２４１】
前記１つまたは複数のプロセッサは複数の異なる刺激プログラムを実行するよう構成される、請求項２３２に記載の方法。
【請求項２４２】
前記複数の異なる刺激プログラムは異なるレベルにカテゴリー化される、請求項２４１に記載の方法。
【請求項２４３】
前記異なるレベルは３つ以上のレベルを含む、請求項２４２に記載の方法。
【請求項２４４】
前記異なるレベルは事前定義された範囲を決定する、請求項２４２に記載の方法。
【請求項２４５】
前記複数の異なる刺激プログラムはユーザによる設定が可能である、請求項２４１に記載の方法。
【請求項２４６】
前記複数の異なる刺激プログラムは、刺激周波数、パルス幅、デューティサイクル・パラメータ、上昇値および下降値、バーストパルス・パラメータのうちの少なくとも１つにおいて異なる、請求項２４１に記載の方法。
【請求項２４７】
前記複数の異なる刺激プログラムは、下垂足支援プログラム、リハビリテーション・プログラム、回復プログラム、リラクセーション・プログラム、または改善性能プログラムを含む、請求項２４１に記載の方法。
【請求項２４８】
前記中央本体は１０センチメートルに等しいかまたは１０センチメートルよりも小さい最大寸法を有する、請求項２３２に記載の方法。
【請求項２４９】
前記中央本体は３０グラムに等しいかまたは３０グラムよりも小さい重量を有する、請求項２３２に記載の方法。
【請求項２５０】
前記中央本体は有線接続を介して前記１つまたは複数のパッドに対してインターフェース接続する、請求項２３２記載の方法。
【発明の詳細な説明】
【技術分野】
【０００１】
関連出願の相互参照
本出願は、２０１６年３月２２日に出願された米国仮特許出願第６２／３１１，８１１号、および２０１６年７月２５日に出願された米国仮特許出願第６２／３６６，２９９号の優先権を主張する。これらの特許のそれぞれは、本願で参照することにより、その全体が援用される。
【背景技術】
【０００２】
電気刺激装置は、治療、療法、リラクセーション、フィットネス、競技者能力強化、娯楽、その他における使用を含む、広範な現実的用途を有する。例えば、電極がユーザに取り付けられ、電気刺激装置がユーザにインパルスを伝達すると、例えばちょうど運動時のように、ユーザの筋肉が刺激および係合され得る。多数の利益が提供される一方で、電気刺激装置の使用は、例えば、取り扱いが難しいため、操作が難しいため、および／または機能が制限されているために、制限されてきた。
【発明の概要】
【０００３】
本開示は、係る装置およびシステムを操作するにあたっての専門知識を有さないユーザを含む様々なユーザによる使用が可能である本格的な電気刺激の装置、システム、および方法を提供する。
【０００４】
現時点では、本開示で電気刺激装置および／または電気筋肉刺激（ＥＭＳ）装置とも呼ばれる電気的刺激装置は、本体（例えば電気的インパルスが発生される）と、本体に連結された複数の電極と、を利用し得る。いくつかの事例では、様々な刺激作業の実行（例えば、同時または逐次的）を可能にする能力を有する完全な機能を有するＥＭＳ装置は、巨大であるかまたは扱いにくく日常的な使用には適さない本体を含み得る。ポータブル型ＥＭＳ装置でさえも日常的な使用へと統合化されるにあたり好適である本体を有し得ない。例えば、ポータブル型ＥＭＳ装置は、ユーザによる取り扱いおよび調整が行われるよう意図された様々な制御を有する本体を有し得る。代替的にまたは追加的に、ポータブル型ＥＭＳ装置は、広範な刺激作業を同時におよび／または逐次的に実行する能力が欠如しており、その機能および／または応用において制限され得る。
【０００５】
したがって、日常的な使用への統合化が可能である本格的なＥＭＳ装置に対する必要性がここで認められる。スマートな外形を有するＥＭＳ装置が提供され得る。このＥＭＳ装置はポータブル型であり得る。このＥＭＳ装置は長期間にわたりユーザに取り付けられ得、例えば、複数の処理が可能となるよう、または、日常的に使用されるよう、衣服の下での着用が可能となるよう、その外形は小型であり得る。このＥＭＳ装置は追加的に様々なセンサを、装置上に、または装置内に、含み得る。いくつかの事例では、このＥＭＳ装置は、複数のＥＭＳ装置が、範囲において多様であるかまたは広範化された刺激作業を提供することが可能となるよう、装置間接続性が提供され得る。このＥＭＳ装置は、追加的に、刺激作業の管理または記録を実行するためのプラットフォームを利用し得る。
【０００６】
したがって一態様では、ユーザを刺激するための電気的刺激装置が提供され得る。この装置は、ユーザからの１つまたは複数の信号を検知するよう構成されたセンサを、（ｉ）刺激プログラムを実行するよう、かつ（ｉｉ）センサを使用し、それによりユーザからの１つまたは複数の信号を検出するよう、構成された処理ユニットを、および、処理ユニットに動作可能に連結されたパルス発生装置であって、刺激プログラムに応答して電気的インパルスを発生するよう構成された、パルス発生装置を、含む中央本体と、中央本体におけるパルス発生装置に電気連通する１つまたは複数のパッドであって、ユーザに取りつけられるよう、かつ電気パルスを伝達し、それにより刺激プログラムにしたがってユーザを刺激するよう、構成された、１つまたは複数パッドと、を含む。
【０００７】
いくつかの実施形態では、中央本体の処理ユニットは検知された信号を解析するようさらに構成される。いくつかの実施形態では、この解析は歩行または握力の解析に関する。所望により、中央本体の処理ユニットは、ユーザを刺激し、同時にまたは逐次的に検知された信号を解析するよう、構成される。
【０００８】
いくつかの実施形態では、センサ・システムにより検知される信号は筋音図（ＭＭＧ）表示値である。所望により、センサ・システムは加速度計またはジャイロスコープを含む。いくつかの実施形態では、ＭＭＧ表示値は筋肉能力パラメータの検出においてさらに利用される。いくつかの実施形態では、ＭＭＧ表示値は筋肉疲労のレベルを検出することにおいてさらに利用される。
【０００９】
いくつかの実施形態では、この装置は、基部ユニットに対して着脱可能に取り付けられるよう構成される。いくつかの実施形態では、基部ユニットは異なるターゲットに取り付けられるよう構成された異なる種類の基部ユニットを含む。所望により、異なるターゲットはユーザの膝、大腿部、または前腕を含む。いくつかの実施形態では、基部ユニットは１つまたは複数のストラップを含む。いくつかの実施形態では、基部ユニットは粘着部を含む。
【００１０】
いくつかの実施形態では、中央本体の処理ユニットは複数の異なる刺激プログラムを実行するよう構成される。所望により、複数の異なる刺激プログラムはユーザによる設定が可能である。いくつかの実施形態では、複数の異なる刺激プログラムは、刺激周波数、パルス幅、デューティサイクル・パラメータ、上昇値および下降値、バーストパルス・パラメータ、波形形状、または位相間間隔のうちの少なくとも１つにおいて異なる。いくつかの実施形態では、複数の異なる刺激プログラムは、下垂足支援プログラム、リハビリテーション・プログラム、回復プログラム、リラクセーション・プログラム、または改善性能プログラムを含む。
【００１１】
いくつかの実施形態では、中央本体は１０ｃｍに等しいかまたは１０ｃｍよりも小さい最大寸法を有する。いくつかの実施形態では、中央本体は３０グラムに等しいかまたは３０グラムよりも小さい重量を有する。
【００１２】
いくつかの実施形態では、この装置はモバイル装置に対して通信するよう構成される。いくつかの実施形態では、刺激プログラムはモバイル装置からアップロードされる。いくつかの実施形態では、中央本体は有線接続を介して１つまたは複数のパッドに対してインターフェース接続する。
【００１３】
いくつかの実施形態では、この装置はユーザを刺激するためのキットにおいて提供され得る。このキットは、本明細書で記載の装置のいずれか１つの装置と、ユーザに対してこの装置を適切に配置するための指示書と、を含み得る。いくつかの実施形態では、指示書は、ユーザの必要に応じてこの装置を複数の異なる位置に適切に配置することを含む。いくつかの実施形態では、複数の異なる位置に適切に配置することは、この装置をユーザの膝、大腿部、または前腕に配置することを含む。
【００１４】
いくつかの実施形態では、この装置はユーザを刺激するためのキットにおいて提供され得る。このキットは、本明細書で記載の装置のいずれか１つの装置と、刺激プログラムを選択し、その刺激プログラムに応じてこの装置を適切に配置するための指示書と、を含み得る。いくつかの実施形態では、刺激プログラムは下垂足支援プログラムであり、この装置の適切な配置はユーザの腓骨神経またはふくらはぎ筋の上またはその近傍である。いくつかの実施形態では、刺激プログラムは大腿部リハビリプログラムであり、この装置の適切な配置はユーザのクワッド（ｑｕａｄ）またはハムストリング筋上である。いくつかの実施形態では、刺激プログラムは手リハビリプログラムであり、この装置の適切な配置はユーザの前腕の上である。
【００１５】
他の態様では、ユーザを刺激するためのシステムが提供される。このシステムは、ユーザが刺激プログラムを選択するモバイル装置と、刺激プログラムが受け取られる中央本体であって、ユーザからの１つまたは複数の信号を検知するよう構成されたセンサを、（ｉ）刺激プログラムを実行するよう、かつ、（ｉｉ）センサを使用し、それにより、ユーザからの１つまたは複数の信号を検出するよう、構成された処理ユニットを、および、処理ユニットに対して動作可能に連結されたパルス発生装置であって、刺激プログラムに応答して電気的インパルスを発生するよう構成された、パルス発生装置を、含む中央本体と、中央本体におけるパルス発生装置に対して電気連通する１つまたは複数のパッドであって、ユーザに取り付けられるよう、かつ、電気パルスを使用し、それにより刺激プログラムにしたがってユーザを刺激するよう、構成された、複数のパッドと、を含む。
【００１６】
他の態様では、ユーザを刺激するための方法が提供される。この方法は、信号を検知するよう構成されたセンサ・システムを含む中央本体においてモバイル装置から刺激プログラムを受け取ることと、中央本体の処理ユニットにおいて刺激プログラムを実行することと、処理ユニットに対して動作可能に連結されたパルス発生装置において刺激プログラムに応答して電気的インパルスを発生することと、１）ユーザに取り付けられるよう、かつ、２）中央本体に対して連通するよう、構成された１つまたは複数のパッドにおいて、電気パルスを伝達し、それにより刺激プログラムにしたがってユーザを刺激することと、を含む。
【００１７】
他の態様では、ユーザを刺激するための電気的刺激装置が提供される。この装置は、刺激プログラムを実行するよう構成された処理ユニットを、および、処理ユニットに動作可能に連結されたパルス発生装置であって、刺激プログラムに応答して電気的インパルスを発生するよう構成されたパルス発生装置を、含む中央本体であって、１）通信チャネル上でコマンドをブロードキャストするよう、かつ２）中央本体に実質的に類似した１つまたは複数の他の本体であって、通信チャネル上でブロードキャストコマンドを受け取り、それに応答して電気的インパルスを発生するよう構成された１つまたは複数の本体に対して通信するよう、構成された中央本体と、中央本体に対して、または１つもしくは複数の他の本体に対して、通信する１つまたは複数のパッドであって、ユーザに取り付けられるよう、かつ、電気パルスを伝達し、それにより刺激プログラムにしたがってユーザを刺激するよう、構成された、１つまたは複数のパッドと、を含む。
【００１８】
いくつかの実施形態では、１つまたは複数の他の本体のうちの各本体は形状またはサイズにおいて中央本体に実質的に類似する。代替的にまたは追加的に、１つまたは複数の他の本体のうちの各本体は、中央本体の内部電気構成部品に実質的に類似する内部電気構成部品を含む。
【００１９】
いくつかの実施形態では、中央本体は、刺激プログラムを実行することの結果として通信チャネル上でコマンドをブロードキャストするよう構成される。
【００２０】
いくつかの実施形態では、この装置はモバイル装置に対して通信するよう構成される。いくつかの実施形態では、１つまたは複数の他の処理本体はモバイル装置に対して直接的には通信しない。いくつかの実施形態では、刺激プログラムはモバイル装置からアップロードされる。
【００２１】
いくつかの実施形態では、中央本体はユーザ上の第１場所に配置されるよう構成され、１つまたは複数の処理本体はユーザ上の異なる場所に配置されるよう構成される。所望により、通信チャネルは無線周波数（ＲＦ）プロトコルを利用する。ＲＦプロトコルは、ＡＮＴ＋プロトコル、Ｇａｚｅｌｌプロトコル、またはＢｌｕｅｔｏｏｔｈ（登録商標）低エネルギープロトコルであり得る。
【００２２】
いくつかの実施形態では、１つまたは複数の他の本体は２つ以上の本体を含む。いくつかの実施形態では、２つ以上の本体の部分集合は単一の刺激プログラムにおいて利用される。
【００２３】
いくつかの実施形態では、中央本体は、複数のシミュレーション・プログラムを同時に実行するよう構成される。いくつかの実施形態では、１つまたは複数の他の本体の異なる部分集合は異なる刺激プログラムを同時に実行する。
【００２４】
いくつかの実施形態では、中央本体は基部ユニットに対して着脱可能に取り付けられるよう構成される。いくつかの実施形態では、基部ユニットは異なるターゲットに取り付けられるよう構成された異なる種類の基部ユニットを含む。いくつかの実施形態では、異なるターゲットはユーザの膝、大腿部、または前腕を含む。いくつかの実施形態では、基部ユニットは１つまたは複数のストラップを含む。いくつかの実施形態では、基部ユニットは粘着部を含む。
【００２５】
いくつかの実施形態では、処理ユニットは複数の異なる刺激プログラムを実行するよう構成される。いくつかの実施形態では、複数の異なる刺激プログラムはユーザによる設定が可能である。いくつかの実施形態では、複数の異なる刺激プログラムは、刺激周波数、パルス幅、デューティサイクル・パラメータ、上昇値および下降値、バーストパルス・パラメータ、波形形状、または位相間間隔のうちの少なくとも１つにおいて異なる。いくつかの実施形態では、複数の異なる刺激プログラムは、下垂足支援プログラム、リハビリテーション・プログラム、回復プログラム、リラクセーション・プログラム、または改善性能プログラムを含む。
【００２６】
いくつかの実施形態では、中央本体は１０ｃｍに等しいかまたは１０ｃｍよりも小さい最大寸法を有する。いくつかの実施形態では、中央本体は３０グラムに等しいかまたは３０グラムよりも小さい重量を有する。
【００２７】
いくつかの実施形態では、この装置はモバイル装置に対して通信するよう構成される。いくつかの実施形態では、刺激プログラムはモバイル装置からアップロードされる。
【００２８】
いくつかの実施形態では、中央本体は有線接続を介して１つまたは複数のパッドに対してインターフェース接続する。
【００２９】
いくつかの実施形態では、ユーザを刺激するためのキットが提供される。このキットは、本明細書で記載の装置のいずれか１つと、装置のうちの２つ以上をユーザ上に適切に配置するための指示書と、を含む。
【００３０】
他の態様では、ユーザを刺激するためのシステムが提供される。このシステムは、刺激プログラムを実行するよう構成された処理ユニットを、および、処理ユニットに対して動作可能に連結されたパルス発生装置であって、刺激プログラムに応答して第１セットの電気的インパルスを発生するよう構成されたパルス発生装置を、含む第１中央本体であって、通信チャネル上でコマンドをブロードキャストするよう構成された第１中央本体と、第１中央本体に実質的に類似した第２中央本体であって、通信チャネル上でブロードキャストコマンドを受け取り、それに応答して電気的インパルスを発生するよう構成された第２中央本体と、第１中央本体に対してまたは第２中央本体に対して通信する１つまたは複数のパッドであって、ユーザに取り付けられるよう、かつ、電気パルスを伝達し、それにより刺激プログラムにしたがってユーザを刺激するよう、構成された、１つまたは複数のパッドと、を含む。
【００３１】
他の態様では、ユーザを刺激するための方法が提供される。この方法は、ユーザ上の第１場所上に第１中央本体を配置することと、第１中央本体に実質的に類似した第２中央本体をユーザ上の第２場所上に配置することと、第１中央本体に搭載された処理ユニットの支援を用いて刺激プログラムを実行することと、第１中央本体の支援を用いて通信チャネル上でコマンドをブロードキャストすることと、コマンドを第２中央本体において受け取ることと、パルス発生装置の支援を用いて刺激プログラムに応答して電気的インパルスを発生することと、１つまたは複数のパッドの支援を用いて電気パルスをユーザに伝達し、それにより、刺激プログラムにしたがってユーザを刺激することと、を含む。
【００３２】
他の態様では、刺激作業の追跡および更新を実行するためのシステムが提供される。このシステムは、１つまたは複数の刺激プログラムを提供するよう構成されたサーバと、サーバから１つまたは複数の刺激プログラムを受け取るよう構成されたモバイル装置と、１）モバイル装置から刺激プログラムを受け取るよう、２）刺激プログラムを実行するよう、かつ、３）電気パルスを発生するよう、構成された中央本体を含む電気的刺激装置と、中央本体に対して通信する１つまたは複数のパッドであって、ａ）ユーザに取り付けられるよう、かつ、ｂ）電気パルスを使用し、それにより１つまたは複数の刺激プログラムにしたがってユーザを刺激するよう、構成された１つまたは複数のパッドと、を含み、中央本体は、実行された刺激プログラムに関するデータを記録するよう、かつ、データを、モバイル装置を介してサーバにアップロードするよう、構成されている。
【００３３】
いくつかの実施形態では、このサーバは、カスタマイズ化された刺激プログラムをユーザが開発するためのプラットフォームを提供するよう構成される。いくつかの実施形態では、データは、使用される刺激パラメータ、中央本体の一意的な特定、または全体的刺激作業時間を含む。いくつかの実施形態では、カスタムユーザ刺激プログラムはサーバにアップロードされ得る。
【００３４】
いくつかの実施形態では、このサーバは、ユーザに対するアップロードされたデータを記録および追跡するよう構成される。いくつかの実施形態では、このサーバは、ユーザに対するアップロードされたデータの表示を提供するよう構成される。
【００３５】
いくつかの実施形態では、中央本体は複数の異なる刺激プログラムを実行するよう構成される。いくつかの実施形態では、複数の異なる刺激プログラムはサーバにおいてユーザによる設定が可能である。いくつかの実施形態では、複数の異なる刺激プログラムは、刺激周波数、パルス幅、デューティサイクル・パラメータ、上昇値および下降値、バーストパルス・パラメータ、波形形状、または位相間間隔のうちの少なくとも１つにおいて異なる。いくつかの実施形態では、複数の異なる刺激プログラムは、下垂足支援プログラム、リハビリテーション・プログラム、回復プログラム、リラクセーション・プログラム、または改善性能プログラムを含む。
【００３６】
いくつかの実施形態では、中央本体は１０ｃｍに等しいかまたは１０ｃｍよりも小さい最大寸法を有する。いくつかの実施形態では、中央本体は３０グラムに等しいかまたは３０グラムよりも小さい重量を有する。いくつかの実施形態では、中央本体は有線接続を介して１つまたは複数のパッドに対してインターフェース接続する。
【００３７】
他の態様では、ユーザを刺激するための方法が提供される。この方法は、サーバにより提供された１つまたは複数の刺激プログラムをモバイル装置において受け取ることと、モバイル装置から１つまたは複数の刺激プログラムを中央本体において受け取ることと、刺激プログラムを中央本体において実行することと、電気パルスを中央本体において発生することと、１つまたは複数のパッドの支援を用いて電気パルスをユーザに伝達し、それにより１つまたは複数の刺激プログラムにしたがってユーザを刺激することと、実行された刺激プログラムに関するデータを記録することと、モバイル装置を介してそのデータをサーバにアップロードすることと、を含む。
【００３８】
本発明の異なる態様が、個別的に、集合的に、または互いに組み合わされた状態で、理解され得ることを理解すべきである。本明細書で記載の本発明の様々な態様は、以下で説明される特定の応用のうちのいずれにも、または、任意の他の種類の装置にも、適用され得る。航空機に関する本明細書における任意の記載は、任意の装置（例えば刺激装置など）に対して適用および使用され得る。加えて、電気的刺激の文脈における本明細書で記載のシステム、装置、および方法は、他種類の刺激（例えば機械的刺激など）の文脈においても適用され得る。
【００３９】
いくつかの態様では、本開示は、ユーザに電気的刺激を提供するためのシステムを提供する。いくつかの態様では、このシステムは、１つまたは複数のアプリケーションプログラムインターフェース（ＡＰＩ）を介して１つまたは複数のアプリケーションプログラムに対して通信し、それによりユーザに関する情報を取得するよう個別的にまたは集合的に構成された１つまたは複数のプロセッサを含む。いくつかの態様では、このシステムは、ユーザに関する情報を解析するよう個別的にまたは集合的に構成された１つまたは複数のプロセッサを含む。いくつかの態様では、このシステムは、前述の解析に基づいてユーザに対する調製済み刺激プログラムを生成するよう個別的にまたは集合的に構成された１つまたは複数のプロセッサを含む。いくつかの態様では、このシステムは、調製済み刺激プログラムを実行するよう個別的にまたは集合的に構成された１つまたは複数のプロセッサを含む。いくつかの態様では、このシステムは、刺激プログラムの実行に応答して電気パルスを発生するよう構成されたパルス発生装置を含む。いくつかの態様では、このシステムは、パルス発生装置に対して通信する１つまたは複数のパッドを含み、これらの１つまたは複数のパッドは、ユーザに取り付けられるよう、かつ、電気パルスを伝達し、それによりユーザを刺激するよう、構成される。いくつかの実施形態では、このシステムは１つまたは複数のプロセッサを含み、これらの１つまたは複数のプロセッサはモバイル装置上に配置される。いくつかの実施形態では、このシステムはモバイル装置を含み、このモバイル装置はセル電話、タブレット、またはＰＤＡを含む。いくつかの実施形態では、このシステムは１つまたは複数プロセッサを含み、これらの１つまたは複数のプロセッサは、調製済み刺激プログラムを実行する前に、調製済み刺激プログラムを推薦し、ユーザからの確認を受け取るよう構成される。いくつかの態様では、このシステムは、１つまたは複数のアプリケーションプログラムインターフェース（ＡＰＩ）を介して１つまたは複数のアプリケーションプログラムに対して通信し、それによりユーザに関する情報を取得するよう個別的にまたは集合的に構成された１つまたは複数のプロセッサを含み、この通信はＡＰＩコールを含む。いくつかの実施形態では、ＡＰＩコールは、１つまたは複数のアプリケーションプログラムのうちの少なくとも１つのアプリケーションプログラムを使用して実行される。いくつかの実施形態では、ＡＰＩコールはサーバを使用して実行される。いくつかの実施形態では、サーバと１つまたは複数のアプリケーションプログラムとの間の通信はプッシュ配信を含む。いくつかの実施形態では、このシステムは１つまたは複数のアプリケーションプログラムを含み、これらの１つまたは複数のアプリケーションプログラムはモバイル装置上で実行可能である。いくつかの実施形態では、このシステムは１つまたは複数のアプリケーションプログラムを含み、これらの１つまたは複数のアプリケーションプログラムはサードパーティ製プログラムを含む。いくつかの実施形態では、このシステムはサードパーティ製プログラムを含み、これらのサードパーティ製プログラムはユーザにリンクされる。いくつかの実施形態では、このシステムは１つまたは複数のＡＰＩを含み、これらの１つまたは複数のＡＰＩは健康および／またはフィットネスに関連するＡＰＩを含む。いくつかの実施形態では、このシステムは健康および／またはフィットネスに関連するＡＰＩを含み、これらの健康および／またはフィットネスに関連するＡＰＩは、Ａｐｐｌｅ  Ｈｅａｌｔｈ、Ｆｉｔｂｉｔ、Ｇｏｏｇｌｅ  Ｆｉｔ、ＪａｗＢｏｎｅ  Ｕｐ、ＭａｐＭｙＦｉｔｎｅｓｓ、Ｍｉｎｄ  Ｂｏｄｙ、Ｍｏｖｅｓ、Ｎｉｋｅ＋、ＲｕｎＫｅｅｐｅｒ、Ｓｔｒａｖａ、Ｕｎｄｅｒ  Ａｒｍｏｕｒ  Ｃｏｎｎｅｃｔｅｄ  Ｆｉｔ、Ｗａｈｏｏ  Ｆｉｔｎｅｓｓ、Ｗｉｔｈｉｎｇｓ、およびＷｏｄｉｆｙからなる群より選択される。いくつかの実施形態では、このシステムはユーザに関する情報を含み、このユーザに関する情報は、ユーザの場所に、またはユーザの場所変化に、関する情報を含む。いくつかの実施形態では、このシステムはユーザに関する情報を含み、このユーザに関する情報はユーザの活動に関する情報を含む。いくつかの実施形態では、このシステムはユーザの活動を含み、このユーザの活動はユーザにより取られた歩数に関する。いくつかの実施形態では、このシステムはユーザの活動を含み、このユーザの活動はユーザにより経験される加速度に関する。いくつかの実施形態では、このシステムはユーザの活動を含み、このユーザの活動はユーザによる電話使用期間に関する。いくつかの実施形態では、このシステムはユーザの活動を含み、このユーザの活動はユーザにより実行された活動の種類に関する。いくつかの実施形態では、このシステムはユーザにより実行された活動の種類を含み、ユーザにより実行された活動の種類は、ランニング、サイクリング、およびウエイトリフティングからなる群より選択された少なくとも１つを含む。いくつかの実施形態では、このシステムはユーザの活動を含み、このユーザの活動は消費されたカロリー数に関する。いくつかの実施形態では、このシステムはユーザの活動を含み、このユーザの活動はバイタルサインに関する。いくつかの実施形態では、このシステムはバイタルサインを含み、このバイタルサインは体温、血圧、心拍数、および呼吸速度からなる群より選択された少なくとも１つであり得る。いくつかの実施形態では、このシステムはユーザの活動を含み、このユーザの活動はユーザにより取られた経路に関する。いくつかの実施形態では、このシステムはユーザの活動を含み、このユーザの活動はユーザにより実行されたワークアウトルーチンに関する。いくつかの実施形態では、このシステムはワークアウトルーチンを含み、このワークアウトルーチンは、反復の回数および反復のセット数からなる群より選択された少なくとも１つを含む。いくつかの実施形態では、このシステムはユーザに関する情報を含み、このユーザに関する情報はユーザの健康に関する情報を含む。いくつかの実施形態では、このシステムはユーザに関する情報を含み、このユーザの健康に関する情報はユーザの健康記録を含む。いくつかの実施形態では、このシステムはユーザの健康に関する情報を含み、このユーザの健康に関する情報はユーザの体重を含む。いくつかの実施形��では、このシステムはユーザに関する情報を含み、ユーザは、ユーザにより利用されるサードパーティ製装置により取得された情報を含む。いくつかの実施形態では、このシステムは調製済み刺激プログラムを含み、この調製済み刺激プログラムは１つまたは複数の他の刺激プログラムとともに生産される。いくつかの態様では、このシステムは調製済み刺激プログラムを実行する前、および調製済み刺激プログラムを生成した後に、ユーザからの調製済み刺激プログラムの選択をユーザから受け取るよう、さらに構成される。いくつかの実施形態では、このシステムは調製済み刺激プログラムを含み、この調製済み刺激プログラムは複数の異なる刺激プログラムから選択される。いくつかの実施形態では、このシステムは複数の異なる刺激プログラムを含み、複数の異なる刺激プログラムのうちの２つ以上の刺激プログラムは、刺激周波数、パルス幅、デューティサイクル・パラメータ、上昇値および下降値、バーストパルス・パラメータのうちの少なくとも１つにおいて異なる。いくつかの実施形態では、このシステムは複数の異なる刺激プログラムを含み、これらの複数の異なる刺激プログラムは、下垂足支援プログラム、リハビリテーション・プログラム、回復プログラム、リラクセーション・プログラム、または改善性能プログラムのうちの１つまたは複数を含む。いくつかの実施形態では、このシステムはパルス発生装置を含み、このパルス発生装置は有線接続を介して１つまたは複数のパッドに対してインターフェース接続する。いくつかの実施形態では、このシステムは電気パルスを伝達し、それによりユーザを刺激することを含み、電気パルスを伝達し、それによりユーザを刺激することにより、ユーザの状態が改善される。
【００４０】
いくつかの態様では、本開示はユーザに電気的刺激を提供するための方法を提供する。いくつかの態様では、この方法は、１つまたは複数のプロセッサの支援を用いて、個別的にまたは集合的に、１つまたは複数のアプリケーションプログラムインターフェース（ＡＰＩ）を介して１つまたは複数のアプリケーションプログラムに対して通信し、それによりユーザに関する情報を取得することを含む。いくつかの態様では、この方法は、１つまたは複数のプロセッサの支援を用いて、個別的にまたは集合的に、ユーザに関する情報を解析することを含む。いくつかの態様では、この方法は、１つまたは複数のプロセッサの支援により、個別的にまたは集合的に、前述の解析に基づいてユーザに対して調製された刺激プログラムを生成することを含む。いくつかの態様では、この方法は、１つまたは複数のプロセッサの支援を用いて、個別的にまたは集合的に、調製済み刺激プログラムを実行することを含む。いくつかの態様では、この方法は、パルス発生装置の支援を用いて、刺激プログラムの実行に応答して電気パルスを発生することを含む。いくつかの態様では、この方法は、ユーザに取りつけられ、かつ、パルス発生装置に対して通信する、１つまたは複数のパッドを用いて電気パルスを伝達し、それによりユーザを刺激することを含む。いくつかの実施形態では、この方法は１つまたは複数のプロセッサを含み、これらの１つまたは複数のプロセッサはモバイル装置上に配置される。いくつかの実施形態では、この方法はモバイル装置を含み、このモバイル装置はセル電話、タブレット、またはＰＤＡを含む。いくつかの実施形態では、この方法は１つまたは複数プロセッサを含み、これらの１つまたは複数のプロセッサは、調製済み刺激プログラムを実行する前に、調製済み刺激プログラムを推薦し、ユーザからの確認を受け取るよう構成される。いくつかの態様では、この方法は、１つまたは複数のプロセッサの支援を用いて、個別的にまたは集合的に、１つまたは複数のアプリケーションプログラムインターフェース（ＡＰＩ）を介して１つまたは複数のアプリケーションプログラムに対して通信し、それによりユーザに関する情報を取得することを含み、係る通信はＡＰＩコールを含む。いくつかの実施形態では、ＡＰＩコールは、１つまたは複数のアプリケーションプログラムのうちの少なくとも１つのアプリケーションプログラムを使用して実行される。いくつかの実施形態では、ＡＰＩコールはサーバを使用して実行される。いくつかの実施形態では、サーバと１つまたは複数のアプリケーションプログラムとの間の通信はプッシュ配信を含む。いくつかの実施形態では、この方法は１つまたは複数のアプリケーションプログラムを含み、これらの１つまたは複数のアプリケーションプログラムはモバイル装置上で実行可能である。いくつかの実施形態では、この方法は１つまたは複数のアプリケーションプログラムを含み、これらの１つまたは複数のアプリケーションプログラムはサードパーティ製プログラムを含む。いくつかの実施形態では、この方法はサードパーティ製プログラムを含み、これらのサードパーティ製プログラムはユーザにリンクされる。いくつかの実施形態では、この方法は１つまたは複数のＡＰＩを含み、これらの１つまたは複数のＡＰＩは健康および／またはフィットネスに関連するＡＰＩを含む。いくつかの実施形態では、この方法は健康および／またはフィットネスに関連するＡＰＩを含み、これらの健康および／またはフィットネスに関連するＡＰＩは、Ａｐｐｌｅ  Ｈｅａｌｔｈ、Ｆｉｔｂｉｔ、Ｇｏｏｇｌｅ  Ｆｉｔ、ＪａｗＢｏｎｅ  Ｕｐ、ＭａｐＭｙＦｉｔｎｅｓｓ、Ｍｉｎｄ  Ｂｏｄｙ、Ｍｏｖｅｓ、Ｎｉｋｅ＋、ＲｕｎＫｅｅｐｅｒ、Ｓｔｒａｖａ、Ｕｎｄｅｒ  Ａｒｍｏｕｒ  Ｃｏｎｎｅｃｔｅｄ  Ｆｉｔ、Ｗａｈｏｏ  Ｆｉｔｎｅｓｓ、Ｗｉｔｈｉｎｇｓ、およびＷｏｄｉｆｙからなる群より選択される。いくつかの実施形態では、この方法はユーザに関する情報を含み、このユーザに関する情報は、ユーザの場所に、またはユーザの場所変化に、関する情報を含む。いくつかの実施形態では、この方法はユーザに関する情報を含み、このユーザに関する情報はユーザの活動に関する情報を含む。いくつかの実施形態では、この方法はユーザの活動を含み、このユーザの活動はユーザにより取られた歩数に関する。いくつかの実施形態では、この方法はユーザの活動を含み、このユーザの活動はユーザにより経験される加速度に関する。いくつかの実施形態では、この方法はユーザの活動を含み、このユーザの活動はユーザによる電話使用期間に関する。いくつかの実施形態では、このシステムはユーザの活動を含み、このユーザの活動はユーザにより実行された活動の種類に関する。いくつかの実施形態では、この方法はユーザにより実行された活動の種類を含み、このユーザにより実行された活動の種類は、ランニング、サイクリング、およびウエイトリフティングからなる群より選択された少なくとも１つを含む。いくつかの実施形態では、この方法はユーザの活動を含み、このユーザの活動は消費されたカロリー数に関する。いくつかの実施形態では、この方法はユーザの活動を含み、このユーザの活動はバイタルサインに関する。いくつかの実施形態では、この方法はバイタルサインを含み、このバイタルサインは体温、血圧、心拍数、および呼吸速度からなる群より選択された少なくとも１つであり得る。いくつかの実施形態では、この方法はユーザの活動を含み、このユーザの活動はユーザにより取られた経路に関する。いくつかの実施形態では、この方法はユーザの活動を含み、このユーザの活動はユーザにより実行されたワークアウトルーチンに関する。いくつかの実施形態では、この方法はワークアウトルーチンを含み、このワークアウトルーチンは、反復の回数および反復のセット数からなる群より選択された少なくとも１つを含む。いくつかの実施形態では、この方法はユーザに関する情報を含み、このユーザに関する情報はユーザの健康に関する情報を含む。いくつかの実施形態では、この方法はユーザに関する情報を含み、このユーザの健康に関する情報はユーザの健康記録を含む。いくつかの実施形態では、この方法は、ユーザの健康に関する情報を含み、このユーザの健康に関する情報はユーザの体重を含む。いくつかの実施形態では、この方法はユーザに関する情報を含み、このユーザに関する情報はユーザにより利用されるサードパーティ製装置により取��された情報を含む。いくつかの実施形態では、この方法は調製済み刺激プログラムを含み、この調製済み刺激プログラムは１つまたは複数の他の刺激プログラムとともに生産される。いくつかの態様では、この方法は、ユーザに対する調製済み刺激プログラムが生産された後、調製済み刺激プログラムを実行する前に、ユーザからの調製済み刺激プログラムの選択をユーザから受け取ることをさらに含む。いくつかの実施形態では、この方法は調製済み刺激プログラムを含み、この調製済み刺激プログラムは複数の異なる刺激プログラムから選択される。いくつかの実施形態では、この方法は複数の異なる刺激プログラムを含み、これらの複数の異なる刺激プログラムのうちの２つ以上の刺激プログラムは、刺激周波数、パルス幅、デューティサイクル・パラメータ、上昇値および下降値、またはバーストパルス・パラメータのうちの少なくとも１つにおいて異なる。いくつかの実施形態では、この方法は複数の異なる刺激プログラムを含み、これらの複数の異なる刺激プログラムは、下垂足支援プログラム、リハビリテーション・プログラム、回復プログラム、リラクセーション・プログラム、または改善性能プログラムのうちの１つまたは複数を含む。いくつかの実施形態では、この方法はパルス発生装置を含み、このパルス発生装置は有線接続を介して１つまたは複数のパッドに対してインターフェース接続する。いくつかの実施形態では、この方法は電気パルスを伝達し、それによりユーザを刺激することを含み、電気パルスを伝達し、それによりユーザを刺激することにより、ユーザの状態が改善される。
【００４１】
いくつかの態様では、本開示はユーザを刺激するための電気的刺激装置を提供する。いくつかの態様では、この刺激装置は中央本体を含む。いくつかの態様では、この刺激装置は中央本体を含み、この中央本体は刺激プログラムを実行するよう構成された処理ユニットを含む。いくつかの態様では、この刺激装置は中央本体を含み、この中央本体は刺激プログラムに応答して電気パルスを発生するよう構成されたパルス発生装置を含む。いくつかの態様では、この刺激装置は中央本体を含み、この中央本体は、中央本体の外部表面上でアクセス可能なユーザインターフェースを含み、このユーザインターフェースは、入力の度合いに応じて２つ以上の異なる方法で刺激プログラムの状態に影響を及ぼすよう構成された作動可能機構を含む。いくつかの態様では、この刺激装置は、中央本体に対して通信する１つまたは複数のパッドを含み、この１つまたは複数のパッドは、ユーザに取り付けられるよう、かつ、刺激プログラムの状態に応じて電気パルスを伝達するよう、構成される。いくつかの実施形態では、この刺激装置は中央本体を含み、この中央本体は１０ｃｍに等しいかまたは１０ｃｍよりも小さい最大寸法を有する。いくつかの実施形態では、この刺激装置は中央本体を含み、この中央本体は３０グラムに等しいかまたは３０グラムよりも小さい重量を有する。いくつかの実施形態では、この刺激装置は中央本体を含み、この中央本体は有線接続を介して１つまたは複数のパッドに対してインターフェース接続する。いくつかの実施形態では、この刺激装置は処理ユニットを含み、この処理ユニットは複数の異なる刺激プログラムを実行するよう構成される。いくつかの態様では、この刺激装置はモバイル装置を含む。いくつかの実施形態では、この刺激装置はモバイル装置を含み、この刺激装置はモバイル装置に対して通信するよう構成される。いくつかの実施形態では、この刺激装置はモバイル装置を含み、ユーザはモバイル装置上で刺激プログラムを選択する。いくつかの実施形態では、この刺激装置は刺激プログラムを含み、この刺激プログラムはモバイル装置からアップロードされる。いくつかの実施形態では、この刺激装置はユーザインターフェースを含み、このユーザインターフェースは単一の作動可能機構を含む。いくつかの実施形態では、この刺激装置は単一の作動可能機構を含み、この単一の作動可能機構の作動は複数の異なる刺激プログラム間でサイクルする。いくつかの実施形態では、この刺激装置は複数の異なる刺激プログラムを含み、これらの複数の異なる刺激プログラムはユーザによる設定が可能である。いくつかの実施形態では、この刺激装置は複数の異なる刺激プログラムを含み、これらの複数の異なる刺激プログラムのうちの２つ以上の刺激プログラムは、刺激周波数、パルス幅、デューティサイクル・パラメータ、上昇値および下降値、またはバーストパルス・パラメータのうちの少なくとも１つにおいて異なる。いくつかの実施形態では、この刺激装置は複数の異なる刺激プログラムを含み、これらの複数の異なる刺激プログラムは、下垂足支援プログラム、リハビリテーション・プログラム、回復プログラム、リラクセーション・プログラム、または改善性能プログラムのうちの１つまたは複数を含む。いくつかの実施形態では、この刺激装置は作動可能機構を含み、この作動可能機構は押下可能機構を含む。いくつかの実施形態では、この刺激装置は押下可能機構を含み、この押下可能機構はボタンを含む。いくつかの実施形態では、この刺激装置は作動可能機構を含み、この作動可能機構は摺動可能機構を含む。いくつかの実施形態では、この刺激装置は作動可能機構を含み、この作動可能機構は回転可能機構を含む。いくつかの実施形態では、この刺激装置は作動可能機構を含み、この作動可能機構は実質的に外部表面の中心に配置される。いくつかの実施形態では、この刺激装置は作動可能機構を含み、この作動可能機構の作動は刺激プログラムを停止および／または再開させる。いくつかの実施形態では、この刺激装置は作動可能機構を含み、この作動可能機構の作動は刺激プログラムの強度を増加および／または減少させる。いくつかの実施形態では、この刺激装置は作動可能機構を含み、この作動可能機構の作動は電気的刺激装置を有効化および／または無効化させる。いくつかの実施形態では、この刺激装置は作動可能機構を含み、この作動可能機構の作動は、入力の度合いに応じて４つ以上の異なる方法で刺激プログラムの状態に影響を及ぼすよう構成される。いくつかの実施形態では、この刺激装置は、刺激プログラムの状態に影響を及ぼすための４つ以上の異なる方法を含み、これらの４つ以上の異なる方法は、刺激プログラムの停止、刺激プログラムの再開、刺激プログラムの強度の増加、および刺激プログラムの強度の減少を含む。いくつかの実施形態では、この刺激装置は入力の度合いを含み、この入力の度合いは入力の期間である。いくつかの実施形態では、この刺激装置は入力の度合いを含み、この入力の度合いは入力に対して作用された力である。いくつかの実施形態では、この刺激装置は入力の度合いを含み、この入力の度合いは入力の方向である。いくつかの実施形態では、この刺激装置は入力を含み、この入力は作動可能機構の作動を含む。
【００４２】
いくつかの態様では、本開示はユーザを刺激するための方法を提供する。いくつかの態様では、この方法はモバイルデバイスから刺激プログラムを中央本体において受け取ることを含む。いくつかの態様では、この方法は、中央本体の処理ユニットにおいて刺激プログラムを実行することを含む。いくつかの態様では、この方法は刺激プログラムに応答して中央本体のパルス発生装置において電気パルスを発生することを含む。いくつかの態様では、この方法は１つまたは複数のパッドにおいて電気パルスを伝達することを含む。この１つまたは複数のパッドは、ユーザに取り付けられ、かつ、中央本体に対して通信し、それにより伝達された電気パルスを用いてユーザを刺激する。いくつかの態様では、この方法は、作動可能機構を含むユーザインターフェースにおける入力の度合いに応じて２つ以上の異なる方法で刺激プログラムの状態に影響を及ぼすことを含む。いくつかの実施形態では、この方法は中央本体を含み、この中央本体は１０ｃｍに等しいかまたは１０ｃｍよりも小さい最大寸法を有する。いくつかの実施形態では、この方法は中央本体を含み、この中央本体は３０グラムに等しいかまたは３０グラムよりも小さい重量を有する。いくつかの実施形態では、この方法は中央本体を含み、この中央本体は有線接続を介して１つまたは複数のパッドに対してインターフェース接続する。いくつかの実施形態では、この方法は処理ユニットを含み、この処理ユニットは複数の異なる刺激プログラムを実行するよう構成される。いくつかの態様では、この方法は、モバイル装置から刺激プログラムを受け取る前にユーザによりモバイル装置上で刺激プログラムを選択することをさらに含む。いくつかの実施形態では、この方法は刺激プログラムを含み、この刺激プログラムはモバイル装置からアップロードされる。いくつかの実施形態では、この方法は入力の度合いを含み、この入力の度合いは入力の期間である。いくつかの実施形態では、この方法は入力の度合いを含み、この入力の度合いは入力に対して作用された力を含む。いくつかの実施形態では、この方法は入力の度合いを含み、この入力の度合いは入力の方向である。いくつかの実施形態では、この刺激装置は入力を含み、この入力は作動可能機構の作動を含む。いくつかの実施形態では、この方法はユーザインターフェースを含み、このユーザインターフェースは単一の作動可能機構を含む。いくつかの実施形態では、この方法は単一の作動可能機構を含み、この単一の作動可能機構の作動は複数の異なる刺激プログラム間でサイクルする。いくつかの実施形態では、この刺激装置は複数の異なる刺激プログラムを含み、これらの複数の異なる刺激プログラムはユーザによる設定が可能である。いくつかの実施形態では、この方法は複数の異なる刺激プログラムを含み、これらの複数の異なる刺激プログラムのうちの２つ以上の刺激プログラムは、刺激周波数、パルス幅、デューティサイクル・パラメータ、上昇値および下降値、またはバーストパルス・パラメータのうちの少なくとも１つにおいて異なる。いくつかの実施形態では、この方法は複数の異なる刺激プログラムを含み、これらの複数の異なる刺激プログラムは、下垂足支援プログラム、リハビリテーション・プログラム、回復プログラム、リラクセーション・プログラム、または改善性能プログラムのうちの１つまたは複数を含む。いくつかの実施形態では、この方法は作動可能機構を含み、この作動可能機構は押下可能機構を含む。いくつかの実施形態では、この方法は押下可能機構を含み、この押下可能機構はボタンを含む。いくつかの実施形態では、この方法は作動可能機構を含み、この作動可能機構は摺動可能機構を含む。いくつかの実施形態では、この方法は作動可能機構を含み、この作動可能機構は回転可能機構を含む。いくつかの実施形態では、この方法は作動可能機構を含み、この作動可能機構は実質的に外部表面の中心に配置される。いくつかの実施形態では、この方法は作動可能機構を含み、この作動可能機構の作動は刺激プログラムを停止および／または再開させる。いくつかの実施形態では、この方法は作動可能機構を含み、この作動可能機構の作動は刺激プログラムの強度を増加および／または減少させる。いくつかの実施形態では、この方法は作動可能機構を含み、この作動可能機構の作動は電気的刺激装置を有効化および／または無効化させる。いくつかの実施形態では、この方法は作動可能機構を含み、この作動可能機構の作動は、入力の度合いに応じて４つ以上の異なる方法で刺激プログラムの状態に影響を及ぼすよう構成される。いくつかの実施形態では、この方法は、刺激プログラムの状態に影響を及ぼすための４つ以上の異なる方法を含み、これらの４つ以上の異なる方法は、刺激プログラムの停止、刺激プログラムの再開、刺激プログラムの強度の増加、および刺激プログラムの強度の減少を含む。
【００４３】
いくつかの態様では、本開示は、ユーザに電気的刺激を提供するためのシステムを提供する。いくつかの態様では、このシステムは、刺激プログラムに関する入力を受け取るよう、個別的にまたは集合的に構成された１つまたは複数のプロセッサを含む。いくつかの態様では、本開示はユーザに電気的刺激を提供するためのシステムを提供する。いくつかの態様では、このシステムは、１つまたは複数の刺激パラメータの値を処理するよう、個別的にまたは集合的に構成された１つまたは複数のプロセッサを含む。この値は、刺激プログラムに対する事前定義された範囲から実質的にランダムに選択される。いくつかの態様では、本開示はユーザに電気的刺激を提供するためのシステムを提供する。いくつかの態様では、このシステムは、刺激プログラムを実行するよう、個別的にまたは集合的に構成された１つまたは複数のプロセッサを含む。いくつかの態様では、このシステムは、刺激プログラムの実行に応答して電気パルスを発生するよう構成されたパルス発生装置を含む。いくつかの態様では、このシステムは中央本体に対して通信する１つまたは複数のパッドを含み、この１つまたは複数のパッドは、ユーザに取り付けられるよう、かつ、電気パルスを伝達し、それによりユーザを刺激するよう、構成される。いくつかの態様では、このシステムはモバイル装置を含む。いくつかの実施形態では、このシステムはモバイルフォンを含み、ユーザはモバイル装置上で刺激プログラムを選択する。いくつかの実施形態では、このシステムは１つまたは複数の刺激パラメータを含み、この１つまたは複数刺激プログラムは、刺激収縮周波数、休止周波数、刺激デューティサイクル、刺激パルス幅、刺激長さ、バーストパルス・パラメータ、上昇時間、および下降時間からなる群より選択される。いくつかの実施形態では、このシステムは事前定義された範囲を含み、この事前決定された範囲はユーザによる設定が可能である。いくつかの実施形態では、このシステムは事前定義された範囲を含み、この事前決定された範囲は刺激プログラムに対して事前設定される。いくつかの実施形態では、このシステムは刺激プログラムを含み、この刺激プログラムは５つ以上の刺激パラメータを含み、この刺激パラメータの値は、刺激プログラムに対する事前定義された範囲からランダムに選択される。いくつかの実施形態では、このシステムは５つ以上の刺激パラメータを含み、これらの５つ以上の刺激パラメータの部分集合は刺激プログラムに対する事前定義された範囲からランダムに選択される。いくつかの実施形態では、このシステムは５つ以上の刺激パラメータの部分集合を含み、この部分集合はランダムに選択される。いくつかの実施形態では、このシステムは１つまたは複数のプロセッサを含み、これらの１つまたは複数のプロセッサは複数の異なる刺激プログラムを実行するよう構成される。いくつかの実施形態では、このシステムは複数の異なる刺激プログラムを含み、これらの複数の異なる刺激プログラムは異なるレベルにカテゴリー化される。いくつかの実施形態では、このシステムは、異なるレベルにカテゴリー化された複数の異なる刺激プログラムを含み、これらの異なるレベルは３つ以上のレベルを含む。いくつかの実施形態では、このシステムは、異なるレベルにカテゴリー化された複数の異なる刺激プログラムを含み、これらの異なるレベルは事前定義された範囲を決定する。いくつかの実施形態では、このシステムは複数の異なる刺激プログラムを含み、これらの複数の異なる刺激プログラムはユーザによる設定が可能である。いくつかの実施形態では、このシステムは複数の異なる刺激プログラムを含み、複数の異なる刺激プログラムのうちの２つ以上の刺激プログラムは、刺激周波数、パルス幅、デューティサイクル・パラメータ、上昇値および下降値、バーストパルス・パラメータのうちの少なくとも１つにおいて異なる。いくつかの実施形態では、このシステムは複数の異なる刺激プログラムを含み、これらの複数の異なる刺激プログラムは、下垂足支援プログラム、リハビリテーション・プログラム、回復プログラム、リラクセーション・プログラム、または改善性能プログラムを含む。いくつかの実施形態では、このシステムは中央本体を含み、この中央本体は１０ｃｍに等しいかまたは１０ｃｍよりも小さい最大寸法を有する。いくつかの実施形態では、このシステムは中央本体を含み、この中央本体は３０グラムに等しいかまたは３０グラムよりも小さい重量を有する。いくつかの実施形態では、このシステムは中央本体を含み、この中央本体は有線接続を介して１つまたは複数のパッドに対してインターフェース接続する。
【００４４】
いくつかの態様では、本開示はユーザを刺激するための方法を提供する。いくつかの態様では、この方法は、１つまたは複数のプロセッサの支援を用いて、個別的にまたは集合的に、刺激プログラムに関する入力を受け取ることを含む。いくつかの態様では、この方法は、１つまたは複数の処理の支援を用いて、個別的にまたは集合的に、刺激プログラムの１つまたは複数の刺激パラメータの値を処理することを含む。この値は、刺激プログラムに対する事前定義された範囲から実質的にランダムに決定される。いくつかの態様では、この方法は、１つまたは複数のプロセッサの支援を用いて、個別的にまたは集合的に、刺激プログラムを実行することを含む。いくつかの態様では、この方法は、パルス発生装置において、刺激プログラムの実行に応答して電気パルスを発生することを含む。いくつかの態様では、この方法は、１つまたは複数のパッドにおいて電気パルスを伝達することを含む。この１つまたは複数のパッドは、ユーザに取りつけられるよう構成され、中央本体に対して通信し、それによりユーザを刺激する。いくつかの態様では、この方法は、刺激プログラムに関する入力を受け取る前に、ユーザによりモバイル装置上で刺激プログラムを選択することを含む。いくつかの態様では、この方法は、モバイル装置から刺激プログラムをアップロードすることを含む。いくつかの実施形態では、この方法は１つまたは複数の刺激パラメータを含み、これらの１つまたは複数の刺激パラメータは、刺激収縮周波数、休止周波数、刺激デューティサイクル、刺激パルス幅、刺激長さ、バーストパルス・パラメータ、上昇時間、および下降時間からなる群より選択される。いくつかの実施形態では、この方法は事前定義された範囲を含み、この事前決定された範囲はユーザによる設定が可能である。いくつかの実施形態では、この方法は事前定義された範囲を含み、この事前決定された範囲は刺激プログラムに対して事前設定される。いくつかの実施形態では、この方法は刺激プログラムを含み、この刺激プログラムは５つ以上の刺激パラメータを含み、この刺激パラメータの値は、刺激プログラムに対する事前定義された範囲からランダムに選択される。いくつかの実施形態では、この方法は５つ以上の刺激パラメータを含み、これらの５つ以上の刺激パラメータの部分集合の値は刺激プログラムに対する事前定義された範囲からランダムに選択される。いくつかの実施形態では、この方法は５つ以上の刺激パラメータの部分集合を含み、この部分集合はランダムに選択される。いくつかの実施形態では、この方法は１つまたは複数のプロセッサを含み、これらの１つまたは複数のプロセッサは複数の異なる刺激プログラムを実行するよう構成される。いくつかの実施形態では、この方法は複数の異なる刺激プログラムを含み、これらの複数の異なる刺激プログラムは異なるレベルにカテゴリー化される。いくつかの実施形態では、この方法は、異なるレベルにカテゴリー化された複数の異なる刺激プログラムを含み、これらの異なるレベルは３つ以上のレベルを含む。いくつかの実施形態では、この方法は、異なるレベルにカテゴリー化された複数の異なる刺激プログラムを含み、これらの異なるレベルは事前定義された範囲を決定する。いくつかの実施形態では、この方法は複数の異なる刺激プログラムを含み、これらの複数の異なる刺激プログラムはユーザによる設定が可能である。いくつかの実施形態では、この方法は複数の異なる刺激プログラムを含み、これらの複数の異なる刺激プログラムのうちの少なくとも１つの刺激プログラムは、刺激周波数、パルス幅、デューティサイクル・パラメータ、上昇値および下降値、またはバーストパルス・パラメータのうちの少なくとも１つにおいて異なる。いくつかの実施形態では、この方法は複数の異なる刺激プログラムを含み、これらの複数の異なる刺激プログラムは、下垂足支援プログラム、リハビリテーション・プログラム、回復プログラム、リラクセーション・プログラム、または改善性能プログラムを含む。いくつかの実施形態では、この方法は中央本体を含み、この中央本体は１０ｃｍに等しいかまたは１０ｃｍよりも小さい最大寸法を有する。いくつかの実施形態では、この方法は中央本体を含み、この中央本体は３０グラムに等しいかまたは３０グラムよりも小さい重量を有する。いくつかの実施形態では、この方法は中央本体を含み、この中央本体は有線接続を介して１つまたは複数のパッドに対してインターフェース接続する。
【００４５】
本発明の他の目的および特徴は、本明細書、特許請求項、および添付の図面を綿密に検討することにより、明らかとなることであろう。
【００４６】
参照による援用
本明細書で言及される文献、特許および特許出願はいずれも、個々の文献、特許または特許出願が、参照により援用されることが具体的かつ個々に示されている場合と同程度に、参照により本明細書に援用される。
【００４７】
本発明の新規の特徴が特に添付の特許請求項において説明される。本発明の特徴および利点に関するより良好な理解は、本発明の原理が利用される例示的な実施形態について説明する以下の詳細な説明を、および以下の添付の図面を、参照することにより、得られるであろう。
【図面の簡単な説明】
【００４８】
【図１】様々な実施形態に係る、センサ・システムを有するポータブル型電気筋肉刺激（ＥＭＳ）装置を示す図である。
【図２】様々な実施形態に係る、センサ・システムを有するＥＭＳ装置を示す図である。
【図３】様々な実施形態に係る、複数のＥＭＳ装置に対して通信するモバイル装置を示す図である。
【図４】様々な実施形態に係る、実質的に類似した装置に対して通信するＥＭＳ装置を示す図である。
【図５】様々な実施形態に係る複数のセットのＥＭＳ装置に対して通信するモバイル装置を示す図である。
【図６】様々な実施形態に係る、刺激作業を実装するためのシステムを示す図である。
【図７】様々な実施形態に係る、ユーザを刺激するための方法を示す図である。
【図８】様々な実施形態に係る、類似した装置を用いてユーザを刺激するための方法を示す図である。
【図９】様々な実施形態に係る、サーバを使用してユーザを刺激するための方法を示す図である。
【図１０】様々な実施形態に係る、ユーザに対して調製済み刺激プログラムを生成するためのアプリケーションプログラムインターフェース（ＡＰＩ）を含むシステムを示す図である。
【図１１】様々な実施形態に係る、作動可能機構を含む、刺激作業を実装するためのシステムを示す図である。
【図１２】様々な実施形態に係る、１つまたは複数の刺激パラメータに対してランダムに選択された値を使用してユーザを刺激するための方法を示す図である。
【図１３】様々な実施形態に係るポータブル型ＥＭＳ装置の拡大図である。
【図１４】様々な実施形態に係るポータブル型ＥＭＳ装置の構成要素を示す図である。
【図１５】電気刺激装置を動作させるようプログラムされるかまたは別様に構成されたコンピュータ・システムを示す図である。
【発明を実施するための形態】
【００４９】
本明細書で提供されるシステム、方法、および装置は、電気的刺激または電気筋肉刺激（ＥＭＳ）装置の改善された機能性および有用性を提供し得る。本明細書で記載のＥＭＳ装置は、ユーザに対する電気的インパルスを発生するよう、および／または伝達するよう、プログラムされるかまたは別様に構成され得る。ＥＭＳ装置は、例えばユーザに対して刺激作業を実装するよう、プログラムされるかまたは別様に構成された装置であり得る。刺激作業は、治療、療法、リラクセーション、フィットネス、競技者能力強化、娯楽、その他の目的のためにＥＭＳ装置を介してユーザに電気的インパルスが伝達される始点および終点を有する作業を指し得る。いくつかの事例では、本開示のシステム、方法、および装置は、筋肉疲労耐性（例えば持久力）の改善、筋力および筋パワーの増強、筋耐性および筋肉強度の改善、筋肉回復力（例えば血流の増加による）および／または潜在的筋肉の改善を支援し得る。いくつかの事例では、刺激作業は、１セットの命令（例えばコード、プログラム、その他）を介して実装された始点および終点を有する作業を指し得る。いくつかの事例では、刺激作業は刺激プログラムとも呼ばれ得る。
【００５０】
本明細書において以前で説明されたように、ＥＭＳ装置は多様な用途のために利用され得る。ＥＭＳ装置は筋肉萎縮を防止するために利用され得る。例えばＥＭＳ装置は脳からの神経インパルスを模倣するために電気的インパルスを筋肉に伝達し得る。係る電気的インパルスの伝達により、特定筋肉を利用することが不可能である患者に対して、筋肉が刺激され、萎縮が防止される。ＥＭＳ装置は筋肉のリラクセーションまたは痛みの軽減のために利用され得る。例えば、ＥＭＳ装置を介して伝達される電気的インパルスは筋肉痙攣を生じさせる神経インパルスを抑制し、それによりリラクセーションが支援され得る。ＥＭＳ装置は娯楽または全般的な刺激のために利用され得る。例えば、ＥＭＳ装置は、様々な様式の娯楽（例えばバーチャルリアリティ）に対して接続された刺激を供給するための媒体として利用され得る。ＥＭＳ装置は医療目的のために利用され得る。例えば、ＥＭＳ装置を介して伝達される電気的インパルスは血液循環を増加させ得、血液循環の増加により、血栓が防止され得、および／または治療が向上し得る。例えば、ＥＭＳ装置を介して伝達される電気的インパルスは筋肉のリハビリテーションを支援し得、または、必要に応じて筋肉の収縮を支援し得る（例えば下垂足支援）。ＥＭＳ装置は全般的なフィットネスまたは競技者能力強化のために利用され得る。例えばＥＭＳ装置を介して伝達される電気的インパルスは、ワークアウトからの回復を支援し得、または筋肉活動を模倣することによりワークアウトを補足し得る。
【００５１】
ＥＭＳ装置は本体を含み得る。本明細書では中央本体とも呼ばれる本体は、電気的インパルスを発生するために使用されるＥＭＳ装置の構成要素を指し得る。例えば中央本体は、バッテリー（例えばＥＭＳ装置上に搭載される）から、または、コンセントから、電流を受け取ることにより、電気的インパルスを発生し得る。いくつかの事例では、ＥＭＳ装置は、１つまたは複数の電極をさらに含み得る。これらの電極を介して電気的インパルスがユーザに伝達され得る。いくつかの事例ではＥＭＳ装置は、携帯性および／または操作性を欠如し得る。代替的に、ポータブル型ＥＭＳ装置は、大型システムの完全な機能性を、または専門技師、ヘルスケア専門家、または他のサービス提供者により管理される刺激作業により提供され得る利益を、欠如し得る。
【００５２】
いくつかの事例では、ＥＭＳ装置の、本明細書では中央本体とも呼ばれる本体は、センサ・システムを含み得る。センサ・システムは、信号（例えば、ユーザの筋肉からの信号、センサの状態に関する信号、および／または外部環境に関する信号など）を検知するよう、プログラムされるかまたは別様に構成され得る。センサ・システムは、有用な情報を与えるために、および／または、ＥＭＳ装置の機能性を向上させるために、刺激作業とともに相乗効果的に利用され得る。いくつかの事例では、検知モジュールを本体に対して一体化された状態で搭載することにより、ＥＭＳ装置に対する可能な用途が向上する一方で、ＥＭＳ装置は、使用が簡単となり、ユーザに対して取り扱いが容易であることが、確保され得る。
【００５３】
いくつかの事例では、複数のＥＭＳ装置が互いに通信し得る。複数のＥＭＳ装置は、刺激作業を実装する上で１つのユニットとして一緒に機能し得る。代替的にまたは追加的に、複数のＥＭＳ装置は複数の刺激作業を実装し得る。複数のＥＭＳ装置は、単一の人に対して、または異なる位置における複数の人々に対して、刺激作業を実装し得る。いくつかの事例では、各ＥＭＳ装置が依然として適用にあたり簡単であり、かつ取り扱いが容易でありながらも、複数のＥＭＳ装置が単一のモバイル装置により制御されることにより、多様で、かつ範囲において広範な刺激が実装され得る。複数のＥＭＳ装置を介して収集されたデータはさらに、追跡および格納が簡便となるよう、モバイル装置に伝達され得、サーバ（例えばクラウドサーバ）にアップロードされ得る。
【００５４】
いくつかの事例では、ＥＭＳ装置とともに使用するためのプラットフォームが提供され得る。このプラットフォームは、データベースまたはサーバを含み得、ここで刺激プログラムが管理され（例えば、作成、計画、スケジュール化、その他が行われ）得る。いくつかの事例では、ＥＭＳ装置および／またはモバイル装置により追跡されるデータは、管理および監視が容易となるよう、このプラットフォームにアップロードされ得る。このプラットフォームは、刺激作業の管理および追跡を行うための中央データベースとして機能し得る。このプラットフォームはそのユーザに対して有益であり得る。例えばこのプラットフォームは、エンドユーザに対する刺激作業を管理および追跡するための便利なツールを提供し得る。例えばこのプラットフォームは、クライアントであり得るエンドユーザに対する刺激作業を、専門技師、ヘルスケア専門家、または他のサービス提供者が管理および追跡するための便利なツールを提供し得る。
【００５５】
本発明の異なる態様が、個別的に、集合的に、または互いに組み合わされた状態で、理解され得ることを理解すべきである。本明細書で記載の本発明の様々な態様は、以下で説明される特定の応用のうちのいずれの応用に対しても、または、任意の他の種類の刺激装置にも対しても、適用され得る。
【００５６】
図１では、様々な実施形態に係る刺激作業を実装するためのシステム１００が図示されている。このシステムはＥＭＳ装置１０１を利用し得る。このＥＭＳ装置はユーザ１０３に連結されるよう構成され得る。このＥＭＳ装置は、電気的インパルスを発生し、その電気的インパルスをユーザに伝達するよう、プログラムされるかまたは別様に構成され得る。いくつかの事例ではこのＥＭＳ装置は刺激作業を実装し得る。このＥＭＳ装置は、中央本体、１つまたは複数のパッド、および／または、さらに以下で説明される他の様々な構成要素を含み得る。
【００５７】
いくつかの事例では、このＥＭＳ装置は外部装置１０５と併せて利用され得る。例えばこのＥＭＳ装置は、外部装置１０５から信号またはデータを受け取るよう、および／または、外部装置にデータを伝達するよう、プログラムされるかまたは別様に構成され得る。外部装置はモバイル装置を含み得る。代替的にまたは追加的に、外部装置は、コンピュータ（例えばデスクトップ・コンピュータ）を、またはユーザからの入力が受け取られ得る任意の他の種類の装置を、含み得る。モバイル装置の使用が主に本明細書で論じられているが、任意の他の外部装置がモバイル装置に関して本明細書で説明される目的のために利用され得ることを理解すべきである。
【００５８】
このモバイル装置はセル電話、タブレット、ＰＤＡ、時計（例えばスマートウォッチ）、または任意の他種類のモバイル装置を含み得る。このモバイル装置はユーザからコマンドまたは命令を受け取るためのユーザインターフェースを含み得る。いくつかの事例ではこのモバイル装置は中央本体またはＥＭＳ装置を制御するためのアプリケーションを含み得る。所望により、刺激作業の実装に関する様々なパラメータが、このモバイル装置から制御され得る。このモバイル装置は刺激作業の管理および追跡のために利用され得る。例えば、ユーザは、モバイル装置を、またはモバイル装置上のアプリケーションを、利用して、刺激作業を、および刺激作業の制御パラメータを、作り（例えば作成し）、スケジュールし、または計画し得る。
【００５９】
例えば、アプリケーションはモバイル装置上で実行され得る。アプリケーション内で、ユーザは、中央本体により実行される所望の刺激作業を選択し得る。いくつかの事例では、いくつかの事前決定された刺激作業が、ユーザによる選択のために利用可能であり得る。刺激作業は、事前にロードされてもよく（例えばアプリケーション内に含まれる）、またはオンライン・データベースからダウンロードされてもよい。代替的にまたは追加的に、ユーザは実行する刺激作業をカスタム設計し得る。例えばユーザは、収縮および休止期間に対する刺激周波数、パルス幅、デューティサイクル・パラメータ、上昇値、下降値、バーストパルス・パラメータ、波形形状、または位相間間隔を含むがこれらに限定されないパラメータを変化させることにより、刺激作業を設計し得る。異なる刺激作業は、所望の効果（例えば、治療、フィットネス、能力強化、刺激、その他）、アプリケーション、および／または特定のパラメータ（例えば、収縮または休止期間に対する刺激周波数、パルス幅、デューティサイクル・パラメータ、上昇値、下降値、またはバーストパルス・パラメータ、その他）において異なり得る。
【００６０】
他の事例として刺激作業はモバイル装置上で計画され得る。例えば、ユーザ上で実装されるべき刺激作業の順序またはスケジュールは、例えばモバイル装置を使用して、計画され得る。この順序またはスケジュールは、一定時間（例えば時間、日、週間、月、その他）にわたりユーザ上で実装されることを意図された刺激作業を含み得る。
【００６１】
ユーザは、所望の（例えば選択された）刺激作業を実行するための命令を提供し得る。これらの命令（例えば信号、データ、その他）は有線またはワイヤレス通信１０７を使用してＥＭＳ装置に伝達され得る。いくつかの事例ではワイヤレス通信では無線周波数（ＲＦ）プロトコルが利用され得る。いくつかの事例ではワイヤレス通信ではＡＮＴ＋、Ｂｌｕｅｔｏｏｔｈ（登録商標）低エネルギー、Ｇａｚｅｌｌプロトコルなどが利用され得る。代替的にまたは追加的にユーザは、例えばモバイル装置において刺激作業を停止、休止、および／または再開するための命令を提供し得る。いくつかの事例ではユーザは、刺激作業に関する他のパラメータを調整するための命令を提供し得る。例えばユーザは、刺激作業の刺激強度レベルを調整するための命令を提供し得る。これらの命令は、例えば本明細書において上記で説明したワイヤレス通信プロトコルを使用して、中央本体に伝達され得る。
【００６２】
所望により、刺激作業の管理または追跡を実行するためのプラットフォームが提供され得る。いくつかの事例では、このプラットフォームはデータベースまたはサーバ１０９（例えばクラウド・サーバなど）上で提供され得る。このサーバは刺激作業の管理および追跡を実行するために利用され得る。例えば、ユーザは、このプラットフォームを利用して、刺激作業を、および刺激作業の制御パラメータを、作り（例えば作成し）、スケジュールし、または計画し得る。いくつかの事例では、このＥＭＳ装置により追跡されるデータは、例えばモバイル装置を介して、このプラットフォームにアップロードされ得る。このプラットフォームは、エンドユーザ１０３に対する刺激作業の管理および追跡の両方を実行するための便利なツールを提供し得る。
【００６３】
図２では、様々な実施形態に係るセンサ・システムを有するＥＭＳ装置２００が図示されている。ＥＭＳ装置２００は本願を通じて、システム１００において、または他において、利用され得る。このＥＭＳ装置は中央本体２０２を含み得る。いくつかの事例では、本明細書で記載のＥＭＳ装置は、中央本体を、または電極および／またはワイヤを一緒に有する中央本体を、指し得る。例えば中央本体は、モバイル装置から信号またはデータを受け取り、所望の刺激作業を実行および／または実装するよう、プログラムされるかまたは別様に構成され得る。例えば中央本体は処理ユニットを含み得る。この処理ユニットは、受け取られた信号に応答して刺激プログラムを実行するよう、プログラムされるかまたは別様に構成され得る。この中央本体はパルス発生装置を含み得る。本パルス発生装置は、例えば刺激プログラムの実行に応答して電気的インパルスを発生するようプログラムされるかまたは別様に構成され得る。本パルス発生装置は、バッテリーまたはコンセントから電流を受け入れることにより電気的インパルスを発生するようプログラムされるかまたは別様に構成され得る。いくつかの事例では、この中央本体はバッテリーを含み得る。バッテリーは、交換可能バッテリーまたは一体化されたバッテリーであり得る。バッテリーは充電式バッテリー（例えば充電式リチウム・バッテリーなど）であり得る。いくつかの事例では、中央本体を充電するためのポートが提供され得る。例えば、マイクロＵＳＢポートが、中央本体を充電するためのアプローチとして提供され得る。
【００６４】
中央本体は刺激チャネルを含み得る。この刺激チャネルは発生された電気的インパルスに対する出力チャネルを指し得る。この中央本体は任意個数の刺激チャネルを含み得る。いくつかの事例ではこの中央本体は１、２、３、４、５、６、７、８、９、１０、または１１以上の刺激チャネルを含み得る。刺激チャネルの個数は電気的インパルスに対する独立的な出力チャネルの個数に対応し得る。例えば、各刺激チャネルに対して、異なる電気的インパルスが生成され、および／または、さらに中央本体により伝達され得る。いくつかの事例では、中央本体の全刺激チャネルの強度レベルは、例えばモバイル装置上で提供されるユーザの命令にしたがって調整され得る。代替的に、各刺激チャネルの強度レベルはユーザの命令にしたがって個別的に調整され得る。
【００６５】
この中央本体は、１つまたは複数の電極に対して、またはパッド２０１、２０３に対して、通信するよう、プログラムされるかまたは別様に構成され得る。いくつかの事例では、電極の個数は中央本体の刺激チャネルの個数に対応し得る。代替的に、電極の個数は刺激チャネルの個数よりも少数であり得る。代替的に、電極の個数は刺激チャネルの個数よりも多数であり得る。これらの電極またはパッドはユーザに、貼り付けられるよう、または取り付けられるよう、構成され得る。これらの１つまたは複数のパッドは粘着部を含み得る。いくつかの事例では、これらの１つまたは複数のパッドは、取り付けおよび／または取り外しを支援するためにタブ２０５、２０７を含み得る。
【００６６】
これらの電極またはパッドは、パルス発生装置により発生された電気的インパルスをユーザに伝達し、それによりユーザが刺激されるよう、構成され得る。例えば、中央本体において発生された電気的インパルスは接続部２１０を介して１つまたは複数のパッドに伝達され、例えば、それによりユーザに対して刺激作業が実装され得る。この接続部は有線接続であり得る。例えば、１つまたは複数のパッドは、中央本体上のポートを介して中央本体に物理的に接続され得る。係るポートはマイクロＵＳＢポートであり得る。いくつかの事例では、ポートは中央本体のバッテリーを充電する際に利用されるポートであり得る。バッテリーの充電に対して、および１つまたは複数の電極との接続に対して、同一のポートを利用することは、中央本体の小型化を支援し得る。
【００６７】
この中央本体は１個、２個、３個、４個、５個、または６個以上のＬＥＤインジケータを含み得る。本ＬＥＤインジケータはこの装置の異なる状態を表示するために利用され得る。例えばこの中央本体は２個のＬＥＤインジケータを含み得る。第１ＬＥＤインジケータは、この装置が電源投入されているかどうかを、および／または、この装置が現在稼働中、または刺激作業を実行中であるかどうかを、表示するために使用され得る。第２ＬＥＤインジケータは中央本体のバッテリー充電状態を表示するために使用され得る。
【００６８】
いくつかの事例では、この中央本体はユーザに対して取り付けられるよう、または配置されるよう、構成され得る。例えば、この中央本体は基部ユニット２０４を介してユーザに取り付けられるか、または連結され得る。この基部ユニットはこの中央本体に対して一体化され得る。代替的にこの基部ユニットは、この中央本体に対して取り付け可能／取り外し可能である構成要素を含み得る。この基部ユニットは、任意の機構（例えばスナップ嵌合機構、摺動嵌合機構、粘着部、等）を介して、この中央本体に対して取り付けられ、または取り外され得る。この基部ユニットは再利用可能であり得る。代替的にまたは追加的に、この基部ユニットは、単回使用の後、または制限回数の使用の後（例えばユーザに対する貼り付け）に、交換されるよう構成され得る。この基部ユニットは、ユーザに対して取り付けるための任意のユニット（単数または複数）を含み得る。例えば、この基部ユニットは粘着部を含み得る。いくつかの事例では、この粘着部は、ＥＭＳ装置の貼り付けおよび／または取り外しを支援する１つまたは複数のタブ２０６を含み得る。代替的にまたは追加的に、この基部ユニットは１つまたは複数のストラップを含み得る。
【００６９】
このＥＭＳ装置はユーザの身体上に配置された任意の筋肉群に連結され得る。いくつかの事例では、この基部ユニットを用いることにより、所望の刺激位置および／または作業に応じて、ユーザの身体上の任意の所望の位置にこのＥＭＳ装置を連結することが可能となる。例えば粘着部を用いることにより、広くユーザの身体上の任意の所望の位置上（例えば、腕、脚、膝、胸、腹部、背中、首、肩、その他の上）にＥＭＳ装置を貼り付けることが可能となり得る。代替的にこの基部ユニットはユーザに対して選択的に連結されるよう設計され得る。例えば、１つまたは複数のストラップは、ユーザの腕、腹部、脚、首、胸、その他に連結されるようなサイズまたは形状を有し得る。
【００７０】
この中央本体は小型の外形を含み得る。例えば、この中央本体は、ユーザの衣服の下方にシームレスに着用可能となるような低い外形を含み得る。この中央本体は、５ｃｍ、４ｃｍ、３ｃｍ、２ｃｍ、１．５ｃｍ、１ｃｍ、０．７５ｃｍ、または０．５ｃｍに等しいか、またはこれよりも小さい高さを含み得る。この中央本体の高さは、基部から垂直に延長するこの装置の長さを指し得る。例えば、図２に関して、この中央本体の高さは図面から外側に延長し得る。いくつかの事例では、この中央本体は、日常的な活動が干渉されることなくこの中央本体がユーザに（例えば基部ユニットを介して）連結され得るよう、人間工学的であり得る。いくつかの事例では、この中央本体は、この中央本体がユーザの衣服の下方でユーザに（例えば基部を介して）連結され、通常の活動を行うことが可能となり得るよう、人間工学的であり得る。いくつかの事例では、この中央本体の最大寸法は、約２０ｃｍ、１８ｃｍ、１６ｃｍ、１４ｃｍ、１２ｃｍ、１０ｃｍ、８ｃｍ、６ｃｍ、４ｃｍ、もしくは２ｃｍに等しいか、またはこれよりも小さい値であり得る。いくつかの事例では、この中央本体の最大体積は、約５００ｃｍ３、３００ｃｍ３、１００ｃｍ３、７５ｃｍ３、５０ｃｍ３、２５ｃｍ３、もしくは１０ｃｍ３に等しいか、またはこれよりも小さい値であり得る。いくつかの事例では、この中央本体の重量は、約１００グラム、９０グラム、８０グラム、７０グラム、６０グラム、５０グラム、４０グラム、３０グラム、２０グラム、１０グラム、もしくは５グラムに等しいかまたはこれよりも小さい値であり得る。
【００７１】
いくつかの事例では、この中央本体は簡易インターフェース２０８を含み得る。この簡易インターフェースはユーザから入力から受け取るために利用され得る。この簡易インターフェースはこの装置を電源投入または電源切断するために利用され得る。代替的にまたは追加的に、この簡易インターフェースは、このＥＭＳ装置をリセットするため、刺激作業を休止するため、刺激作業を再開するため、および／または刺激作業の強度を調整するために、利用され得る。この簡易インターフェースはボタンまたはスイッチを含み得る。いくつかの事例では、この簡易インターフェースは、ユーザによる閲覧が可能であるディスプレイを含まない場合もある。いくつかの事例では、この簡易インターフェースは最大で１個、２個、３個、４個、または５個のボタンまたはスイッチを含み得る。例えば、この簡易インターフェースは単一のボタン・インターフェースを含み得る。本単一ボタンは、このＥＭＳ装置を電源投入および電源切断するために、ならびに、このＥＭＳ装置をリセットするため、刺激作業を休止もしくは再開するため、および刺激作業の強度を調整するために、利用され得る。
【００７２】
いくつかの事例では、この中央本体はセンサ・システム２１２を含み得る。このセンサ・システムは、この中央本体上またはこの中央本体内の任意の場所に配置され得る。代替的にまたは追加的に、このセンサ・システムは基部ユニット２０４上に配置され得る。このセンサ・システムは、ユーザからの信号を検知するよう、プログラムされるかまたは別様に構成され得る。いくつかの事例では、このセンサ・システムは、筋肉が収縮したときの筋肉表面からの信号を記憶するよう、プログラムされるかまたは別様に構成され得る。これらの信号は、機械的信号および／または電気信号を含み得る。例えば、筋音図（ＭＭＧ）または低周波振動がこのセンサ・システムを利用して観察および／または記録され得る。このセンサ・システムは信号を検知するための任意の好適なユニット（単数または複数）を含み得る。例えば、このセンサ・システムは加速度計、ジャイロスコープ、および／またはマイクロフォンを含み得る。いくつかの事例では、加速度計は３軸加速度計であり得る。このセンサ・システムは、刺激作業の実行中にユーザから信号を検知するよう、プログラムされるかまたは別様に構成され得る。
【００７３】
例えば刺激作業が実装されている間、１つまたは複数のパッドの近位にある筋肉は、伝達された電気的インパルスにより収縮を経験し得る。このセンサ・システムは、収縮を経験している筋肉の表面から信号（例えば振動）を検知し、係る信号を解析のために記録し得る。この解析はこのＥＭＳ装置の処理ユニット上で実行され得る。代替的にまたは追加的に、検知済みデータはモバイル装置に伝達され、解析はモバイル装置上で実行され得る。代替的にまたは追加的に、解析は他の場所でも実行され得る。例えば、このデータはサーバ（例えばクラウド・サーバ）に伝達され、このサーバ上で解析が実行され得る。いくつかの事例では、処理済みデータは、モバイル装置および／またはサーバに、さらに伝達され得る。例えば、処理済みデータは、処理ユニットにより処理または解析され、次にモバイル装置および／またはサーバに伝達され得る。
【００７４】
いくつかの事例では、このセンサ・システムは、例えば環境的要因を取得するために、環境からの信号を検知するよう、プログラムされるかまたは別様に構成され得る。例えば、加速度計は、基準座標系に対する加速度および／または速度を記録するよう、プログラムされるかまたは別様に構成され得る。例えば、ジャイロスコープは、回転基準座標系における回転角速度を記録するよう、プログラムされるかまたは別様に構成され得る。記録されたデータは、ユーザの運動を解析するために利用され得る。例えば、この記録されたデータに基づいて、リアルタイム歩行および／またはハンドグリップ解析が実行され得る。この解析はこのＥＭＳ装置の処理ユニット上で実行され得る。代替的にまたは追加的に、検知済みデータはモバイル装置に伝達され、解析はモバイル装置上で実行され得る。代替的にまたは追加的に、解析は他の場所でも実行され得る。例えば、このデータはサーバ（例えばクラウド・サーバ）に伝達され、このサーバ上で解析が実行され得る。いくつかの事例では、処理済みデータは、モバイル装置および／またはサーバに、さらに伝達され得る。例えば、処理済みデータは、処理ユニットにより処理または解析され、次にモバイル装置および／またはサーバに伝達され得る。
【００７５】
このセンサ・システムは電気的インパルスの発生と併せて使用されるよう構成され得る。いくつかの事例では、このセンサ・システムから読み出されたデータに基づいて、このＥＭＳ装置は、適切な時間において電気的インパルスを発生するよう、プログラムされるかまたは別様に構成され得る。例えば、このＥＭＳ装置は、（例えば腓骨神経および／またはふくらはぎ筋に連結された場合）下垂足支援装置として機能し得、このセンサ・システムにより検知されたデータに基づいて適切な時間に電気的インパルスを発生し得る。いくつかの事例では、このデータは、刺激下の筋肉の疲労レベルを判定するために、刺激作業の間にこのセンサ・システムにより読み取られるかまたは検知され得る。検知および／または記録されたＭＭＧパラメータにしたがって、刺激作業は調整され得る（例えば刺激の強度、および／または他の刺激パラメータ）。
【００７６】
収集されたデータ（処理済みまたは未処理）は、モバイル装置に伝達され得る。いくつかの事例では、実装された刺激作業に関するデータは記録または追跡され得る。例えば、刺激に関するパラメータは、例えば中央本体の処理ユニットにより、記録され得る。いくつかの事例では、刺激長さ、刺激強度、刺激作業回数、または他のパラメータ（例えば収縮もしくは休止期間に対する刺激周波数、パルス幅、デューティサイクル・パラメータ、上昇値、下降値、バーストパルス・パラメータ、刺激強度、波形形状、または位相間間隔、その他など）が記録され得る。いくつかの事例では、このセンサ・システムからのデータは記録または追跡され得る。記録または追跡されたデータは、例えばワイヤレス通信チャネルを介して、モバイル装置に伝達されるよう構成され得る。
【００７７】
収集されたデータ（処理済みまたは未処理）はサーバに伝達され得る。いくつかの事例では、収集されたデータ（処理済みまたは未処理）はモバイル装置を介してサーバに伝達され得る。いくつかの事例では、実装された刺激作業に関するデータは記録または追跡され得る。例えば、刺激に関するパラメータは、例えば中央本体の処理ユニットにより、記録され得る。いくつかの事例では、刺激長さ、刺激強度、刺激作業回数、または他のパラメータ（例えば収縮もしくは休止期間に対する刺激周波数、パルス幅、デューティサイクル・パラメータ、上昇値、下降値、バーストパルス・パラメータ、刺激強度、波形形状、または位相間間隔、その他など）が記録され得る。いくつかの事例では、このセンサ・システムからのデータは記録または追跡され得る。記録または追跡されたデータは、例えばモバイル装置などの中間物を使用して、サーバに伝達されるよう構成され得る。
【００７８】
中央本体は、中央本体がユーザに連結された後は忘れることが可能となるよう、取り扱い難さが最小化されるよう設計され得る。そのため、モバイル装置と併せておよび／またはセンサ・システムと一体化されての使用される能力がある前述の小型外形の簡易インターフェースは有利であり得る。例えば、この中央本体は粘着部またはストラップを介して、人間工学的にかつ取り扱いやすく、ユーザに連結され得る。ユーザは、日常生活で使用されるモバイル装置を介して刺激作業を実装し得、その一方で、小型ＥＭＳ装置は取り扱いやすい状態で（例えばユーザの衣服の下方で）刺激を実行する。ユーザは、必要時に簡易インターフェースを介してこのＥＭＳ装置と相互作用し得る。このＥＭＳ装置は、このＥＭＳ装置が使用にあたり簡単でかつ取り扱いやすくなるよう追加的なアタッチメントを必要とすることなく、一体化されたセンサ・システムを有するＥＭＳ装置に、様々な追加的機能を、さらに提供し得る。センサ・システムが中央本体に対して一体化されていることは、センサ・システムがユーザからの信号をピックアップまたは検知する能力を有するよう基部ユニットを介して中央本体がユーザに対して近接して取り付けられる場合には、有意義であり得る。刺激作業に関するデータ、および／または、他の検知済み信号はさらに、管理および追跡の利便性のために、モバイル装置に、および／または、プラットフォーム（例えばサーバ）に、アップロードされ得る。
【００７９】
図３では、様々な実施形態に係る、複数のＥＭＳ装置３０４、３０６、３０８に対して通信するモバイル装置３０２が図示されている。これらのＥＭＳ装置の各ＥＭＳ装置は本明細書で前述のＥＭＳ装置であり得る。例えばこれらのＥＭＳ装置の各ＥＭＳ装置は、低い外形を備え得、人間工学的であり得、簡易インターフェースを含み得、センサ・システムを含み得、および／またはモバイル装置と併せて使用され得る。単一のモバイル装置は、１個、２個、３個、５個、７個、１０個、１５個、２０個、５０個、１００個、５００個、１０００個、２０００個、５０００個、１００００個、２００００個、５００００個、１０００００個、またはそれ以上のＥＭＳ装置に対して通信し得る。単一のモバイル装置は、これらのＥＭＳ装置の各ＥＭＳ装置に対して直接的に通信し得る。いくつかの事例では、このモバイル装置は、無線周波数（ＲＦ）プロトコルを利用することによりワイヤレス通信を介して、これらのＥＭＳ装置の各ＥＭＳ装置に対して通信し得る。いくつかの事例では、このモバイル装置は、実質的に本明細書で記載のＡＮＴ＋、Ｂｌｕｅｔｏｏｔｈ（登録商標）、またはＧａｚｅｌｌプロトコルを利用することによりワイヤレス通信を介して、これらのＥＭＳ装置の各ＥＭＳ装置に対して通信し得る。いくつかの事例では、このモバイル装置は、異なるＥＭＳ装置３０４、３０６、３０８の各ＥＭＳ装置上で刺激作業を実装するための命令を伝達し得る。このＥＭＳ装置により記録または追跡された全データ（例えば刺激作業のパラメータに関するデータまたはセンサ・システムからのデータ）はさらに、モバイル装置３０２に戻されるよう構成され得る。
【００８０】
このモバイル装置は、異なるＥＭＳ装置の各ＥＭＳ装置に１セットの命令を伝達するよう、プログラムされるかまたは別様に構成され得る。異なるＥＭＳ装置の各ＥＭＳ装置に伝達される１セットの命令は、互いに異なってもよく、または異ならなくてもよい。異なるＥＭＳ装置の各ＥＭＳ装置に伝達される１セットの命令は、異なる時間に伝達されてもよく、または同時に伝達されてもよい。したがって、異なる刺激作業または同一の刺激作業が、異なる時間に、または同時に、異なるＥＭＳ装置を介して実装され得る。
【００８１】
例えば異なるＥＭＳ装置がユーザの異なる場所上に配置され得る。このモバイル装置は、同一セットの命令を異なるＥＭＳ装置の各ＥＭＳ装置に同時に伝達し、それによりユーザ上の異なる場所上で同一の刺激作業（例えばフィットネス用）を実装し得る。他の事例では、異なるＥＭＳ装置が異なるユーザ上に配置され得る。このモバイル装置は、異なるＥＭＳ装置の各ＥＭＳ装置に同一セットの命令を伝達し、それにより異なるユーザ上で同一の刺激作業を実装し得る。これは、例えば、同時にまたは逐次的に他者に対して同一の刺激作業を実装することを望む、ヘルスケア専門家（例えば、医者、療法士、看護師、その他）または他のサービス提供者（例えばトレーナー）に対して、特に応用され得る。
【００８２】
他の事例では、異なるＥＭＳ装置がユーザの異なる場所上に配置され得る。このモバイル装置は、異なるＥＭＳ装置の各ＥＭＳ装置に異なるセットの命令を伝達し、それによりユーザの上の異なる場所上で異なる刺激作業を実装し得る。例えば、ＥＭＳ装置２０４は、ユーザの腓骨神経上またはその近位に配置されて、下垂足支援を提供し得る。ＥＭＳ装置２０６は、クワッドまたはハムストリング筋上またはその近位に配置されて、大腿部脆弱性リハビリテーションを提供し得る。一方、ＥＭＳ装置２０８は、ユーザの前腕に取り付けられて手のリハビリテーションにおいて援助し得る。他の事例では、異なるＥＭＳ装置が異なるユーザ上に配置され得る。このモバイル装置は、異なるＥＭＳ装置の各ＥＭＳ装置に異なるセットの命令を伝達し、それにより異なるユーザ上で異なる刺激作業を実装し得る。例えば、競技者トレーナーが、パーソナライズされたおよび／またはターゲット化された刺激作業を、異なる個人に提供し得る。これは、例えば、同時にまたは逐次的に他者に対して異なる刺激作業を実装することを望む、ヘルスケア専門家（例えば、医者、療法士、看護師、その他）または他のサービス提供者（例えばトレーナー）に対して、特に応用され得る。
【００８３】
いくつかの事例では、各ＥＭＳ装置（例えば中央本体）は、他の装置に対して通信するよう、プログラムされるかまたは別様に構成され得る。例えば、各ＥＭＳ装置は、当該ＥＭＳ装置に実質的に類似した他の装置に対して通信するよう、プログラムされるかまたは別様に構成され得る。図４では、様々な実施形態に係る、実質的に類似した装置４０４、４０６、４０８、４１０に対して通信するＥＭＳ装置４０２が図示されている。実質的に類似した装置は、ＥＭＳ装置４０２に対して実質的に形状またはサイズにおいて類似し得る。例えば、これらの類似した装置は、ＥＭＳ装置４０２と同一の低い外形を備え得、取り扱いやすい状態でユーザに連結されるよう構成され得る。いくつかの事例では、ユーザは、複数のＥＭＳ装置が身体に（例えば衣服の下方に）取り付けられた状態で、通常の日常的活動を行い得る。代替的にまたは追加的に、これらの類似した装置は、ＥＭＳ装置４０２の内部電気構成部品に実質的に類似した内部電気構成部品を含み得る。いくつかの実施形態では、これらの実質的に類似した装置は、ＥＭＳ装置４０２と同一であり得る。
【００８４】
ＥＭＳ装置は、有線接続またはワイヤレス接続を介して、他の装置に対して通信し得る。例えばＥＭＳ装置は、ワイヤレス通信チャネルを通してデータの送信および／または受信を行うことにより、他の類似した装置に対して通信し得る。いくつかの事例では、ワイヤレス通信チャネルは無線周波数（ＲＦ）プロトコルを利用し得る。例えば、ワイヤレス通信チャネルはＡＮＴ＋、Ｇａｚｅｌｌ、またはＢｌｕｅｔｏｏｔｈ（登録商標）プロトコルを利用し得る。
【００８５】
いくつかの事例では、類似した装置４０４、４０６、４０８、４１０と併せてＥＭＳ装置４０２は、１セットＥＭＳ装置４００を含み得る。１セットのＥＭＳ装置は、１個、２個、３個、４個、５個、７個、１０個、１５個、２０個、５０個、１００個、５００個、１０００個、２０００個、５０００個、１００００個、２００００個、５００００個、１０００００個、またはそれ以上のＥＭＳ装置を含み得る。この１セットのＥＭＳ装置は、以下でさらに説明される１つまたは複数の刺激作業を実装するよう、プログラムされるかまたは別様に構成され得る。この１セットのＥＭＳ装置により記録または追跡された全データ（例えば刺激作業のパラメータに関するデータまたはセンサ・システムからのデータ）はさらに、モバイル装置４２０に戻されるよう構成され得る。１セットのＥＭＳ装置はマスター装置４０２を含み得る。いくつかの事例では、このセットのＥＭＳ装置は単一のマスター装置を含み得る。いくつかの事例では、このマスター装置のみがモバイル装置４２０に対して通信し得る。このマスター装置は、ワイヤレス通信チャネルを介して複数の他の類似した装置４０４、４０６、４０８、４１０、その他にコマンドをブロードキャストまたは分配するよう、プログラムされるかまたは別様に構成され得る。これらのコマンドは、刺激作業の実装および／または実行に関し得る。代替的にまたは追加的に、このマスター装置は、他の類似した装置の各装置からデータまたは信号を受け取るよう、プログラムされるかまたは別様に構成され得る。
【００８６】
これらの類似した装置は、マスター装置からコマンドを受け取るよう、プログラムされるかまたは別様に構成され得る。マスター装置からコマンドを受け取るようプログラムされるかまたは別様に構成されたこれらの類似した装置は、スレーブ装置とも呼ばれ得る。これらのスレーブ装置はコマンドを受け取り、刺激作業を実装し得る。加えて、これらのスレーブ装置の各スレーブ装置は、実質的に上述のＥＭＳ装置に対して説明したデータの収集および／または解析を実行するよう、プログラムされるかまたは別様に構成され得る。これらのデータは、刺激作業に関するデータ、および／またはセンサ・システムにより検知された他のデータであり得る。収集および／または解析されたデータはさらにマスター装置に伝達され得る。いくつかの事例では、これらのスレーブ装置の各スレーブ装置は、マスター装置に対してのみ通信するよう、プログラムされるかまたは別様に構成され得る。代替的に、これらのスレーブ装置の一部または全部は、他のスレーブ装置に対して通信するよう、プログラムされるかまたは別様に構成され得る。
【００８７】
この１セットのＥＭＳ装置は、１つまたは複数の刺激作業を実装するよう、プログラムされるかまたは別様に構成され得る。いくつかの事例では、この１セットのＥＭＳ装置は協働して単一の刺激作業を実装し得る。例えば、マスター装置４０２は１セットの命令をモバイル装置４２０から受け取り得る。マスター装置の処理ユニットは、この１セットの命令を実行し、さらに、この１セットの命令またはこれらの命令の関連する部分をスレーブ装置に伝達（例えばブロードキャスト）し得る。これらのスレーブ装置の各スレーブ装置は受け取られた命令をさらに実行し得る。結果として、このセットのＥＭＳ装置は協働して刺激作業を実装し得る。いくつかの事例では、このセットのＥＭＳ装置内の全装置が刺激作業を実装し得る。代替的に、このセットのＥＭＳ装置内の全装置の部分集合が刺激作業を実装し得る。刺激作業は、装置４０２、４０４、４０６、４０８、または４１０に対して異なるパラメータを含み得る。例えば、刺激作業を集合的に実装するが、装置４０２、４０４、４０６、４０８、または４１０は、刺激長さ、刺激強度、刺激作業回数などのパラメータにおいて、または、他のパラメータ（例えば収縮または休止期間に対する刺激周波数、パルス幅、デューティサイクル・パラメータ、上昇値、下降値、バーストパルス・パラメータ、刺激強度、波形形状、または位相間間隔など）において、異なる電気パルスを出力し得る。
【００８８】
代替的に、この１セットのＥＭＳ装置は複数の刺激作業を実装する。例えば、マスター装置４０２は１セットの命令をモバイル装置４２０から受け取り得る。このマスター装置の処理ユニットは、この１セットの命令を実行し、さらに、この１セットの命令またはこれらの命令の関連する部分をスレーブ装置の部分集合に伝達（例えばブロードキャスト）し得る。これらの命令を受け取ったこれらのスレーブ装置の各スレーブ装置はさらに、受け取られた命令を実行し、それにより刺激作業を実装し得る。同時にまたは逐次的に、このマスター装置は第２セットの命令をモバイル装置から受け取り得る。このマスター装置の処理ユニットは、この第２セットの命令を実行し、さらに、この第２セットの命令またはこれらの命令の関連する部分をスレーブ装置の第２部分集合に伝達（例えばブロードキャスト）し得る。第２セットの命令を受け取ったこれらのスレーブ装置の各スレーブ装置はさらに、受け取られた命令を実行し、それにより第２刺激作業を実装し得る。このセットのＥＭＳ装置は、１個、２個、５個、１０個、１５個、２０個、３０個、またはそれ以上の刺激作業を実装し得る。いくつかの事例では、このセットのＥＭＳ装置は、同時に１個、２個、５個、１０個、１５個、２０個、３０個、またはそれ以上の刺激作業を実装し得る。
【００８９】
図５では、様々な実施形態に係る、複数セットのＥＭＳ装置５０４、５０６、５０８に対して通信するモバイル装置５０２が図示されている。図５で示されているように、単一のモバイル装置が複数のセットのＥＭＳ装置に連結され得る。各セットのＥＭＳ装置は１つまたは複数の刺激作業を実装する能力を有し得る。例えば、単一のモバイル装置が、例えば異なる場所にわたって刺激作業を実装することにおいて、ヘルスケア専門家（例えば医者、療法士、看護師、その他）または他のサービス提供者（例えばトレーナー）により、利用され得る。例えば第１セットのＥＭＳ装置５０４が第１場所に配置され得る。サービス提供者は、自分のモバイル装置を使用して適切な刺激プログラム（単数または複数）をエンドユーザに提供し、データ（例えばセンサ・システムからのデータ、または刺激作業に関するデータ）を適宜収集し得る。引き続きサービス提供者は第２セットのＥＭＳ装置５０６を第２場所に移動させ得る。第２場所において、サービス提供者は、同一のモバイル装置を使用して他のエンドユーザに適切な刺激プログラム（単数または複数）を提供し、データ（例えばセンサ・システムからのテータ、または刺激作業に関するデータ）を適宜収集し得る。引き続きサービス提供者は第３セットのＥＭＳ装置５０８を第３場所に移動させ得る。第３場所において、サービス提供者は、同一のモバイル装置を使用して他のエンドユーザに適切な刺激プログラム（単数または複数）を提供し、データ（例えばセンサ・システムからのテータ、または刺激作業に関するデータ）を適宜収集し得る。したがって、図５で提供される構成は、サービス提供者が様々な場所において単一のモバイル装置を利用することを可能にし得る。それにより、効率が向上し、サービス提供者のクライアントに関するデータをキャプチャするための集中化されたプラットフォームが可能となる。
【００９０】
これらのＥＭＳ装置は、相互に通信し合う能力、または実質的に類似した装置に対して通信する能力を有するため、各ＥＭＳ装置は、ＥＭＳ装置群が必要時に多様で広範な範囲の刺激作業を提供することが可能である一方で、各ＥＭＳ装置が日常生活に組み込まれることが可能となるよう、小型の外形を保ち、取り扱い易さが失われ得ない。さらに、単一のモバイル装置を用いて刺激作業の管理および追跡を実行することが可能であるため、効率性および利便性がエンドユーザに対して提供されるのみではなく、サービス提供者が効率的にクライアントを管理すること、または、プロフェッショナル品質の刺激作業を実行および／または実演することが可能となり、それによりクライアントは、同一の取り扱いが容易であるＥＭＳ装置を便利に使用し得る。
【００９１】
図６では、様々な実施形態に係る刺激作業を実装するためのシステムが図示されている。実質的に本明細書で説明されるように、このシステムは、図１に関して説明した、１つまたは複数のＥＭＳ装置６０１、モバイル装置６０３、エンドユーザ６０５、および／またはサーバ６０７を含むがこれらに限定されない複数の構成要素を含み得る。いくつかの事例では、このシステムは他のユーザ６０９を追加的に含み得る。いくつかの事例では、これらの他のユーザはＥＭＳ装置（例えばＥＭＳ装置６０１とは異なるＥＭＳ装置）の他のユーザであり得る。いくつかの事例では、これらの他のユーザは、ＥＭＳ装置または電気的刺激に関して関心を有する個人であり得る。いくつかの事例では、これらの他のユーザは、専門技師、ヘルスケア専門家、および／または他のサービス提供者であり得る。
【００９２】
いくつかの事例では、他のユーザは、実質的に本明細書で記載の（例えばサーバ６０７上の）プラットフォームを使用して刺激作業を創るかまたは考案し得る。所望により、この創られた刺激作業は、エンドユーザ６０５がダウンロードするよう公開され得る。このダウンロードされる刺激作業は、モバイル装置および／またはＥＭＳ装置を使用して実質的に本明細書で記載のように実行および実装され得る。いくつかの事例では、公開済みの刺激作業は、様々なパラメータ（例えば人気度、ダウンロード回数、その他）を使用して、カテゴリー化またはランク付けされ得る。したがってこのプラットフォームは、カスタム設計された刺激作業を、ユーザが考案、共有、およびダウンロードすることを可能にする。
【００９３】
いくつかの事例では、他のユーザは、様々な刺激作業の計画またはスケジュールを、創るかまたは考案し得る。例えば他のユーザは、このプラットフォーム上で刺激作業を計画し得る。例えば、ユーザに対して実装されるべき刺激作業の順序またはスケジュールは、このプラットフォームを使用して、計画され得る。この順序またはスケジュールは、一定時間（例えば時間、数日、数週間、数ヶ月、その他）にわたりユーザ上で実装されることを意図された刺激作業を含み得る。刺激作業のスケジュールおよび計画は、実質的に上述のように、エンドユーザがダウンロードするために公開され得る。
【００９４】
いくつかの事例では、このプラットフォームは、他のユーザ６０９が、エンドユーザ６０５に対する刺激作業を計画、管理、追跡することを可能にする。いくつかの事例では、エンドユーザに対するアカウントが他のユーザにより登録および／または管理され得る。特に、このプラットフォームは、ある時間的期間にわたりクライアントにカスタム化された、広範な、および／または多様な刺激作業を提供することを意図するサービス提供者に対して有利であり得る。
【００９５】
例えば、専門ユーザ（例えばサービス提供者）は、計画またはカスタム化された刺激作業の提供を望む新規のエンドユーザに遭遇し得る。専門ユーザは、プラットフォームまたはサーバ６０７を用いて、新規エンドユーザに対するアカウント（例えば患者アカウント）を登録し得る。代替的にまたは追加的に、新規エンドユーザは自分のアカウントをプラットフォームまたはサーバを用いて登録し得る。いくつかの事例では、専門ユーザおよび新規エンドユーザの両方は、登録済みアカウントに対して異なる度合いのアクセシビリティを有し得る。
【００９６】
専門ユーザは、例えばこのプラットフォームを使用して、新規の刺激作業を提示し、および／または、この新規刺激作業と、新規エンドユーザのアカウントと、を関連付け得る。いくつかの事例では、新規刺激作業は、新規エンドユーザに対するカスタム設計された刺激作業であり得る。代替的にまたは追加的に、新規刺激作業は、新規エンドユーザの所与の目的に適した既存の刺激作業であり得る。専門ユーザは追加的に、新規エンドユーザのための刺激作業に対する計画を考案および提示し得る。例えば、専門ユーザは、時間の経過とともに、様々な刺激作業を登録済みアカウントに関連付け得る。専門ユーザはさらに、刺激作業に関する統計を、および／またはユーザから伝達された他のセンサデータを、追跡し得る。
【００９７】
サーバから、刺激計画および／または刺激作業は、ユーザのモバイル装置６０３に取得され得る。いくつかの事例では、この取得は自動的に実施され得る。代替的に、この取得は、エンドユーザによる要求がなされたとき、または設定された間隔で、実施され得る。いくつかの事例では、この取得は、エンドユーザの承認または確認が実行された後にのみ、許可され得る。例えば、ＳＳＬ／ＴＬＳセキュアプロトコルを使用して、エンドユーザ（例えばエンドユーザのモバイル装置）は、刺激計画および／または刺激作業を取得するにあたり適切な要員であるものとして、サーバにより認証され得る。
【００９８】
エンドユーザ６０５は刺激装置６０１を自分の身体に貼り付け得る。エンドユーザは追加的にモバイル装置を利用し、刺激装置を制御するための関連アプリケーションを実行し得る。いくつかの事例では、エンドユーザは１種類の刺激作業を選択し得る。例えば、エンドユーザは、専門ユーザにより準備された計画済み刺激作業を選択し得る。代替的にまたは追加的に、エンドユーザは日常的な刺激作業を、および／または他の事前ロードまたはダウンロードされた刺激作業を、選択し得る。エンドユーザは、刺激作業を実行し、および／または、刺激作業の進行を管理し得る。いくつかの事例では、エンドユーザは刺激作業の強度を、例えばモバイル装置を使用して、調整し得る。いくつかの事例では、エンドユーザは、例えばモバイル装置を使用して、刺激装置の構成、アクティブ化、および／または非アクティブ化を実行し得る。
【００９９】
刺激装置は、刺激作業および／または他の検知済みデータに関するデータを記録し得る。刺激装置は、通信チャネルを使用して、刺激作業および／または他の検知済みデータに関する統計またはデータをモバイル装置に伝達し得る。伝達された統計またはデータはさらに、プラットフォームまたはサーバに伝達され、専門ユーザにより追跡され得る。
【０１００】
図７では、様々な実施形態に係るユーザを刺激するための方法が示されている。方法７００は、本明細書を通じて説明される装置およびシステムが利用される方法の１例であり得る。ステップ７０１では、中央本体（例えばＥＭＳ装置の中央本体）がモバイル装置から刺激プログラムを受け取り得る。この中央本体は１０ｃｍに等しいかまたは１０ｃｍよりも小さい最大寸法を有し得る。いくつかの事例では、この中央本体は３０グラムに等しいかまたは３０グラムよりも小さい重量を有し得る。この中央本体は、実質的に上述の、信号を検知するようプログラムされるかまたは別様に構成されたセンサ・システムを、刺激プログラムを起動するようプログラムされるかまたは別様に構成された処理ユニットを、および／または、刺激プログラムに応答して電気的インパルスを発生するようプログラムされるかまたは別様に構成されたパルス発生装置を、を含み得る。いくつかの事例では、このセンサ・システムは加速度計またはジャイロスコープを含み得る。
【０１０１】
ステップ７０３では、中央本体の処理ユニットは、刺激プログラムを起動または実行し得る。いくつかの事例では、処理ユニットは複数の異なる刺激プログラムを実行するようプログラムされるかまたは別様に構成され得る。複数の異なる刺激プログラムはユーザによる設定が可能であり得る。いくつかの事例では、複数の異なる刺激プログラムは、刺激周波数、パルス幅、デューティサイクル・パラメータ、上昇値および下降値、バーストパルス・パラメータ、波形形状、または相間間隔のうちの少なくとも１つにおいて異なり得る。複数の異なる刺激プログラムは特定の用途に対するものであり得る。例えば、異なる刺激プログラムは、リハビリテーション目的のために、回復のために、リラクセーションのために、または能力向上のために、下垂足支援プログラムを提供し得る。
【０１０２】
ステップ７０５では、中央本体のパルス発生装置は、実行される刺激プログラムに応答して電気的インパルスを発生し得る。ステップ７０７では、中央本体に対して通信する１つまたは複数のパッドは電気パルスを伝達し、それによりユーザを刺激し得る。この１つまたは複数のパッドは、ユーザに対して取り付けられるよう、かつ中央本体に対して通信するよう、構成され得る。いくつかの事例では、中央本体は有線接続を介して１つまたは複数のパッドに対してインターフェース接続し得る。
【０１０３】
いくつかの事例では、この方法は、センサ・システムの支援を用いて信号を検知することをさらに含み得る。検知された信号は筋音図（ＭＭＧ）表示値を含み得る。代替的にまたは追加的に、検知された信号は他のＥＭＧ表示値または他種類の表示値を含み得る。
【０１０４】
いくつかの事例では、この方法は、センサ・システムにより検知された信号を解析することをさらに含み得る。例えば、ＭＭＧ表示値は筋肉能力パラメータを検出するために解析され得る。例えば、ＭＭＧ表示値は筋肉疲労のレベルを検出するために解析され得る。いくつかの実施形態では、解析ステップはユーザの歩行または握力の解析に関し得る。いくつかの事例では、中央本体の処理ユニットは、ユーザを刺激し、同時にまたは逐次的に検知された信号を解析するよう、プログラムされるかまたは別様に構成され得る。
【０１０５】
いくつかの事例では、この方法は、中央本体を基部ユニットに対して取り付けることを、および／または取り外すことを、さらに含み得る。取り付けるステップは、刺激プログラムの起動の前に実施され得る。基部ユニットは異なるターゲットに取り付けるよう構成された異なる種類の基部ユニットを含み得る。いくつかの事例では、異なるターゲットは、ユーザの膝、大腿部、または前腕を含み得る。いくつかの事例では、基部ユニットは１つまたは複数のストラップを含む。代替的にまたは追加的に、この基部ユニットは１つまたは複数の粘着部を含み得る。
【０１０６】
いくつかの事例では、方法７００を実装するための電気的刺激装置が提供され得る。この装置は、信号を検知するようプログラムされるかまたは別様に構成されたセンサ・システムを、刺激プログラムを実行するようプログラムされるかまたは別様に構成された処理ユニットを、および、刺激プログラムに応答して電気的インパルスを発生するようプログラムされるかまたは別様に構成されたパルス発生装置を、含む中央本体と、中央本体に対して通信する１つまたは複数のパッドであって、ユーザに取り付けられるよう、かつ、電気パルスを伝達し、それによりユーザを刺激するよう、構成された、１つまたは複数のパッドと、を含み得る。
【０１０７】
いくつかの事例では、方法７００を実装するためのシステムが提供され得る。このシステムは、ユーザが刺激プログラムを選択するモバイル装置と、刺激プログラムが受け取られる中央本体であって、信号を検知するようプログラムされるかまたは別様に構成されたセンサ・システムを、刺激プログラムを起動するようプログラムされるかまたは別様に構成された処理ユニットを、および、刺激プログラムに応答して電気的インパルスを発生するようプログラムされるかまたは別様に構成されたパルス発生装置を、を含む、中央本体と、中央本体に対して通信する１つまたは複数のパッドであって、ユーザに取り付けられるよう、かつ、電気パルスを伝達し、それによりユーザを刺激するよう、構成された、１つまたは複数のパッドと、を含み得る。
【０１０８】
いくつかの事例では、方法７００を、または本明細書の全体を通じて提供される任意の実施形態を、実装するための装置は、キットにおいて提供され得る。このキットは、本明細書の全体を通して記載される装置（例えばＥＭＳ装置）のいずれかと、ユーザに対してこの装置を適切に配置するための指示書と、を含み得る。いくつかの事例では、この指示書は、ユーザの必要に応じてこの装置を複数の異なる位置に適切に配置することを含み得る。いくつかの事例では、複数の異なる位置に適切に配置することは、この装置をユーザの膝、大腿部、または前腕に配置することを含む。例えば、この指示書は、中央本体を含むＥＭＳ装置がユーザの様々な箇所上に配置され得るかについて、説明するかまたは図示し得る。いくつかの事例では、この指示書は、ＥＭＳ装置がユーザ上に広く配置され得るかについて、説明するかまたは図示し得る。いくつかの事例では、この指示書は、ユーザが日常的な活動を実行している間にＥＭＳ装置を利用することが可能となるよう、ＥＭＳ装置がユーザの衣服の下方に配置され得るかについて、説明するかまたは図示し得る。
【０１０９】
代替的にまたは追加的に、このキットは、本明細書の全体を通して説明される装置（例えばＥＭＳ装置）のいずれかと、刺激プログラムを選択し、刺激プログラムにしたがってこの装置を適切に配置するための指示書と、を含み得る。例えば、この指示書は、下垂足支援のためのこの装置の利用を説明し得、ユーザの身体上のいずれの箇所にこの装置が適切に配置され得るかについて図示および／または説明し得る。この指示書は、追加的に、握力解析を実行するためのこの装置の利用を説明し得、ユーザの身体上のいずれの箇所にこの装置が適切に配置され得るかについて図示および／または説明し得る。いくつかの事例では、この刺激プログラムは下垂足支援プログラムであり得、この装置の適切な配置はユーザの腓骨神経またはふくらはぎ筋の上またはその近傍である。いくつかの事例では、この刺激プログラムは大腿部リハビリプログラムであり、この装置の適切な配置はユーザのクワッド（ｑｕａｄ）またはハムストリング筋上である。いくつかの事例では、この刺激プログラムは手リハビリプログラムであり、この装置の適切な配置はユーザの前腕の上である。
【０１１０】
図８では、様々な実施形態に係る類似した装置を用いてユーザを刺激するための方法が示されている。方法８００は、本明細書の全体を通じて説明される装置およびシステムが利用される方法の１例であり得る。ステップ８０１では、第１中央本体はユーザ上の第１場所上に配置され得る。例えば第１中央本体は基部ユニットに対して着脱可能に取り付けられるよう構成され得、この基部ユニットはユーザに対して貼り付けられるかまたは取り付けられ得る。例えば、基部ユニットは１つまたは複数のストラップおよび／または粘着部を含み得る。基部ユニットは異なるターゲットに取り付けるよう構成された異なる種類の基部ユニットを含み得る。いくつかの事例では、異なるターゲットは、ユーザの膝、大腿部、または前腕を含み得る。第１中央本体は、実質的に本明細書の全体を通して説明されるＥＭＳ装置などの装置の中央本体であり得る。いくつかの事例では、第１中央本体は１０ｃｍに等しいかまたは１０ｃｍよりも小さい最大寸法を有し得る。代替的にまたは追加的に、第１中央本体は３０グラムに等しいかまたは３０グラムよりも小さい重量を有し得る。
【０１１１】
ステップ８０３では、第２中央本体はユーザの第２場所上に配置され得る。例えば第２中央本体は基部ユニットに対して着脱可能に取り付けられるよう構成され得、この基部ユニットはユーザに対して貼り付けられるかまたは取り付けられ得る。例えば、基部ユニットは１つまたは複数のストラップおよび／または粘着部を含み得る。基部ユニットは異なるターゲットに取り付けるよう構成された異なる種類の基部ユニットを含み得る。いくつかの事例では、異なるターゲットは、ユーザの膝、大腿部、または前腕を含み得る。第２中央本体は、ＥＭＳ装置などの装置の中央本体であり得る。第２中央本体はいくつかの事例では、実質的に第１中央本体に類似し得る。いくつかの事例では、第２中央本体は実質的に形状またはサイズにおいて第１中央本体に類似し得る。例えば、第２中央本体は１０ｃｍに等しいかまたは１０ｃｍよりも小さい最大寸法を有し得る。代替的にまたは追加的に、第２中央本体は３０グラムに等しいかまたは３０グラムよりも小さい重量を有し得る。いくつかの事例では、第２中央本体は、実質的に第１中央本体の内部電気構成部品に類似した内部電気構成部品を含み得る。
【０１１２】
ステップ８０５では、刺激プログラムが第１中央本体上に搭載された処理ユニットの支援を用いて実行され得る。いくつかの事例では、この刺激プログラムは、第１中央本体に対して通信するモバイル装置から伝達またはアップロードされるプログラムであり得る。このモバイル装置は第１中央本体に対して直接的に通信し得る。いくつかの事例では、このモバイル装置は、ＲＦプロトコル（例えば、ＡＮＴ＋、Ｇａｚｅｌｌ、またはＢｌｕｅｔｏｏｔｈ（登録商標）低エネルギープロトコルなど）を利用することにより第１中央本体に対して通信し得る。このモバイル装置は第２中央本体に対して直接的に通信しない場合もある。所望により、複数の刺激プログラムが、第１中央本体上に搭載された処理ユニットの支援を用いて実行され得る。複数の刺激プログラムは同時にまたは逐次的に実行され得る。複数の刺激プログラムは同一であってもよく、または互いに異なってもよい。いくつかの事例では、複数の刺激プログラムはユーザによる設定が可能であり得、および／またはユーザ構成され得る。いくつかの事例では、複数の刺激プログラムは、刺激周波数、パルス幅、デューティサイクル・パラメータ、上昇値および下降値、バーストパルス・パラメータ、波形形状、または相間間隔のうちの少なくとも１つにおいて互いに異なり得る。いくつかの事例では、複数の刺激プログラムは異なる目的のための目的を含み得る。例えば、これらのプログラムは、下垂足支援プログラム、リハビリテーション・プログラム、回復プログラム、リラクセーション・プログラム、または改善性能プログラムを含み得る。
【０１１３】
ステップ８０７では、コマンドが通信チャネル上でブロードキャストされ得る。このブロードキャストは第１中央本体から発せられ得る。いくつかの事例では、このコマンドは、刺激プログラムの起動の結果として、通信チャネル上でブロードキャストされ得る。
【０１１４】
ステップ８０９では、ブロードキャストコマンドは第２中央本体において受け取られ得る。例えば、通信チャネルが第１中央本体と第２中央本体との間に存在し得る。この通信チャネルはワイヤレス通信チャネルであり得、ＲＦプロトコル（例えばＡＮＴ＋プロトコル、Ｂｌｕｅｔｏｏｔｈ（登録商標）プロトコル、またはＧａｚｅｌｌプロトコルなど）を利用し得る。
【０１１５】
ステップ８１１では、電気的インパルスが、刺激プログラムに応答して発生され得る。いくつかの事例では、電気的インパルスは第１中央本体において発生され得る。代替的にまたは追加的に、電気的インパルスは第２中央本体において発生され得る。例えば、電気的インパルスは、第１中央本体上または第２中央本体上に搭載されたパルス発生装置の支援を用いて発生され得る。
【０１１６】
ステップ８１３では、電気的インパルスは、１つまたは複数のパッドを用いてユーザに伝達され、それによりユーザが刺激され得る。いくつかの事例では、これらの中央本体の各中央本体は有線接続を介して１つまたは複数のパッドに対してインターフェース接続し得る。
【０１１７】
いくつかの事例では、方法８００は、ユーザ上の第３場所に第３中央本体を配置することを含み得る。所望により、追加的な中央本体がユーザ上の異なる場所上に配置され得る。いくつかの実施形態では、第２、第３、または追加的な中央本体の部分集合は単一の刺激プログラムにおいて利用され得る。代替的に、第２、第３、または追加的な中央本体の全部は単一の刺激プログラムにおいて利用され得る。いくつかの事例では、第２、第３、または追加的な中央本体の部分集合または全部は、複数の異なる刺激プログラムにおいて利用され得る。
【０１１８】
いくつかの事例では、方法８００を実装するための電気的刺激装置が提供され得る。この装置は、刺激プログラムを実行するようプログラムされるかまたは別様に構成された処理ユニットを、および、この刺激プログラムに応答して電気的インパルスを発生するようプログラムされるかまたは別様に構成されたパルス発生装置を、含む中央本体であって、１）通信チャネル上でコマンドをブロードキャストするよう、かつ２）中央本体に実質的に類似した１つまたは複数の他の本体であって、通信チャネル上でブロードキャストコマンドを受け取り、それに応答して電気的インパルスを発生するよう構成された１つまたは複数の本体に対して通信するよう、構成された、中央本体と、中央本体に対して、または１つもしくは複数の他の本体に対して、通信する１つまたは複数のパッドであって、ユーザに取り付けられるよう、かつ、電気パルスを伝達し、それによりユーザを刺激するよう、構成された、１つまたは複数のパッドと、を含み得る。
【０１１９】
いくつかの事例では、方法８００を実装するためのシステムが提供され得る。このシステムは、刺激プログラムを実行するようプログラムされるかまたは別様に構成された処理ユニットを、およびこの刺激プログラムに応答して第１セットの電気的インパルスを発生するようプログラムされるかまたは別様に構成されたパルス発生装置を、含む第１中央本体であって、通信チャネル上でコマンドをブロードキャストするようプログラムされるかまたは別様に構成された、第１中央本体と、第１中央本体に実質的に類似した第２中央本体であって、通信チャネル上でブロードキャストコマンドを受け取り、それに応答して電気的インパルスを発生するようプログラムされるかまたは別様に構成された第２中央本体と、第１中央本体に対してまたは第２中央本体に対して通信する１つまたは複数のパッドであって、ユーザに取り付けられるよう、かつ、電気パルスを伝達し、それによりユーザを刺激するよう、構成された、１つまたは複数のパッドと、を含み得る。
【０１２０】
いくつかの事例では、方法８００を、または本明細書の全体を通して提供される任意の実施形態を、実装するための装置は、キットにおいて提供され得る。このキットは、本明細書の全体を通して記載される装置（例えばＥＭＳ装置）のいずれかと、ユーザに対してこれらの装置の２つ以上の装置を適切に配置するための指示書と、を含み得る。いくつかの事例では、この指示書は、これらのＥＭＳ装置の２つ以上の装置を単一のユーザ上に配置することを、説明するかまたは視覚的に示し得る。
【０１２１】
図９では、様々な実施形態に係るサーバを使用してユーザを刺激するための方法が示されている。方法９００は、本明細書の全体を通じて説明される装置およびシステムが利用される方法の１例であり得る。ステップ９０１では、サーバにより提供される１つまたは複数の刺激プログラムは、モバイル装置により受け取られ得る。このサーバは、実質的に本明細書の全体を通して説明されるサーバであり得る。例えば、このサーバは、カスタマイズ化された刺激プログラムをユーザが開発するためのプラットフォームを提供するようプログラムされるかまたは別様に構成され得る。いくつかの事例では、カスタム化ユーザ刺激プログラムはサーバにアップロードされ得る。サーバにより提供される１つまたは複数の刺激プログラムはユーザ（例えばＥＭＳ装置のユーザなど）からアップロードされ得る。代替的にまたは追加的に、１つまたは複数の刺激プログラムは、実質的に本明細書の全体を通して説明されるように、専門ユーザまたはサービス提供者によりサーバにアップロードされ得る。代替的にまたは追加的に、１つまたは複数の刺激プログラムは、他（例えばサーバを起動する事業主体）により、サーバにアップロードされ得る。
【０１２２】
ステップ９０３では、１つまたは複数の刺激プログラムは中央本体において受け取られ得る。いくつかの事例では、中央本体は１０ｃｍに等しいかまたは１０ｃｍよりも小さい最大寸法を有し得る。いくつかの事例では、この中央本体は３０グラムに等しいかまたは３０グラムよりも小さい重量を有し得る。１つまたは複数の刺激プログラムは、例えば通信方法（例えばワイヤレス通信方法など）を使用して、モバイル装置から伝達され得る。いくつかの事例では、この無線通信方法はＲＦプロトコル（例えばＡＮＴ＋プロトコル、Ｂｌｕｅｔｏｏｔｈ（登録商標）低エネルギープロトコル、またはＧａｚｅｌｌプロトコルなど）を利用し得る。いくつかの事例では、任意の他の無線周波数プロトコルが利用され得る。
【０１２３】
ステップ９０５では、刺激プログラムは中央本体により実行または起動され得る。例えば中央本体のファームウェアが刺激プログラムを実行し得る。いくつかの事例では、中央本体は、複数の異なる刺激プログラムを起動するようプログラムされるかまたは別様に構成され得る。複数の異なる刺激プログラムはサーバにおいてユーザによる設定が可能であり得る。いくつかの事例では、複数の異なる刺激プログラムは、刺激周波数、パルス幅、デューティサイクル・パラメータ、上昇値および下降値、バーストパルス・パラメータ、波形形状、または相間間隔のうちの少なくとも１つにおいて異なり得る。いくつかの実施形態では、複数の異なる刺激プログラムは、下垂足支援プログラム、リハビリテーション・プログラム、回復プログラム、リラクセーション・プログラム、または改善性能プログラムを含み得る。
【０１２４】
ステップ９０７では、電気パルスは中央本体において発生され得る。いくつかの事例では、電気パルスは、刺激プログラムの実行に応答して発生され得る。ステップ９０９では、電気パルスは１つまたは複数のパッドの支援によりユーザに伝達され、それによりユーザが刺激され得る。いくつかの事例では、中央本体は有線接続を介して１つまたは複数のパッドに対してインターフェース接続する。
【０１２５】
ステップ９１１では、実行された刺激プログラムに関するデータが記録され得る。このデータは、使用される刺激プログラム、中央本体の一意的なＩＤ、または合計刺激作業時間に関する情報を含み得る。いくつかの事例では、このデータはメモリユニット上に記録され得る。いくつかの事例では、このメモリユニットは中央本体上に搭載され得る。代替的にまたは追加的に、このデータはモバイル装置のメモリユニット上に記録され得る。ステップ９１３では、このデータはモバイル装置を介してサーバにアップロードされ得る。サーバは、ユーザに関するアップロードされたデータの記録および追跡を実行するよう、プログラムされるかまたは別様に構成され得る。いくつかの事例では、サーバは、ユーザに関するアップロードされたデータを表示するよう、プログラムされるかまたは別様に構成され得る。
【０１２６】
図１０では、ユーザ１００１に調製済み刺激プログラムを生成および提供することを含む本開示のいくつかの実施形態が図示されている。いくつかの実施形態では、この調製済み刺激プログラムは、ユーザに関する情報を取得および解析するために１つまたは複数のアプリケーションプログラミングインタフェースを介して１つまたは複数のアプリケーションプログラムに対して通信するようプログラムされるかまたは別様に構成された１つまたは複数のプロセッサを含むシステムにより生成および実行され得る。いくつかの実施形態では、本明細書で開示される方法は、ユーザに関する情報を取得および解析するために１つまたは複数のアプリケーションプログラムに対して通信する１つまたは複数のプロセッサの支援を用いて調製済み刺激プログラムを生成および実行することを含み得る。
【０１２７】
全般的に、プロセッサは、データソースからの情報またはデータに対して１つまたは複数の演算を実行する電子回路を指し得る。プロセッサは、プロセッサへの、および／またはプロセッサからの、情報の伝達を実行するための複数の入力／出力（Ｉ／Ｏ）ポートを有し得、これらのＩ／Ｏポートは複数の特定種類のポートにグループ化され得る。いくつかの事例では、本開示の様々な実施形態は１つまたは複数のプロセッサを含み得る。いくつかの事例では、本開示の様々な実施形態は処理ユニットを含み、この処理ユニットは１つまたは複数のプロセッサを含む。いくつかの実施形態では、本明細書で開示のシステム、方法、および／または装置は１つのプロセッサを含み得る。いくつかの実施形態では、本明細書で開示のシステム、方法、および／または装置は２つ以上のプロセッサを含み得る。本開示の様々な実施形態は、１個のプロセッサ、２個のプロセッサ、３個のプロセッサ、４個のプロセッサ、５個のプロセッサ、６個のプロセッサ、７個のプロセッサ、８個のプロセッサ、９個のプロセッサ、または１０個以上のプロセッサを含み得る。プロセッサは、物理的に別個（単一チップあたり１個のプロセッサ）であってもよく、または同一チップ上に一緒に組み合わされ（例えば単位チップあたり複数のプロセッサ）てもよい。本開示のいくつかの実施形態は、単一チップ上に組み合わされた２個のプロセッサ（例えばデュアルコア・プロセッサ）を含み得る。いくつかの実施形態では、２個のプロセッサはが単一チップ上に組み合わされ（例えばデュアルコア・プロセッサ）てもよく、３個のプロセッサが単一チップ上に組み合わされ（例えばトリコア・プロセッサ）てもよく、４個のプロセッサが単一チップ上に組み合わされ（例えばクアッドコア・プロセッサ）てもよく、６個のプロセッサが単一チップ上に組み合わされ（例えばヘクサコア・プロセッサ）てもよく、８個のプロセッサが単一チップ上に組み合わされ（例えばオクタコア・プロセッサ）てもよく、および／または、１０個のプロセッサが単一チップ上に組み合わされ（例えばデカコア・プロセッサ）てもよい。これらの１つまたは複数のプロセッサの各プロセッサは、個別的にまたは集合的に、動作し得る。例えば、本開示で開示のシステムは２個のプロセッサを含み得、これらの２個のプロセッサは並列動作（例えば、計算が、スケジューラにより、より小さいタスクに細分化され少なくとも２つのプロセッサに割り当てられる、コンピューティングの１つの形態）し得る。
【０１２８】
いくつかの事例では、これらの１つまたは複数のプロセッサはモバイル装置１００３（例えばセル電話など）上に配置され得る。モバイル装置の非限定的な例としては、セル電話、ハンドヘルド型ゲーミングコンソール、頭部搭載ディスプレイ、ヘッドバンド、ヘッドフォン、埋入可能装置、摂取可能装置、モバイル・コンピュータ、モバイルフォン、携帯情報端末（ＰＤＡ）、携帯メディアプレーヤ、スマートブレスレット、スマートフォン、スマートウォッチ、およびタブレットが挙げられる。例えば、本開示で開示のシステムは２個のプロセッサを含み得、これらの２個のプロセッサはセル電話上に配置され得る。他の事例では、本開示で開示のシステムはクアッドコア・プロセッサを含み得、このクアッドコア・プロセッサは頭部搭載ディスプレイ上に配置され得る。いくつかの実施形態では、筋肉刺激装置の中央本体１００５は１つまたは複数のプロセッサを含み得る。
【０１２９】
いくつかの実施形態では、これらの１つまたは複数のプロセッサは、ユーザに関する情報を取得および解析するために１つまたは複数のアプリケーションプログラミングインタフェース１００７を介して１つまたは複数のアプリケーションプログラムに対して通信するよう、プログラムされるかまたは別様に構成され得る。いくつかの実施形態では、このアプリケーションプログラムはモバイル装置１００３上で実行され得る。本開示の様々な実施形態に対して有用であり得る１つのカテゴリーのアプリケーションプログラムは、健康関連またはフィットネス関連のアプリケーションである。健康関連およびフィットネス関連のアプリケーションプログラムは、ユーザに関する情報（例えば取られた歩数）をログ記録または追跡するために広く使用される。アプリケーションプログラムの非限定的な例としては、Ａｐｐｌｅ  Ｈｅａｌｔｈ、Ｆｉｔｂｉｔ、Ｇｏｏｇｌｅ  Ｆｉｔ、ＪａｗＢｏｎｅ  Ｕｐ、ＭａｐＭｙＦｉｔｎｅｓｓ、Ｍｉｎｄ  Ｂｏｄｙ、Ｍｏｖｅｓ、Ｎｉｋｅ＋、ＲｕｎＫｅｅｐｅｒ、Ｓｔｒａｖａ、Ｕｎｄｅｒ  Ａｒｍｏｕｒ  Ｃｏｎｎｅｃｔｅｄ  Ｆｉｔ、Ｗａｈｏｏ  Ｆｉｔｎｅｓｓ、Ｗｉｔｈｉｎｇｓ、およびＷｏｄｉｆｙが挙げられる。いくつかの態様では、本開示の様々な実施形態は、１つまたは複数のアプリケーションプログラムに対して通信可能に連結された１つまたは複数のプロセッサを含み得る。当業者は、少なくとも１つのプロセッサと少なくとも１つのアプリケーションプログラムとの間で情報が伝達され得るよう１つまたは複数のプロセッサと１つまたは複数のアプリケーションプログラムとの間に物理的（例えば電子回路）なまたは非物理的（例えばワイヤレス）なリンクが存在するならば、１つまたは複数のプロセッサが１つまたは複数のアプリケーションプログラムに対して通信可能に連結され得ることを理解するであろう。いくつかの事例では、アプリケーションプログラムは、モバイルフォン上でダウンロードおよび／または実行可能であり得るサードパーティ製プログラム（例えば、本願の発明者以外により開発されたソフトウェア部品）を指し得る。１つまたは複数のプロセッサと１つまたは複数のアプリケーションとの間の通信は少なくとも１つのアプリケーション・プログラミング・インターフェース（ＡＰＩ）１００７を使用して達成され得る。ＡＰＩは、全般的に、所与のアプリケーションと相互作用し得るソフトウェアアプリケーションを構築するための１セットのルーチン、プロトコル、またはツールを指し得る。本開示のいくつかの実施形態では、ＡＰＩは、アプリケーションプログラムにより取得されるユーザに関する情報にアクセスするために使用され得る。いくつかの実施形態では、これらの１つまたは複数のアプリケーションプログラムはサードパーティ製プログラムを含み、これらのサードパーティ製プログラムは、サードパーティ製プログラムがユーザに関する情報を取得すること、および／または受け取ることが可能となるよう、ユーザにリンクされ得る。例えば、このサードパーティ製プログラムはユーザの運動にリンクされ得る。ここでは、サードパーティ製プログラムはユーザにより取られた歩数を計測するために加速度計を使用する。��の事例では、このサードパーティ製プログラムは、ユーザに関する情報を取得する能力を有するサードパーティ製装置（例えばスマートウォッチ）にリンクされ得る。さらに他の事例では、このサードパーティ製プログラムはユーザにリンクされ得る。ここでは、ユーザは、サードパーティ製プログラムに情報を入力する。当業者は、各アプリケーションプログラムがアプリケーションプログラムに対して通信するための一意的なＡＰＩを有し得ることを理解するであろう。したがって、本開示の様々な実施形態の任意の実施形態は、アプリケーションプログラムからユーザに関する情報に対してアクセス、取り出し、および／または取得を行うために、所与のアプリケーションプログラムに対して通信するにあたり必要な任意のＡＰＩを含み得る。例えば、本明細書で開示のシステムは、ＦｉｔｂｉｔＡＰＩを介してＦｉｔｂｉｔアプリケーションプログラムに対して通信可能に連結された１つまたは複数のプロセッサを含み得る。他の事例では、方法は、１つまたは複数のプロセッサの支援を用いて、ＳｔｒａｖａＡＰＩを介してＳｔｒａｖａアプリケーションプログラムに対して通信することを含み得る。いくつかの実施形態では、アプリケーションプログラムはカスタムプログラムであり得る。いくつかの実施形態では、このＡＰＩはカスタム化されたアプリケーションプログラミングインタフェースであり得る。本開示におけるすべての実施形態の任意の実施形態は、ユーザに関する情報を取得するためにカスタム化ＡＰＩを介して１つまたは複数のカスタム化されるかまたはサードパーティ製のアプリケーションプログラムに通信可能にリンクされた１つまたは複数のプロセッサを含み得る。
【０１３０】
本明細書で開示の全部の実施形態のいずれの実施形態においても、少なくとも１つのアプリケーションプログラムとＡＰＩとの間の通信はＡＰＩコールを含み得る。例えば、アプリケーションプログラムとＡＰＩとの間の通信はＡＰＩコールにより起動され得る。いくつかの実施形態では、ＡＰＩコールはアプリケーションプログラムにより実行および／または起動され得る。いくつかの実施形態では、ＡＰＩコールはサーバにより実行および／または起動され得る。いくつかの実施形態では、サーバは直接的にモバイルアプリケーションに対して通信し得る。いくつかの実施形態では、サーバは間接的に（例えばプッシュ配信を使用して）モバイルアプリケーションに対して通信し得る。
【０１３１】
本明細書で開示の全部の実施形態のいずれにおいても、ユーザに関する情報は、ユーザの場所にもしくはユーザの場所変化に関する情報を、ユーザの活動に関する情報を、ユーザの健康に関する情報を、ユーザにより利用されるサードパーティ製装置により取得された情報を、および／または、これらの任意の組み合わせを、含み得る。いくつかの実施形態では、ユーザに関する情報は、ユーザの場所にまたはユーザの場所変化に、関する情報を含み得る。いくつかの態様では、ユーザの場所にまたはユーザの場所変化に、関する情報は、ユーザの場所を特定すること、ユーザにより取られる経路を監視すること、ユーザにより移動された距離を判定すること、または、ユーザの平均スピードを判定すること、に対して有用であり得る。例えば、本明細書で開示のシステムは、ユーザにより取られた経路を監視するようプログラムされるかまたは別様に構成されたアプリケーションプログラムに対して通信可能に連結された２個のプロセッサを含み得る。なお、ユーザにより取られた経路を含む情報は、アプリケーションプログラムと２個のプロセッサとの間で伝達され得る。
【０１３２】
いくつかの実施形態では、ユーザに関する情報はユーザの活動を含み得る。例えばモバイルフォン上のアプリケーションは、ユーザにより消費されたカロリー数を記録するために使用され得る。ここでモバイルフォンは、ユーザによるカロリー消費に関する情報がアプリケーションとデュアルコア・プロセッサとの間で伝達され得るようアプリケーションに対して通信可能に連結されたデュアルコア・プロセッサを含む。ユーザの活動の非限定的な例としては、ユーザにより取られた歩数、ユーザにより経験された加速度、ユーザによる電話使用期間、ユーザにより実行された活動の種類、ユーザにより消費されたカロリー数、ユーザのバイタルサイン、ユーザにより取られた経路、ユーザにより実行されたワークアウトルーチン、および／または、これらの任意の組み合わせが挙げられる。１つの事例では、クアッドコア・プロセッサは、ユーザによる電話使用期間がアプリケーションとクアッドコア・プロセッサとの間で伝達され得るようユーザによる電話使用期間を記録するアプリケーションに対して通信可能に連結され得る。当業者は、ユーザの活動（例えばユーザにより取られた歩数、またはユーザにより経験された加速度）が多様な方法で判定され得ることを理解するであろう。例えば、アプリケーションプログラムは加速度計センサに通信可能に連結され得、この加速度計センサは、ユーザの加速度変化を監視し、加速度変化に関する情報をアプリケーションプログラムに伝達するために、使用され得る。ここでは、このアプリケーションプログラムは、歩行がなされたかを判定する。他の事例では、アプリケーションプログラムは、ユーザにより移動された距離に関する情報を取得し、平均歩幅に基づいて、ユーザによりとられた歩数を近似し得る。いくつかの実施形態では、ユーザの活動はユーザの活動の種類を含み得る。いくつかの実施形態では、ユーザの活動の種類はランニングを含み得る。いくつかの実施形態では、ユーザの活動の種類はウォーキングを含み得る。いくつかの実施形態では、ユーザの活動の種類はサイクリングを含み得る。いくつかの実施形態では、ユーザの活動の種類は健康体操を含み得る。いくつかの実施形態では、ユーザの活動の種類はウエイトリフティングを含み得る。本明細書で提供される活動の種類の例示的な実施形態が限定されることを意図するものではないことが理解されるべきであり、当業者は、ユーザの活動の種類がユーザによる実行が可能である多様な活動を指し得ることを理解するであろう。いくつかの実施形態では、ユーザの活動はユーザのバイタルサインを含み得る。いくつかの態様では、ユーザのバイタルサインを含む情報は、ユーザの全般的な健康を判定し、ユーザのリアルタイムに関するユーザ情報にフィードバック（例えばリアルタイム・フィードバック）を提供するにあたり有用であり得る。ユーザのバイタルサインの非限定的な例としては、体温、血圧、心拍数、呼吸速度、パルスオキシメトリ、およびこれらの任意の組み合わせが挙げられる。いくつかの実施形態では、ユーザの活動はユーザにより実行されたワークアウトルーチンを含み得る。ワークアウトルーチンは、ユーザにより実行されるエクササイズの組み合わせであってもよく、および／または、特定エクササイズの反復回数、および／または特定エクササイズの反復のセット回数を含み得る。例えば、ワークアウトルーチンは、ユーザが３０キログラムのウェイトを１０回リフト（例えば１０反復）し、そのエクササイズを５回反復すること（例えば１０反復の５セット）を含み得る。
【０１３３】
いくつかの実施形態では、ユーザに関する情報はユーザの健康に関する情報を含み得る。いくつかの実施形態では、ユーザの健康はユーザの健康記録を含み得る。いくつかの実施形態では、ユーザの健康記録はユーザにより提供され得る。いくつかの実施形態では、ユーザの健康記録は電子医療記録（ＥＵＲ）を含み得る。全般的に、ユーザの健康記録は、ユーザの人口統計学データ、ユーザのバイタルサイン、ユーザの病歴、およびユーザの薬物治療に関する情報を含み得る。いくつかの実施形態では、ユーザの健康はユーザの体重を含み得る。いくつかの実施形態では、ユーザの健康はユーザの体重変化を含み得る。例えば、ユーザの健康は特定の時間的期間にわたり体重減少量を含み得る。いくつかの事例では、ユーザの健康はユーザの体重から少なくとも部分的に誘導される値を含み得る。例えば、ユーザの健康はユーザのボディマス指数（ＢＭＩ）を含み得る。
【０１３４】
本明細書で記載のアプリケーションプログラムは、ユーザから直接的１００９（例えばユーザが情報をアプリケーションプログラムに入力する）に、または間接的１０１１（例えば、サードパーティ製装置１０１３を使用することによる。ここで、サードパーティ製装置はユーザに関する情報を取得し、アプリケーションプログラムはユーザに関する情報をサードパーティ製装置からアクセスまたは取得する）に、情報を取得し得る。本願のすべての実施形態の任意の実施形態において、ユーザに関する情報はユーザにより利用されるサードパーティ製装置により取得された情報を含み得る。例えば、本開示で開示のシステムはスマートウォッチを含む。このスマートウォッチはユーザに関する情報を取得し、アプリケーションプログラムはユーザに関する情報をスマートウォッチから取得するかもしくは取り出すようプログラムされるかまたは別様に構成される。他の事例では、本明細書で開示の方法はＡＰＩを介してアプリケーションプログラムに対して通信することを含み得る。このアプリケーションプログラムは、ユーザに関する情報を頭部搭載ディスプレイから取得するかもしくは取り出すようプログラムされるかまたは別様に構成される。
【０１３５】
いくつかの実施形態では、１つまたは複数のプロセッサは、アプリケーションプログラムから取得されたユーザに関する情報を解析し、その解析に基づいて、ユーザに対する調製済み刺激プログラムを生産および実行するよう、プログラムされるかまたは別様に構成され得る。一実施形態では、１つまたは複数のプロセッサは、ユーザの最近のワークアウトルーチンを含むユーザに関する情報を解析し、その解析に基づいて、ワークアウトルーチンにおいてエクササイズされた筋肉の刺激を含む調製済み刺激プログラムを生産および実行するようプログラムされるかまたは別様に構成され得る。例えば、本明細書で開示のシステムは、ユーザが最近ランニングを実行したという指標を含む情報を解析するようプログラムされるかまたは別様に構成された、クアッドコア・プロセッサを含み得る。この情報に基づいて、このプロセッサは、ふくらはぎおよび／または大腿四頭筋の回復刺激を含む刺激作業を推薦するようプログラムされるかまたは別様に構成され得る。他の事例では、本明細書で開示の方法は、ユーザが強化トレーニング作業に参加し二頭筋が緊張されたという指標を含む情報を解析することを含み得る。したがって、この方法は、プロセッサの支援を用いて、二頭筋の回復刺激を含む調製済み刺激作業を生産することを含み得る。さらに他の事例では、本明細書で開示のシステムは、ユーザが第１場所から第２場所へ最近移動したという指標を含む情報を解析するようプログラムされるかまたは別様に構成されたデュアルコア・プロセッサを含み得る。この情報に基づいて、このプロセッサは、第２場所に配置されたマッサージ・プログラムを含む刺激作業を推薦するようプログラムされるかまたは別様に構成され得る。本開示のいくつかの実施形態では、ユーザに関する情報を解析することは、ユーザに関する単一の情報の解析（例えばユーザの場所を解析して、当該場所で利用可能なマッサージ・プログラムを推薦すること）を含み得る。他の実施形態では、ユーザに関する情報を解析することは、ユーザに関する複数の情報を解析すること（例えば、ユーザにより取られた歩数およびユーザの加速度を解析し、それによりユーザが歩行中であるかまたはランニング中であるかを判定すること）を含み得る。
【０１３６】
いくつかの事例では、いくつかの事前決定された刺激作業が、ユーザによる選択のために利用可能であり得る。本開示のいくつかの実施形態では、１つまたは複数のプロセッサは、事前ロードされるか、オンライン・データベースからダウンロードされるか、またはユーザにより設計され得る１つまたは複数の事前決定された刺激プログラムとともに、ユーザに関する情報の解析に基づいて調製済み刺激プログラムを生産するよう、プログラムされるかまたは別様に構成され得る。いくつかの態様では、本開示に係るシステムおよび／または方法は、プロセッサにより実行される刺激プログラムを複数の刺激プログラムからユーザにより選択することを含み得る。例えば、本明細書で開示のシステムは、複数の事前決定された刺激プログラムとともに調製済み刺激プログラムを生産するようプログラムされるかまたは別様に構成されたプロセッサを含み得る。なおユーザは、プロセッサにより実行される事前決定された刺激プログラムを選択することができる。他の事例では、本明細書で開示の方法は、複数の事前定義された刺激プログラムとともに調製済み刺激プログラムを生産することを含み得る。なおユーザは、プロセッサにより実行される調製済み刺激プログラムを選択することができる。いくつかの実施形態では、この調製済み刺激プログラムはこれらの事前定義された刺激プログラムとは異なり得る。いくつかの実施形態では、複数の異なる刺激プログラムの２個以上の刺激プログラムは、所望の効果（例えば、治療、フィットネス、能力強化、刺激、その他）、応用、および／または特定パラメータ（例えば、収縮または休止期間に対する刺激周波数、パルス幅、デューティサイクル・パラメータ、上昇値、下降値、またはバーストパルス・パラメータ、その他）において異なり得る。さらに、本開示の様々な実施形態のうちのいくつかの実施形態では、複数の異なる刺激プログラムは、ユーザに下垂足支援を提供するために、リハビリテーション目的のために、回復のために、リラクセーションのために、または性能改善のために、個別的にまたは任意の組み合わせで、使用され得る。これらのシステムおよび／または方法のうちのいずれもが、電気パルスをユーザに伝達するために、刺激プログラムの実行に応答して電気パルスを発生するためのパルス発生装置と、パルス発生装置に対して通信し、かつ、ユーザに取りつけられた、１つまたは複数のパッドと、をさらに含み得る。本明細書で開示のシステムおよび方法のいくつかの実施形態では、ユーザに電気パルスを伝達することによりユーザの状態が改善され得る。例えば、ユーザに電気パルスを伝達することにより痛みが軽減され得る。他の事例では、ユーザに電気パルスを伝達することにより筋肉疲労が軽減され得る。
【０１３７】
作動可能機構の作動が柔軟性を有するため、刺激プログラムをユーザに対して調整することにおいてより大きい自由度がユーザにもたらされることが可能である。図１１では、ユーザ１１０１を刺激するための装置および／または方法を含む本開示のいくつかの実施形態が図示されている。ここで、ユーザは、ユーザインターフェースを介して、入力の度合いに応じて２つ以上の異なる方法で刺激状態に影響を及ぼし得る。いくつかの実施形態では、本明細書で開示の電気的刺激装置は、中央本体１１０３の外部表面上でアクセス可能なユーザインターフェースを含み得る。このユーザインターフェースは、入力の度合いに応じて２つ以上の異なる方法で刺激プログラムの状態に影響を及ぼすようプログラムされるかまたは別様に構成された作動可能機構１１０５を含む。いくつかの実施形態では、この装置は、中央本体に対して通信する１つまたは複数のパッドをさらに含み得る。なお、これらの１つまたは複数のパッドは、ユーザに取り付けられるよう、かつ、刺激プログラムの状態に対応して電気パルスを伝達するよう、構成されている。いくつかの実施形態では、本明細書で開示のユーザを刺激するための方法は、ユーザインターフェースにおける入力の度合いに応じて２つ以上の異なる方法で刺激プログラムの状態に影響を及ぼすことをさらに含み得る。なお、このユーザインターフェースは作動可能機構を含む。
【０１３８】
いくつかの実施形態では、本明細書で開示の装置または方法は、作動されたときに刺激プログラムの状態に影響を及ぼす能力を有する少なくとも１つの作動可能機構を含み得る。いくつかの態様では、本開示の様々な実施形態は１個の作動可能機構を含み得る。いくつかの態様では、本開示の様々な実施形態は２個の作動可能機構、３個の作動可能機構、４個の作動可能機構、または５個以上の作動可能機構を含み得る。例えば、本明細書で開示の電気刺激装置は１個の作動可能機構を含み得る。
【０１３９】
いくつかの実施形態では、この作動可能機構は押下可能機構１１０５（例えばボタンまたはマイクロスイッチなど）であり得る。他の実施形態では、この作動可能機構は、摺動可能機構または回転可能機構であり得る。２個以上の作動可能機構を含むいくつかの実施形態では、各作動可能機構は、押下可能機構、摺動可能機構、および回転可能機構からなる群より別個に選択され得る。いくつかの実施形態では、この機構は物理的な機構であり得る。いくつかの実施形態では、この作動可能機構は接触感応式１１０７であり得る。いくつかの実施形態では、この機構は接触感応式仮想機構１１０９（例えば仮想ボタン）であり得る。いくつかの実施形態では、この仮想機構は、物理的な作動可能機構であるかのような錯覚が与えられるよう、仮想的に押下可能、仮想的に摺動可能、または仮想的に回転可能であり得る。例えば、本開示のいくつかの実施形態は、接続１１１３を用いて電気刺激装置に対して通信可能に連結されたモバイル装置１１１１を含み得る。なお、モバイルフォンにおいて仮想的にコード化されたこの作動可能機構を押下することにより、信号がモバイル装置から電気刺激装置に伝達され、それにより刺激プログラムが影響される。いくつかの実施形態では、接続１１１３は、単一方向または双方向の有線接続またはワイヤレス接続（例えばＷｉｆｉ接続、Ｂｌｕｅｔｏｏｔｈ（登録商標）接続、Ｂｌｕｅｔｏｏｔｈ（登録商標）ＬＥ、ＡＮＴ＋接続、またはＧａｚｅｌｌ接続）を含み得る。いくつかの実施形態では、中央本体１１０３は、接触接続１１１５を通してユーザ１１０１に対して取り付けられるか、貼り付けられるか、または別様に連結され得る。
【０１４０】
当業者は、１つまたは複数の作動可能機構が電気刺激装置の外部表面上の任意の場所に配置され得ることを理解するであろう。いくつかの実施形態では、作動可能機構は電気刺激装置の中央本体の前部表面上に配置され得る。いくつかの実施形態では、作動可能機構は電気刺激装置の中央本体の左側面上に配置され得る。いくつかの実施形態では、作動可能機構は電気刺激装置の中央本体の右側面上に配置され得る。いくつかの実施形態では、作動可能機構は電気刺激装置の中央本体の左側面上に配置され得る。いくつかの実施形態では、作動可能機構は電気刺激装置の中央本体の上側面上に配置され得る。いくつかの実施形態では、作動可能機構は電気刺激装置の中央本体の底側面上に配置され得る。いくつかの実施形態では、作動可能機構は実質的に電気刺激装置の中央本体の外部表面の中心に配置され得る。
【０１４１】
いくつかの実施形態では、１つまたは複数の作動可能機構を作動させることにより、ユーザは複数の異なる刺激プログラム間でサイクルすることが可能であり得る。例えば、作動可能機構を作動させることにより、電気刺激装置は第１刺激プログラムが実行される状態から第２刺激プログラムに切り替えられ得る。他の事例では、作動可能機構を作動させることにより、電気刺激装置はオフ状態から第１刺激プログラムが実行される状態に切り替えられ得る。同一の事例では、作動可能機構を２度目に作動させることにより、電気刺激装置は第１刺激プログラムが実行される状態からオフ状態に切り替えられ得る。本明細書で開示される全部の実施形態の任意の実施形態におけるオフ状態は、アイドル状態（例えば、装置はオン状態にあるが刺激プログラムは休止された状態）または電源停止状態（例えば電気刺激装置が電源オフされた状態）を指し得る。いくつかの実施形態では、作動可能機構を作動させることは、刺激プログラムの強度に影響を及ぼし得る。例えば、本明細書で開示の電気刺激装置は押下可能機構を含み得、この押下可能機構を作動させることによりパルス幅が増加し得る。他の事例では、本明細書で開示の電気刺激装置は回転可能機構を含み得、この回転可能機構を作動させることにより刺激周波数が増加し得る。本発明の全部の実施形態の任意の実施形態は２個以上の作動可能機構を含み得、２個以上の作動可能機構を作動させることが、刺激プログラムに影響を及ぼすにあたり要求され得る。
【０１４２】
いくつかの実施形態では、入力の度合いは刺激プログラムの状態に影響を及ぼし得る。変動され得る入力の度合いの非限定的な例としては、入力の回数（例えば、作動可能機構が連続的に作動および解放された回数）、入力の速さ（例えば、作動可能機構が作動および／または解放される速さ）、入力の期間（例えば、作動可能機構が作動される時間量）、入力に対して作用された力（例えば、作動可能機構が作動される際に用いられる力）、または、入力の方向が挙げられ得る。本明細書で開示の全部の実施形態の任意の実施形態では、入力は作動可能機構の作動を含み得る。１つの事例では、電気刺激装置は押下可能機構を含み得、押下可能機構を短く（例えば０．５秒未満）押下および解放することにより、現在の刺激作業が休止され得る。他の事例では、休止された刺激作業は押下可能機構を１〜２秒間押下することにより再開され得る。さらに他の事例では、電気刺激装置は押下可能機構を含み得、押下可能機構を２秒より長く押下することにより、現在の刺激作業の強度が増加される。いくつかの実施形態では、作動可能機構を作動させることは、刺激プログラムの状態を１つの方法で影響を及ぼすよう、プログラムされるかまたは別様に構成され得る。いくつかの実施形態では、作動可能機構を作動させることは、入力の度合いに応じて、刺激プログラムの状態を２つ以上の方法で影響を及ぼすよう、プログラムされるかまたは別様に構成され得る。いくつかの実施形態では、作動可能機構を作動させることは、入力の度合いに応じて、刺激プログラムの状態を２つの方法、３つの方法、４つの方法、５つの方法、７つの方法、８つの方法、９つの方法、または１０以上の方法で影響を及ぼすよう、プログラムされるかまたは別様に構成され得る。刺激プログラムの状態を２つの方法で影響を及ぼすようプログラムされるかまたは別様に構成された作動可能機構を含む１つの事例では、電気刺激装置は押下可能機構を含み得、押下可能機構を短く（例えば０．５秒未満）押下および解放することにより、現在の刺激作業は１レベルだけ強度が増加され得、一方、押下可能機構を１〜２秒間押下することにより、現在の刺激作業は１レベルだけ強度が減少され得る。当業者は、シゲプログラムの状態が多様な方法で影響を及ぼされ得ることを理解するであろう。刺激プログラムの状態が影響を及ぼされる方法の非限定的な方法としては、刺激プログラムの休止、刺激をオフ状態にして異なる刺激プログラムに切り替えること、刺激プログラムの再開、刺激プログラムの強度の増加、および刺激プログラムの強度の減少が挙げられ得る。１つの事例では、作動可能機構は、刺激の状態に対して４つ以上の異なる方法で影響を及ぼすようプログラムされるかまたは別様に構成されうる。なお、４つ以上の異なる方法は、刺激プログラムの休止、刺激プログラムの再開、刺激プログラムの強度の増加、および刺激プログラムの強度の減少を含む。
【０１４３】
少なくとも１つの刺激パラメータを、連続した刺激実行、刺激プログラム位相、またはレベル間でランダムに変更することは、筋肉が同一の電気的刺激様相に適応することを防止し、それにより刺激効率が改善され得る。例えば少なくとも１つの刺激パラメータをランダムに変更することは疲労耐性（例えば持久力）を改善し得る。他の事例では、少なくとも１つの刺激パラメータをランダムに変更することは力生成を改善し得る。図１２では、複数のステップを含むユーザを刺激するための方法１２００を含む本開示のいくつかの実施形態が図示されている。なお各ステップは１つまたは複数の下位ステップを含む。方法１２００の１つもしくは複数のステップまたは下位ステップは、所望の方法でユーザを刺激するにあたり必要に応じて、反復されてもよく、省略されてもよく、または本明細書で記載の順序とは異なる順序で実行されてもよい。ステップ１２０１では、１つまたは複数の刺激プログラムに関する入力が、本明細書で開示の装置またはシステムの任意の構成要素（例えばＥＭＳ装置、中央本体、プロセッサ、またはモバイル装置）により受け取られ得る。ステップ１２０３では、１つまたは複数の刺激パラメータの値が処理され得る。処理された刺激パラメータは、本明細書で記載の事前定義された範囲からランダムに選択され得る。ステップ１２０５では、刺激プログラムは、１つまたは複数の刺激パラメータに対するランダムに選択された値を用いて実行され得る。ステップ１２０７では、電気パルスがユーザに伝達され得る。ステップ１２０９では、１つまたは複数の刺激パラメータの値が選択され得る事前定義された範囲はユーザによる設定が可能であり得る。本開示における全部の刺激パラメータの任意の刺激パラメータは事前定義された範囲内でランダム化され得る。ランダム化され得るパラメータの非限定的な例としては、刺激収縮周波数、休止周波数、刺激デューティサイクル、刺激パルス幅、刺激の長さまたは期間、バーストパルス・パラメータ、上昇時間、下降時間、またはこれらの任意の組み合わせが挙げられ得る。１つの事例では、収縮周波数は８０〜１００Ｈｚ間の値からランダムに選択され得る。いくつかの実施形態において、単一の刺激パラメータがランダム化され得る。いくつかの実施形態では、２個の刺激パラメータ、３個の刺激パラメータ、４個の刺激パラメータ、５個の刺激パラメータ、６個の刺激パラメータ、７個の刺激パラメータ、８個の刺激パラメータ、９個の刺激パラメータ、または１０個以上の刺激パラメータがランダム化され得る。なお各刺激パラメータは特定の刺激プログラムに対する一意的に定義された範囲内に含まれる。いくつかの実施形態では、２個の刺激パラメータの部分集合、３個の刺激パラメータの部分集合、４個の刺激パラメータの部分集合、５個の刺激パラメータの部分集合、６個の刺激パラメータの部分集合、７個の刺激パラメータの部分集合、８個の刺激パラメータの部分集合、９個の刺激パラメータの部分集合、または１０個以上の刺激パラメータの部分集合がランダム化され得る。なお各刺激パラメータは特定の刺激プログラムに対する一意的に定義された範囲内に含まれる。いくつかの実施形態では、複数の異なる刺激プログラムの２個以上の刺激プログラムは、所望の効果（例えば治療、フィットネス、能力強化、刺激、その他）において異なり得る。したがって、所与の刺激パラメータに対する事前定義された範囲は異なる刺激プログラムに対して異なり得る。いくつかの実施形態では、事前定義された範囲はユーザによる設定が可能１２０９であり得る。いくつかの実施形態では、事前定義された範囲は特定の刺激プログラムに対して事前設定され得る。１つの事例では、強度電気筋肉刺激プログラムの１つの位相の刺激パラメータは、以下の範囲内、すなわち、収縮周波数：８０〜１００ヘルツ（Ｈｚ）で、休止周波数：０〜５Ｈｚで、収縮時間：３〜５秒で、休止時間：１５〜３０秒で、パルス幅：２００〜４００μＳで、刺激長さ：２０〜５０収縮で、上昇期間：０．５〜３秒で、および、下降期間：０．５〜１．５秒で、変動し得る。
【０１４４】
所望により、収縮周波数は、約２０Ｈｚ、４０Ｈｚ、６０Ｈｚ、８０Ｈｚ、１００Ｈｚ、１２０Ｈｚ、１４０Ｈｚ、または１６０Ｈｚに等しいかまたはこれらの周波数よりも大きい値であり得る。所望により、休止周波数は、約１０Ｈｚ、９Ｈｚ、８Ｈｚ、７Ｈｚ、６Ｈｚ、５Ｈｚ、４Ｈｚ、３Ｈｚ、２Ｈｚ、１Ｈｚ、または０Ｈｚに等しいかまたはこれらの周波数よりも小さい値であり得る。所望により収縮時間は約１秒、２秒、３秒、４秒、５秒、６秒、７秒、８秒、９秒、１０秒、１２秒、または１５秒に等しいかまたはこれらの時間よりも長い値であり得る。所望により休止時間は、約５秒、７秒、１０秒、１２秒、１４秒、１６秒、１８秒、２０秒、２２秒、２４秒、２６秒、２８秒、３０秒、３２秒、３４秒、３６秒、３８秒、または４０秒に等しいかまたはこれらの時間よりも大きい値であり得る。所望によりパルス幅は、約１００μＳ、１２５μＳ、１５０μＳ、１７５μＳ、２００μＳ、２２５μＳ、２５０μＳ、２７５μＳ、３００μＳ、３２５μＳ、３５０μＳ、３７５μＳ、４００μＳ、４２５μＳ、４５０μＳ、４７５μＳ、または５００μＳに等しいかまたはこれらの時間よりも大きい値であり得る。所望により刺激長さは、約５収縮、１０収縮、１５収縮、２０収縮、２５収縮、３０収縮、３５収縮、４０収縮、４５収縮、５０収縮、５５収縮、６０収縮、７０収縮、８０収縮、９０収縮、または１００収縮に等しいかまたはこれらよりも大きい値であり得る。所望により上昇期間は、約０．１秒、０．２秒、０．５秒、１秒、１．５秒、２秒、２．５秒、３秒、３．５秒、４秒、４．５秒、もしくは５秒に等しいかまたはこれらの時間よりも長い値であり得る。所望により下降期間は、約０．１秒、０．２秒、０．５秒、１秒、１．５秒、２秒、２．５秒、３秒、３．５秒、４秒、４．５秒、または５秒に等しいかまたはこれらの時間よりも長い値であり得る。いくつかの事例では、波形は周期波形であり得る。所望により波形は、サイン波、矩形波、三角波、または鋸歯状波、またはこれらの任意の組み合わせを含み得る。波形は、いくつかの事例では、複合波形を含む。
【０１４５】
いくつかの実施形態では、刺激プログラムは位相またはレベルに分割され、各位相またはレベルは、一意的なセットの事前定義された範囲を含み得、この内で１つまたは複数の刺激パラメータは変動し得る。いくつかの実施形態では、刺激プログラムは単一のレベルを含み得る。いくつかの実施形態では、刺激プログラムは、２レベル、３レベル、４レベル、５レベル、６レベル、７レベル、８レベル、９レベル、または１０以上のレベルを含み得る。１つの事例では、刺激プログラムは３レベル（ウォーミングアップ・レベル、主要レベル、クールダウン・レベル）を含み得る。刺激プログラムは、複数のレベルを含み得、複数のレベルの各レベルは別個にユーザによる設定が可能であり得る。
【０１４６】
図１３では、様々な実施形態に係るポータブル型ＥＭＳ装置１３００の拡大図が図示されている。図１３で提供される装置は、本明細書の全体を通して説明されたＥＭＳ装置の１つの実施形態（例えば図２のＥＭＳ２００）を例示する。いくつかの事例では、この装置は、１つまたは複数のパーツを含み得るか、または１つまたは複数のパーツから形成され得る。例えば、この装置は、上方ケーシング１３０１、プリント回路基板（ＰＣＢ）１３０７、および底部ケーシング１３０９を含み得る。上方ケーシング、ＰＣＢ、および底部ケーシングが一緒に連結されると、実質的に本明細書の全体を通して説明された中央本体が形成され得る。いくつかの事例では、上方ケーシングはボタン１３０３を含み得る。このボタン１３０３は作動可能機構であってもよく、または作動可能機構ではなくてもよい。いくつかの事例では、このボタンは、この装置をオン状態またはオフ状態の切り替えを実行する電源ボタンであり得るが、代替的または追加的に、刺激作業を休止または制御し得る。
【０１４７】
この装置は、いくつかの事例では、電極１３１１に連結されるよう構成され得る。いくつかの事例では、電極１３１１は、嵌め合い機構１３１２を介して、この装置（例えば、この装置の底部ケーシング）に連結されるよう構成され得る。この装置（例えば、この装置の底部ケーシング）および電極のそれぞれは、嵌め合い機構を含み得る。この嵌め合い機構は、スナップオン機構またはスライドオン機構を含み得るが、これらに限定されない。この嵌め合い機構は、粘着部、磁石を利用してもよく、または、フォームフィット連結を可能にし得る。この嵌め合い機構は、永続的または一時的な連結を可能にし得る。いくつかの事例では、この嵌め合い機構は、この装置をユーザの所望により電極に対して着脱することが可能となるよう、電極および装置が互いに対して着脱可能に連結されることを可能にし得る。
【０１４８】
この装置は、いくつかの事例では、ワイヤおよび／または追加的な電極に連結されるよう構成され得る。ワイヤ１３１３および追加的電極１３１５が図１３で示されているが、この構成に限定されることを意図しないことが理解されるべきである。例えば、ワイヤおよび追加的電極が不必要となる場合があり、この装置は、装置１３００に直接的に連結された電極１３１１を介して電気的インパルスを送達するようプログラムされるかまたは別様に構成され得る。所望により、この装置は、電極１３１１および１３１５の両方を介して電気的インパルスを送達するようプログラムされるかまたは別様に構成され得る。いくつかの事例では、電気的インパルスはパルス発生装置上（例えばＰＣＢ上）で発生され、コネクタ１３０５（例えばマイクロＵＳＢコネクタなど）を介してワイヤ（例えばケーブル）に伝達され得る。これらのワイヤは２チャンネル・リード線ケーブルを含み得る。これらのワイヤは、１個、２個、３個、４個、５個以上の電極（例えば電極１３１５）に連結され得る。いくつかの事例では、電極１３１５は、嵌め合い機構を介して、ワイヤに連結されるよう構成され得る。これらのワイヤおよび電極のそれぞれが嵌め合い機構を含み得る。この嵌め合い機構は、スナップオン機構またはスライドオン機構を含み得るが、これらに限定されない。この嵌め合い機構は、粘着部、磁石を利用してもよく、または、フォームフィット連結を可能にし得る。この嵌め合い機構は、永続的または一時的な連結を可能にし得る。いくつかの事例では、この嵌め合い機構は、これらのワイヤをユーザの所望により電極に対して着脱することが可能となるよう、電極およびワイヤが互いに対して着脱可能に連結されることを可能にし得る。
【０１４９】
いくつかの事例ではＰＣＢ１３０７において発生された電気パルスはユーザに伝達され得る。このＰＣＢは、電気的刺激がユーザに送達されることを可能にする様々な構成要素を含み得る。図１４では、様々な実施形態に係るポータブル型ＥＭＳ装置の構成要素が図示されている。いくつかの事例では、様々な電子構成要素は、ＰＣＢ１４００に連結されるかまたはＰＣＢ１４００の一部であり得る。ＰＣＢ１４００は図１３に図示されたＰＣＢ１３０７の拡大図の一例であり得る。ＰＣＢに連結された（またはＰＣＢの一部である）様々な電子構成要素は、ワイヤおよび／または電極に対する接続を可能にするコネクタ（例えば、マイクロＵＳＢコネクタ）１４０１、ＥＭＳ装置に電力を供給するバッテリー１４０３、１つまたは複数の発光ダイオード（ＬＥＤ）１４０５、センサ・システム１４０７、パルス発生装置１４０９、ボタン１４１１、嵌め合い機構１４１３、処理ユニット１４１５、および通信モジュール１４１７を含み得るが、これらに限定されない。本明細書で記載の構成要素の各構成要素は、互いに対して動作可能に連結されてもよく、または連結されなくてもよい。本明細書で記載の構成要素の各構成要素は、互いに対して電気的に連結されてもよく、または連結されなくてもよい。
【０１５０】
様々な構成要素は、刺激作業、電気的インパルス、および／または電気的刺激をユーザに送達することを可能にし得る。１つの事例として、ユーザは、モバイル装置上のアプリケーションを使用して、所望の刺激作業を指定し得、および／または、所望の刺激パラメータを指定し得る。例えば、ユーザは、１）筋肉疲労耐性を改善する（例えば持久力を構築する）こと、２）筋力および筋パワーを増大すること、３）筋耐性および筋肉強度の両方を改善すること、４）筋肉回復を改善すること（例えば血流を増加することを通して）、または、５）筋肉を強化すること、をターゲットとする刺激プログラムを指定し得る。これらの刺激作業の各刺激作業は、実質的に本明細書の全体を通して説明されたように、異なる刺激パラメータを含み得る。データまたは信号は、アプリケーションの実行に応答して発生され得、ＥＭＳ装置に（例えばワイヤレスで）伝達され得る。いくつかの事例では、通信モジュール１４１７は、モバイル装置から伝達された信号および／またはデータを受け取るようプログラムされるかまたは別様に構成され得る。この通信モジュールは有線通信またはワイヤレス通信を可能にする任意の構成要素を含み得る。例えば、この通信モジュールはＢｌｕｅｔｏｏｔｈ（登録商標）チップセット、アンテナ、および／または無線機を含み得る。
【０１５１】
この通信モジュールはさらに、信号またはデータを処理ユニット１４１５にリレーし得る。処理ユニット１４１５は、１つまたは複数のプロセッサを含み得る。この処理ユニットは、いくつかの事例では、特定用途向け集積回路を含む。この処理ユニットは、いくつかの事例では、（例えば通信モジュールを介して）受け取られたデータまたは信号を処理し得る。この処理ユニットは所望により、刺激作業を実装するための１つまたは複数のアルゴリズムを実行し得る。例えば、受け取られたデータまたは信号にしたがって、この処理ユニットはさらに、信号またはデータを生成し、パルス発生装置１４０９および／またはバッテリー１４０３に伝達し得る。このパルス発生装置は、所望の刺激作業および／または刺激パラメータに対応した電気パルスを発生するようプログラムされるかまたは別様に構成され得る。例えば、このパルス発生装置は、バッテリーまたはコンセントから電流を受け取ることにより電気的インパルスを発生するようプログラムされるかまたは別様に構成され得る。発生したパルスまたは電気的インパルスはコネクタ１４０１に伝達され得、コネクタ１４０１はケーブル（例えば２チャンネル・リード線ケーブル）に連結され得る。いくつかの事例では、コネクタ１４０１はマイクロＵＳＢコネクタを含み得る。このケーブルは、いくつかの事例では、さらに電極に連結され得る。このケーブルは電気パルスを電極に伝達し得る。これらの電極はさらに、電気的刺激または電気パルスをユーザに送達し、それにより刺激作業が実装され得る。
【０１５２】
所望により、このコネクタは、電力またはエネルギーをＥＭＳ装置に提供するバッテリー１４０３を充電するために、ケーブルに連結されるよう構成され得る。例えば、このバッテリーは電力またはエネルギーを通信モジュール、処理ユニット、パルス発生装置、および／またはセンサ・システム１４０７に提供し得る。このセンサ・システムは、ユーザからの信号を検知するよう、プログラムされるかまたは別様に構成され得る。いくつかの事例では、このセンサ・システムは、筋肉が収縮したときに筋肉表面からの信号を記憶するよう、プログラムされるかまたは別様に構成され得る。これらの信号は、機械的信号および／または電気信号を含み得る。例えば、筋音図（ＭＭＧ）または低周波振動がこのセンサ・システムを利用して観察および／または記録され得る。このセンサ・システムは１個、２個、３個、４個、５個以上のセンサを含み得る。このセンサ・システムは信号を検知するための任意の好適なアプローチを含み得る。例えば、このセンサ・システムは加速度計、ジャイロスコープ、および／またはマイクロフォンを含み得る。いくつかの事例では、加速度計は３軸加速度計であり得る。このセンサ・システムは、刺激作業の実行中にユーザから信号を検知するよう、プログラムされるかまたは別様に構成され得る。このセンサ・システムは、刺激作業が存在しない場合でさえもユーザから信号を検知するようプログラムされるかまたは別様に構成され得る。
【０１５３】
このバッテリーは、いくつかの事例では、電力をＬＥＤ１４０５に提供し得る。このＬＥＤは装置の指標をユーザに提供するために利用され得る。このＬＥＤは複数の異なる色を表示するようプログラムされるかまたは別様に構成され得る。例えば、このＬＥＤは、この装置の現在状況（例えば、この装置が休止状態、充電中、刺激作業の実行中、バッテリー消耗状態にある、など）に応じて異なる色を表示するようプログラムされるかまたは別様に構成され得る。このＬＥＤが発する光は、いくつかの事例では、１つまたは複数のライトトンネルを介して、ＥＭＳ装置の外部に伝達され得る。所望により、これらのライトトンネルは、ＥＭＳ装置に対するハウジングの一部であり得る。例えば、これらのライトトンネルは、図１３で記載の上方ケーシングまたは下方ケーシングの一部であり得る。
【０１５４】
このＰＣＢボードはさらにボタン１４１１を含み得る。このボタンは、図２で記載の簡易インターフェース２０８の一例であり得る。このホタンはユーザからの入力を受け取るために利用され得る。このボタンは、この装置を電源投入および電源切断するために利用され得る。代替的にまたは追加的に、このボタンは、ＥＭＳ装置をリセットするため、刺激作業を休止するため、刺激作業を再開するため、および／または刺激作業の強度を調整するために、利用され得る。
【０１５５】
このＰＣＢはさらに嵌め合い機構１４１３を含み得る。この嵌め合い機構は、実質的に図１３を参照して記載した機構であり得る。いくつかの事例では、この嵌め合い機構は、電気的インパルスがユーザに送達されることを可能にし得る。例えば、この嵌め合い機構は、パルス発生装置が１つまたは複数の電極に対して連結されることを可能し得、パルス発生装置において発生した電気的インパルスは、嵌め合い機構および／または電極を通してユーザに送達され得る。
【０１５６】
コンピュータ制御システムおよびソフトウェア
本開示では、本開示の方法を実装するようプログラムされたコンピュータ制御システムが提供される。図１５では、電気刺激装置（例えばＥＭＳ装置）を動作させるようプログラムされるかたまは別様に構成されたコンピュータ・システム１５０１が示されている。コンピュータ・システム１５０１は、本開示の刺激装置、システム、および方法の様々な態様（例えば刺激作業または刺激パラメータ）を管理し得る。コンピュータ・システム１５０１は刺激プログラムを実行し得る。コンピュータ・システム１５０１は、ユーザの電子装置または電子装置から遠隔に配置されたコンピュータ・システムであり得る。この電子装置はモバイル電子装置（例えば電話、ＩＰＡＤ、タブレット、その他）であり得る。
【０１５７】
コンピュータ・システム１５０１は中央処理装置（ＣＰＵ、本明細書では「プロセッサ」および「コンピュータ・プロセッサ」ともよばれる）１５０５を含む。この中央処理装置は、シングルコアもしくはマルチコア・プロセッサであってもよく、または並列処理用の複数プロセッサであり得る。コンピュータ・システム１５０１は、メモリまたはメモリロケーション１５１０（例えば、ランダムアクセスメモリ、リードオンリーメモリ、フラッシュメモリ）、電子記憶ユニット１５１５（例えばハードディスク）、１つまたは複数の他のシステムに対して通信するための通信インターフェース１５２０（例えば、ネットワークアダプタ）、および、周辺装置１５２５（例えばキャッシュ、他のメモリ、データ記憶装置、および／または電子ディスプレイ・アダプタなど）も含む。メモリ１５１０、格納ユニット１５１５、インターフェース１５２０、および周辺装置１５２５はマザーボードなどの通信バス（実線）を通してＣＰＵ１５０５に対して通信する。格納ユニット１５１５はデータを格納するためのデータ格納ユニット（またはデータ・リポジトリ）であり得る。コンピュータ・システム１５０１は、通信インターフェース１５２０の支援を用いてコンピュータ・ネットワーク（「ネットワーク」）１５３０に動作可能に連結され得る。ネットワーク１５３０はインターネット、インターネット、および／またはエクストラネットであってもよく、または、インターネットに対して通信するイントラネットおよび／またはエクストラネットであってもよい。ネットワーク１５３０は、いくつかの場合では、遠距離通信および／またはデータネットワークである。ネットワーク１５３０は１つまたは複数のコンピュータ・サーバを含み得、それにより分散コンピューティング（例えばクラウドコンピューティングなど）が可能となり得る。ネットワーク１５３０は、いくつかの場合では、コンピュータ・システム１５０１の支援を用いて、ピア・トゥ・ピア・ネットワークを実装し得る。それにより、コンピュータ・システム１５０１に接続された装置は、クライアントまたはサーバとして挙動することが可能となり得る。
【０１５８】
ＣＰＵ１５０５は、プログラムまたはソフトとして具体化され得る一連の機械可読命令を実行し得る。これらの命令は、メモリ１５１０などのメモリロケーションに格納され得る。これらの命令はＣＰＵ１５０５に誘導され得、引き続き、本開示の方法を実装するようＣＰＵ１５０５をプログラムするかまたは別様に構成し得る。ＣＰＵ１５０５により実行される演算の例としては、フェッチ、復号化、実行、およびライトバックが挙げられ得る。
【０１５９】
ＣＰＵ１５０５は回路（例えば集積回路など）の一部であり得る。システム１５０１の１つまたは複数の他の構成要素は、この回路に含まれ得る。いくつかの場合では、この回路は特定用途向け集積回路（ＡＳＩＣ）である。
【０１６０】
格納ユニット１５１５は、ファイル（例えば、ドライバ、ライブラリ、および保存されたプログラムなど）を格納し得る。格納ユニット１５１５は、ユーザデータ（例えばユーザ選好およびユーザプログラム）を格納し得る。コンピュータ・システム１５０１は、いくつかの場合では、コンピュータ・システム１５０１の外部に位置する１つまたは複数の追加的なデータ格納ユニット（例えば、イントラネットまたはインターネットを通してコンピュータ・システム１５０１に対して通信する遠隔サーバ上に配置されるデータ格納ユニットなど）を含み得る。
【０１６１】
コンピュータ・システム１５０１はネットワーク１５３０を通して１つまたは複数の遠隔コンピュータ・システムに対して通信し得る。例えば、コンピュータ・システム１５０１はユーザ（例えば、運動競技者、ヘルスケア・サービス労働者、またはトレーナー）の遠隔コンピュータ・システムに対して通信し得る。遠隔コンピュータ・システムの例としては、パーソナル・コンピュータ（例えば、ポータブル型のＰＣ）、スレートまたはタブレット型のＰＣ（例えばＡｐｐｌｅ（登録商標）ｉＰＡＤ、Ｓａｍｓｕｎｇ（登録商標）ＧａｌａｘｙＴａｂ）、電話、スマートフォン（例えば、Ａｐｐｌｅ（登録商標）ｉＰｈｏｎｅ（登録商標）、Ａｎｄｒｏｉｄ使用可能な装置、Ｂｌａｃｋｂｅｒｒｙ（登録商標））、または携帯情報端末が挙げられる。ユーザはネットワーク１５３０を介してコンピュータ・システム１５０１にアクセスし得る。
【０１６２】
本明細書で記載の方法は、コンピュータ・システム１５０１の電子格納ロケーション上（例えばメモリ１５１０上または電子記憶ユニット１５１５上）に格納された機械（例えばコンピュータ・プロセッサ）実行可能コードにより実装され得る。機械実行可能コードまたは機械可読コードはソフトウェアの形態で提供され得る。使用中、このコードはプロセッサ１５０５により実行され得る。いくつかの場合では、このコードは、格納ユニット１５１５から取り出され、プロセッサ１５０５によるアクセスが容易となるようメモリ１５１０上に格納され得る。いくつかの状況では、電子格納ユニット１５１５は除外され得、これらの機械実行可能命令はメモリ１５１０上に格納される。
【０１６３】
このコードは、コードを実行するよう適応されたプロセッサを有する機械とともに使用されるよう事前コンパイルおよび構成されてもよく、またはランタイム中にコンパイルされてもよい。このコードは、コードが事前コンパイルまたは実行時コンパイルの様式で実行されるよう選択され得るプログラミング言語において供給され得る。
【０１６４】
本明細書で提供されるシステムおよび方法（例えばコンピュータ・システム１５０１など）の態様は、プログラミングにおいて具体化され得る。この技術の様々な態様は、通常は、機械（またはプロセッサ）実行可能コードおよび／または一種の機械可読媒体上に担持されるかまたは係る機械可読媒体において具体化された関連するデータの形態における「製品」または「製造品」としてみなされ得る。機械実行可能コードは、例えばメモリ（例えばリードオンリーメモリ、ランダムアクセスメモリ、フラッシュメモリ）またはハードディスクなどの電子記憶ユニット上に格納され得る。「格納」型の媒体は、ソフトウェアプログラミングに対する任意の時間における非一時的格納を提供し得る、コンピュータ、プロセッサ、その他の実体的メモリ、またはその関連するモジュールの一部または全部（例えば様々な半導体メモリ、テープドライブ、ディスクドライブ、その他）を含み得る。ソフトウェアの全部または一部は時々インターネットまたは様々な他の遠距離通信ネットワークを通して通信され得る。係る通信は、例えば、ソフトウェアが１つのコンピュータまたはプロセッサから他のコンピュータまたはプロセッサに（例えば、管理サーバまたはホスト・コンピュータからアプリケーション・サーバのコンピュータ・プラットフォームに）ロードされることを可能にし得る。したがって、ソフトウェア要素を担持し得る媒体の他の種類は、例えばローカル装置間の物理インターフェース間で、有線および光陸上通信線ネットワークを通して、および様々なエアリンク上で、使用される、光、電気、および電磁波を含む。係る波を担持する物理的要素（例えば有線またはワイヤレスのリンク、光リンク、その他）も、ソフトウェアを担持する媒体とみなされ得る。本明細書で使用されるように、非一時的、実体的な「格納」媒体に限定されない限り、コンピュータまたは機械「可読媒体」という用語は、プロセッサに実行のための命令をプロセッサに提供することに参加する任意の媒体を指す。
【０１６５】
したがって機械可読媒体（例えばコンピュータ実行可能コードなど）は、実体的な記憶媒体、キャリア波媒体、または物理的伝送媒体を含むがこれらに限定されない多数の形態を取り得る。不揮発性格納媒体は、例えば、これらの図面で示されるデータベース、その他を実装するために使用され得るような任意のコンピュータ（単数または複数）、その他などにおけるこれらの格納装置の任意の格納装置などの、光または磁気ディスクを含む。揮発性記憶媒体はダイナミックメモリ（例えば、係るコンピュータ・プラットフォームの主要メモリなど）を含む。実体的な伝送媒体は、コンピュータ・システム内のバスを含むワイヤを含む同軸ケーブル、銅線、および光ファイバを含む。搬送波伝送媒体は、無線周波数（ＲＦ）および赤外線（ＩＲ）データ通信の際に発生する信号などの電気もしくは電磁信号または音波もしくは光波の形態を取り得る。したがって、コンピュータ可読媒体の一般的な形態としては例えば、フロッピディスク、フレキシブルディスク、ハードディスク、磁気テープ、任意の他の磁気媒体、ＣＤ−ＲＯＭ、ＤＶＤ、もしくはＤＶＤ−ＲＯＭ、任意の他の光媒体、パンチカード、紙テープ、穴のパターンを有する任意の他の物理的格納媒体、ＲＡＭ、ＲＯＭ、ＰＲＯＭ、およびＥＰＲＯＭ、フラッシュＥＥＰＲＯＭ、任意の他のメモリチップもしくはカートリッジ、データもしくは命令を輸送する搬送波、係る搬送波を輸送するケーブルもしくはリンク、またはプログラミング・コードおよび／またはデータをコンピュータが読み出し得る任意の他の媒体、が挙げられる。コンピュータ可読媒体のこれらの形態の多くが、１つまたは複数の一連の１つまたは複数の命令を実行されるようプロセッサに搬送することに関与し得る。
【０１６６】
コンピュータ・システム１５０１は刺激（例えばＥＭＳ）装置１５３５に対して通信し得る。１個の刺激装置１５３５が示されているが、コンピュータ・システム１５０１は複数の刺激装置（例えば図３および図５で記載の刺激装置）に対して通信し得る。刺激装置１５３５は本明細書の他の箇所で記載の装置（例えば図２のＥＭＳ２００）であり得る。
【０１６７】
コンピュータ・システム１５０１は、例えば、ユーザが刺激装置１５３５を制御することを可能にする１つまたは複数の制御要素または入力要素を提供するためのユーザインターフェース（ＵＩ）を含む電子的ディスプレイ（図示せず）を含むか、または係るディスプレイに対して通信し得る。ＵＩの例としては、グラフィカル・ユーザ・インターフェース（ＧＵＩ）およびＷＥＢベースのユーザインターフェースが挙げられるが、これらに限定されない。
【０１６８】
本開示の方法およびシステムは１つまたは複数のアルゴリズムにより実装され得る。アルゴリズムは、中央処理装置１５０５による実行されたときにソフトウェアにより実装され得る。このアルゴリズムは、いくつかの事例では、ユーザからの命令が（例えばコンピュータ・システム１５０１を通して）受け取られると実行され得、刺激装置１５３５の動作を生じさせ得る。このアルゴリズムは、刺激装置１５３５の１つまたは複数のセンサを通して１つまたは複数の信号を受け取り得、いくつかの場合では、刺激装置１５３５を通して刺激がユーザに提供される様式を調整し得る。
【０１６９】
いくつかの事例では、このアルゴリズムは、ユーザが様々なアプリケーション・プログラミング・インターフェースに対して通信することを可能にし得る。このアルゴリズムは、本明細書で提供される方法（例えば図７〜図９の方法など）の様々な態様を実行または実装し得る。例えば、このアルゴリズムが実行されると、命令（例えば、データまたは信号の形態の命令）が生成され得、次に、この命令はＥＭＳ装置にワイヤレス伝達され得る。ＥＭＳ装置（例えば、ＥＭＳ装置の処理ユニット）はさらにこの命令を処理し、それにより、これらの方法（例えば図７〜図９の方法など）の様々な態様が実装または実行され得る。所望により、このアルゴリズムが実行されると、本開示の方法が、全体的にまたは部分的に、実装され得る。例えば、このアルゴリズムは図８の方法８００のステップ８０５〜８１３を実行し得る。
【０１７０】
いくつかの事例では、このアルゴリズムは、効果的な刺激作業を提供するにあたっての適切な刺激パラメータを判定または選択するようプログラムされるかまたは別様に構成され得る。いくつかの事例では、このアルゴリズムが実行されると、ユーザに提供された刺激作業が、所望の効果（例えば、強度、持久力、リラクセーション、潜在的な筋肉の構築、その他）を達成するにあたり、より良好であるかまたはより効率的となるよう、ランダムな刺激パラメータが提供され得る。所望により、このアルゴリズムが実行されると、ＥＭＳ装置に対してさらなる命令が提供され得る。例えば、このアルゴリズムの実行を介して、ＥＭＳ装置上に搭載されたプロセッサに刺激プログラムを実行させる命令が生成され得、次に、パルス発生装置が、刺激プログラムの実行に応答して電気的インパルスが発生され、次に、この電気的インパルスがユーザに伝達され得る。他の事例として、このアルゴリズムの実行を介して、信号またはコマンドを通信チャネル上でブロードキャストするようＥＭＳ装置上に搭載されたプロセッサに命令する命令が生成され得、この信号またはコマンドは他のＥＭＳ装置により受け取られる。次に、この他のＥＭＳ装置はこのコマンドに応答して刺激プログラムを実行し得、次に、この他のＥＭＳ装置のパルス発生装置がこの刺激プログラムの実行に応答して電気的インパルスを発生させ、次に、この電気的インパルスはユーザに伝達される。
【０１７１】
いくつかの事例では、このアルゴリズムは第三者により実行され得る。例えば、このあるアルゴリズムはヘルスケア提供者により実行され得る。このヘルスケア提供者は入力（例えば、命令）をクラウドベースのプラットフォームに提供し得、このクラウドベース・プラットフォームは、ユーザのモバイル装置に伝達される命令を発生させ得、次に、このユーザのモバイル装置がこのアルゴリズムを実行する。このアルゴリズムの実行はさらに命令を生成し得、これらの命令はＥＭＳ装置に伝達される。これらの命令は、刺激プログラムを実行するようこのＥＭＳ装置上に搭載されたプロセッサに命令し得、次に、パルス発生装置が、この刺激プログラムの実行に応答して電気的インパルスを発生させ得、次に、この電気的インパルスがユーザに伝達される。
【０１７２】
コンピュータ・システム１５０１がこのアルゴリズムを実行すると、１セットの刺激命令が提供され得る。係る一セットの刺激命令は、ＥＭＳ装置１５３５の通信モジュールに（例えばワイヤレスで）伝達され、処理ユニット（例えば、ＥＭＳ装置１５３５）により受け取られ得る。この処理ユニットは、この一セット刺激命令を処理する場合もあり、または処理しない場合もあり、さらに、１つまたは複数の電極またはパッドに伝達するための１つまたは複数のパルスを生成するようパルス発生装置に命令し、それにより、刺激作業がユーザに送達される。いくつかの事例では、刺激装置１５３５は、ユーザに送達されるパルスを生成してもよく、または刺激装置１５３５は、パルス発生から生成されたパルスをユーザに誘導してもよい。１つまたは複数のパルスは、少なくとも１個、２個、３個、４個、５個、６個、７個、８個、９個、１０個、２０個、３０個、４０個、５０個、１００個、２００個、３００個、４００個、５００個、１０００個、またはそれ以上のパルスを含み得る。
【０１７３】
本明細書で使用されるＡおよび／またはＢは、ＡまたはＢのうちの１つまたは複数、およびこれらの組み合わせ（例えばＡおよびＢなど）を含む。「第１」、「第２」、「第３」、その他の用語が本明細書では様々な要素、構成要素、領域、および／または区域を説明するために使用され得るが、これらの要素、構成要素、領域、および／または区域がこれらの用語により限定されるべきではないことが理解されるであろう。これらの用語は１つの要素、構成要素、領域、物質、または区域を他の要素、構成要素、領域、物質、または区域から単に区別するために用いられる。したがって以下で説明される第１の要素、構成要素、領域、または区域は、本発明の教示から逸脱することなく、第２の要素、構成要素、領域、または区域と呼ばれることが可能である。
【０１７４】
本明細書で使用される術語は、特定の実施形態を説明することのみを目的とし、本発明を限定することを意図するものではない。本明細書で使用される、単数形「ａ」、「ａｎ」および「ｔｈｅ」は、文脈上明らかに別の意味を示すものでない限り、複数形を含むことを意図する。「含む」および／または「含んでいる」または「備える」および／または「備えている」という用語は、本明細書において使用される場合、説明される特徴、領域、整数、ステップ、動作、要素、および／または構成要素の存在を指定するが、１つまたは複数の他の特徴、領域、整数、ステップ、動作、要素、構成要素、および／またはこれらの群の存在または追加を除外しないことを、さらに理解すべきである。
【０１７５】
さらに「下方」または「底部」および「上方」または「上部」などの相対的な用語は、本明細書では、図面において示される１つの要素と他の要素との相対関係を説明するために使用され得る。相対的な用語は、図面に示された方向に加えて要素の異なる方向を含むことを意図されることが理解されるべきである。例えば、図面の１つにおける要素が上下反転された場合、他の要素の「下方」側面上に位置するものとして説明される要素は、当該の他の要素の「上方」側面上に向けられることとなるであろう。例示的な用語「下方」は、したがって、図面の特定の方向に応じて、「下方」および「上方」の方向の両方を含み得る。同様に、図面の１つにおける要素が上下反転された場合、他の要素の「下方」または「下」に位置するものとして説明される要素は、当該の他の要素の「上方」に向けられることとなるであろう。例示的な用語「下方」または「下」は、したがって、「上方」および「下方」の方向の両方を含み得る。
【０１７６】
本発明の好適な実施形態について本明細書で図示および説明してきたが、係る実施形態が単に事例として提供されたものであることは当業者には明らかであろう。多数の変形、変化および置換が、本発明から逸脱することなく、当業者にここで想起されるであろう。本明細書で記載の本発明の実施形態に対する様々な代替が本発明の実施において利用されうることが理解されるべきである。本明細書で記載の実施形態の多数の異なる組み合わせが可能であり、係る組み合わせは本開示の一部であるとみなされる。加えて、本明細書における任意の１つの実施形態に関連して説明される全部の特徴は、本明細書における他の実施形態において使用されるよう容易に適応され得る。以下の請求項が本発明の範囲を定義すること、および、これらの請求項の範囲内の方法および構造物およびそれらの均等物が本発明に含まれること、が意図される。
【図１】
2019512333.tif 000003
【図２】
2019512333.tif 000004
【図３】
2019512333.tif 000005
【図４】
2019512333.tif 000006
【図５】
2019512333.tif 000007
【図６】
2019512333.tif 000008
【図７】
2019512333.tif 000009
【図８】
2019512333.tif 000010
【図９】
2019512333.tif 000011
【図１０】
2019512333.tif 000012
【図１１】
2019512333.tif 000013
【図１２】
2019512333.tif 000014
【図１３】
2019512333.tif 000015
【図１４】
2019512333.tif 000016
【図１５】
2019512333.tif 000017
【国際調査報告】
2019512333.tif 000018
2019512333.tif 000019
2019512333.tif 000020
2019512333.tif 000021
2019512333.tif 000022
2019512333.tif 000023
2019512333.tif 000024